(57)【特許請求の範囲】
【請求項１】
(i)放送装置から、複数のコンテンツ情報を、それら複数のコンテンツ情報の識別情報とともに、複数の識別情報付コンテンツ情報として、放送手段によって、受信装置に向け、順次放送し、
(i)′上記放送装置において、上記放送装置から順次放送された複数の識別情報付コンテンツ情報は、識別情報付コンテンツ情報蓄積手段に蓄積されており、
(ii)上記受信装置が、上記放送装置から順次放送される複数の識別情報付コンテンツ情報を、放送受信手段を用いて、受信し、
(iii)上記複数の識別情報付コンテンツ情報を受信した受信装置において、上記受信した複数の識別情報付コンテンツ情報のコンテンツ情報を、コンテンツ情報表示手段によって、順次表示し、且つ上記受信した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、
(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、
(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、
(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、
(viii)上記コンテンツ情報購入要求情報または上記コンテンツ情報所望要求情報を送信した受信装置が、上記放送装置から送信されまたは放送された上記販売コンテンツ情報または提供コンテンツ情報を、購入コンテンツ情報または所望コンテンツ情報として、上記販売コンテンツ情報または上記提供コンテンツ情報が上記放送装置の送受信手段の送信部によって送信されたか放送手段によって放送されたかに応じて、当該受信装置の送受信手段の受信部または放送受信手段によって、受信し、
(ix)上記販売コンテンツ情報または上記提供コンテンツ情報を受信した受信装置において、上記受信した販売コンテンツ情報または提供コンテンツ情報を、購入コンテンツ情報または所望コンテンツ情報としてコンテンツ情報蓄積手段に蓄積することを特徴とするコンテンツ情報放送・受信システム。
【請求項２】
(i)複数のコンテンツ情報を、それら複数のコンテンツ情報の識別情報とともに、複数の識別情報付コンテンツ情報として、放送手段によって、受信装置に向け、順次放送し得るようになされ、
(i)′上記順次放送された複数の識別情報付コンテンツ情報は、識別情報付コンテンツ情報蓄積手段に蓄積されているようになされ、
(ii)当該放送装置が上記複数の識別情報付コンテンツ情報を順次放送することによって上記受信装置が、上記順次放送された複数の識別情報付コンテンツ情報を受信したことに基づき、当該受信装置から送信される、当該受信装置を表している受信装置表示情報と当該受信装置が受信した複数の識別情報付コンテンツ情報の識別情報中から選択された一の識別情報である購入したいコンテンツ情報の識別情報(以下購入希望コンテンツ情報識別情報という)とを有するコンテンツ情報購入要求情報、または当該受信装置を表している受信装置表示情報と上記受信した複数の識別情報付放送コンテンツ情報の識別情報から選択された一の識別情報である所望したいコンテンツ情報の識別情報(以下所望希望コンテンツ情報識別情報という) とを有するコンテンツ情報所望要求情報を、当該放送装置の送受信手段の受信部によって、受信し得るようになされ、
(iii) 上記コンテンツ情報購入要求情報または上記コンテンツ情報所望要求情報を受信したことに基づき、上記コンテンツ情報購入要求情報を受信すれば、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の上記送受信手段の送信部または上記放送手段によって、上記コンテンツ情報購入要求情報の受信装置表示情報を用いて、上記コンテンツ情報購入要求情報を送信した受信装置に向け、当該受信装置のコンテンツ情報蓄積手段に購入コンテンツ情報として蓄積され得べく、送信または放送し得るようになされ、
(iii)′上記コンテンツ情報購入要求情報または上記コンテンツ情報所望要求情報を受信したことに基づき、上記コンテンツ情報所望要求情報を受信すれば、上記識別情報付コンテンツ情報蓄積手段から、それに蓄積されている上記複数の識別情報付コンテンツ情報中の上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の上記送受信手段の送信部または上記放送手段によって、上記コンテンツ情報所望要求情報の受信装置表示情報を用いて、上記コンテンツ情報所望要求情報を送信した受信装置に向け、当該受信装置のコンテンツ情報蓄積手段に所望コンテンツ情報として蓄積され得べく、送信または放送し得るようになされていることを特徴とするコンテンツ情報放送装置。
【請求項３】
(i)放送装置から順次放送される、複数のコンテンツ情報とそれら複数のコンテンツ情報の識別情報とを有する複数の識別情報付コンテンツ情報を、放送受信手段を用いて、受信し得るようになされ、
(ii)上記複数の識別情報付コンテンツ情報を受信すれば、それに基づき、その複数の識別情報付コンテンツ情報のコンテンツ情報を、コンテンツ情報表示手段によって、順次表示し、且つ上記受信した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(iii)上記予定数の識別情報を表示し、その表示した予定数の識別情報中から、一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、
(iii)′上記予定数の識別情報を表示し、その表示した予定数の識別情報中から、一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し得るようになされ、
(iv)上記コンテンツ情報購入要求情報または上記コンテンツ情報所望要求情報を生成すれば、それに基づき、そのコンテンツ情報購入要求情報または上記コンテンツ情報所望要求情報を、送受信手段の送信部によって、上記放送装置に向け、送信し得るようになされ、
(v)放送装置が上記コンテンツ情報購入要求情報を上記受信したことに基づき当該放送装置の送受信手段の送信部から送信されまたは放送手段から放送される、上記複数の識別情報付コンテンツ情報中の上記コンテンツ情報購入要求情報の購入希望コンテンツ情報識別情報が表しているコンテンツ情報である販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し得るようになされ、
(v)′当該受信装置が上記コンテンツ情報所望要求情報を送信することによって、上記放送装置が上記コンテンツ情報所望要求情報を、当該放送装置の送受信手段の受信部によって受信したことに基づき、当該放送装置の送受信手段の送信部から送信されまたは放送手段から放送される、上記複数のコンテンツ情報中の上記コンテンツ情報所望要求情報の所望希望コンテンツ情報識別情報が表しているコンテンツ情報である提供コンテンツ情報を所望コンテンツ情報として、上記所望コンテンツ情報が上記放送装置の送受信手段の送信部によって送信されたか放送手段によって放送されたかに応じて、当該受信装置の送受信手段の受信部によってまたは放送受信手段によって、受信し得るようになされ、
(vi)上記購入コンテンツ情報または所望コンテンツ情報を受信すれば、それに基づき、その購入コンテンツ情報または所望コンテンツ情報を、コンテンツ情報蓄積手段に蓄積し得るようになされていることを特徴とするコンテンツ情報受信装置。
【請求項４】
(i)放送装置から、複数のコンテンツ情報を、それら複数のコンテンツ情報の識別情報とともに、複数の識別情報付コンテンツ情報として、放送手段によって、受信装置に向け、順次放送し、
(ii)上記受信装置が、上記放送装置から順次放送される複数の識別情報付コンテンツ情報を、放送受信手段を用いて、受信し、
(iii)上記複数の識別情報付コンテンツ情報を受信した受信装置において、上記受信した複数の識別情報付コンテンツ情報を、それらがそれらのコンテンツ情報について後記購入所望コンテンツ情報読出手段によって読み出される以外読み出されないように蓄積する識別情報付コンテンツ情報蓄積手段に順次蓄積するとともに、上記受信した複数の識別情報付コンテンツ情報のコンテンツ情報を、コンテンツ情報表示手段によって、順次表示し、且つ上記受信した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、
(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、
(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、
(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(vii)′上記コンテンツ情報購入要求情報または上記コンテンツ情報所望要求情報を受信した上記放送装置において、上記コンテンツ情報所望要求情報を受信すれば、上記コンテンツ情報購入所望情報を受信したことに基づき、当該受信したコンテンツ情報所望要求情報の所望希望コンテンツ情報識別情報を有するコンテンツ情報所望許諾情報を、コンテンツ情報所望許諾情報生成手段によって、上記受信したコンテンツ情報所望要求情報の所望希望コンテンツ情報識別情報を用いて、生成し、そのコンテンツ情報所望許諾情報を、当該放送装置の送受信手段の送信部または放送手段によって、上記受信したコンテンツ情報所望要求情報の受信装置表示情報を用いて、上記コンテンツ情報所望要求情報を送信した受信装置に向け、送信または放送し、
(viii) 上記コンテンツ情報購入要求情報または上記コンテンツ情報所望要求情報を送信した受信装置が、上記放送装置から送信されまたは放送されたコンテンツ情報販売許諾情報またはコンテンツ情報所望許諾情報を、上記コンテンツ情報販売許諾情報またはコンテンツ情報所望許諾情報が上記放送装置の送受信手段の送信部によって送信されたか放送手段によって放送されたかに応じて、当該受信装置の送受信手段の受信部によってまたは放送受信手段によって、受信し、
(ix)上記コンテンツ情報販売許諾情報またはコンテンツ情報所望許諾情報を受信した受信装置において、上記コンテンツ情報販売許諾情報を受信した場合、上記コンテンツ情報販売許諾情報を受信したことに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し、
(ix)′ 上記コンテンツ情報販売許諾情報またはコンテンツ情報所望許諾情報を受信した受信装置において、上記コンテンツ情報所望許諾情報を受信した場合、上記コンテンツ情報所望許諾情報を受信したことに基づき、上記識別情報付コンテンツ情報蓄積手段から、それに蓄積されている上記複数の識別情報付コンテンツ情報中の上記コンテンツ情報所望許諾情報の購入希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した所望コンテンツ情報を、所望コンテンツ情報蓄積手段に蓄積することを特徴とするコンテンツ情報放送・受信システム。
【請求項５】
(i)放送装置から順次放送される、複数のコンテンツ情報とそれら複数のコンテンツ情報の識別情報とを有する複数の識別情報付コンテンツ情報を、放送受信手段を用いて、受信し得るようになされ、
(ii)上記複数の識別情報付コンテンツ情報を受信すれば、それに基づき、その複数の識別情報付コンテンツ情報を、後記購入所望コンテンツ情報読出手段によって読み出される以外読み出されないように蓄積する識別情報付コンテンツ情報蓄積手段に順次蓄積するとともに、上記受信した複数の識別情報付コンテンツ情報のコンテンツ情報を、コンテンツ情報表示手段によって、順次表示し、且つ上記受信した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、
(iii)′上記予定数の識別情報を表示し、その表示した予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し得るようになされ、
(iv)上記コンテンツ情報購入要求情報または上記コンテンツ情報所望要求情報を生成すれば、それに基づき、そのコンテンツ情報購入要求情報または上記コンテンツ情報所望要求情報を、送受信手段の送信部によって、上記放送装置に向け、送信し得るようになされ、
(v)当該受信装置が上記コンテンツ情報購入要求情報または上記コンテンツ情報所望要求情報を送信することによって、上記放送装置が上記コンテンツ情報購入要求情報を受信すれば、それに基づき、当該放送装置の送受信手段の送信部から送信されるまたは放送手段から放送される、上記複数の識別情報付コンテンツ情報中の上記コンテンツ情報購入要求情報の購入希望コンテンツ情報識別情報を有するコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し得るようになされ、
(v)′当該受信装置が上記コンテンツ情報購入要求情報または上記コンテンツ情報所望要求情報を送信することによって、上記放送装置が上記コンテンツ情報所望要求情報を受信すれば、それに基づき、当該放送装置の送受信手段の送信部から送信されるまたは放送手段から放送される、上記複数の識別情報付コンテンツ情報中の上記コンテンツ情報所望要求情報の所望希望コンテンツ情報識別情報を有するコンテンツ情報所望許諾情報を、上記コンテンツ情報所望許諾情報が上記放送装置の送受信手段の送信部によって送信されたか放送手段によって放送されたかに応じて、当該受信装置の送受信手段の受信部によってまたは放送受信手段によって、受信し得るようになされ、
(vi)上記コンテンツ情報販売許諾情報を受信すれば、それに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し得るようになされ、
(vi)′上記コンテンツ情報所望許諾情報を受信すれば、それに基づき、上記識別情報付コンテンツ情報蓄積手段から、それに蓄積されている上記複数の識別情報付コンテンツ情報中の上記コンテンツ情報所望許諾情報の所望希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した所望コンテンツ情報を、購入所望コンテンツ情報蓄積手段に蓄積し得るようになされていることを特徴とするコンテンツ情報受信装置。
【請求項６】
(i)放送装置から、複数のコンテンツ情報の識別情報を、放送手段によって、受信装置に向け、順次放送し、
(i)′上記放送装置において、複数のコンテンツ情報は、上記識別情報とともに、複数の識別情報付コンテンツ情報として、識別情報付コンテンツ情報蓄積手段に蓄積されており、
(ii)上記受信装置が、上記放送装置から順次放送される複数のコンテンツ情報の識別情報を、放送受信手段を用いて、受信し、
(iii)上記複数のコンテンツ情報の識別情報を受信した受信装置において、上記受信した複数のコンテンツ情報の識別情報を、識別情報蓄積手段に順次蓄積し、
(iii)′上記複数のコンテンツ情報の識別情報を蓄積した受信装置において、上記識別情報蓄積手段から、それに蓄積された複数のコンテンツ情報の識別情報を適時順次読み出し、その読み出した複数のコンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、
(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、
(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、
(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、
(viii)上記コンテンツ情報購入要求情報または上記コンテンツ情報所望要求情報を送信した受信装置が、上記放送装置から送信されまたは放送された上記販売コンテンツ情報または提供コンテンツ情報を、購入コンテンツ情報または所望コンテンツ情報として、上記販売コンテンツ情報または上記提供コンテンツ情報が上記放送装置の送受信手段の送信部によって送信されたか放送手段によって放送されたかに応じて、当該受信装置の送受信手段の受信部によってまたは放送受信手段によって、受信し、
(ix)上記販売コンテンツ情報または上記提供コンテンツ情報を受信した受信装置において、上記受信した販売コンテンツ情報または提供コンテンツ情報を、購入コンテンツ情報または所望コンテンツ情報としてコンテンツ情報蓄積手段に蓄積することを特徴とするコンテンツ情報放送・受信システム。
【請求項７】
(i)複数のコンテンツ情報を、それら複数のコンテンツ情報の識別情報とともに、複数の識別情報付コンテンツ情報として、放送手段によって、受信装置に向け、順次放送し得るようになされ、
(i)′上記順次放送された複数の識別情報付コンテンツ情報は、識別情報付コンテンツ情報蓄積手段に蓄積されているようになされ、
(ii)当該放送装置が上記複数のコンテンツ情報の識別情報を順次放送することによって上記受信装置が、上記順次放送される複数のコンテンツ情報の識別情報を受信し、その受信した複数のコンテンツ情報の識別情報を、当該受信装置の識別情報蓄積手段に蓄積し、その蓄積された複数のコンテンツ情報の識別情報を適時読み出したことに基づき、当該受信装置から送信される、当該受信装置を表している受信装置表示情報と当該受信装置の識別情報蓄積手段から読み出した複数のコンテンツ情報の識別情報中から選択された一の識別情報である購入したいコンテンツ情報の識別情報(以下購入希望コンテンツ情報識別情報という)とを有するコンテンツ情報購入要求情報、または当該受信装置を表している受信装置表示情報と上記受信した複数の識別情報付放送コンテンツ情報の識別情報から選択された一の識別情報である所望したいコンテンツ情報の識別情報(以下所望希望コンテンツ情報識別情報という) とを有するコンテンツ情報所望要求情報を、当該放送装置の送受信手段の受信部によって、受信し得るようになされ、
(iii) 上記コンテンツ情報購入要求情報または上記コンテンツ情報所望要求情報を受信したことに基づき、上記コンテンツ情報購入要求情報を受信すれば、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の上記送受信手段の送信部または上記放送手段によって、上記コンテンツ情報購入要求情報の受信装置表示情報を用いて、上記コンテンツ情報購入要求情報を送信した受信装置に向け、当該受信装置のコンテンツ情報蓄積手段に購入コンテンツ情報として蓄積され得べく、送信または放送し得るようになされ、
(iii)′上記コンテンツ情報購入要求情報または上記コンテンツ情報所望要求情報を受信したことに基づき、上記コンテンツ情報所望要求情報を受信すれば、上記識別情報付コンテンツ情報蓄積手段から、それに蓄積されている上記複数の識別情報付コンテンツ情報中の上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の上記送受信手段の送信部または上記放送手段によって、上記コンテンツ情報所望要求情報の受信装置表示情報を用いて、上記コンテンツ情報所望要求情報を送信した受信装置に向け、当該受信装置のコンテンツ情報蓄積手段に所望コンテンツ情報として蓄積され得べく、送信または放送し得るようになされていることを特徴とするコンテンツ情報放送装置。
【請求項８】
(i)放送装置から順次放送される、複数のコンテンツ情報の識別情報を、放送受信手段を用いて、受信し得るようになされ、
(ii)上記複数のコンテンツ情報の識別情報を受信すれば、それに基づき、その複数のコンテンツ情報の識別情報を、識別情報蓄積手段に順次蓄積し得るようになされ、
(ii)′上記複数の識別情報を蓄積すれば、それに基づき、その蓄積された複数の識別情報を適時読み出し、その読み出した複数の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(iii)上記予定数の識別情報を表示し、その表示した予定数の識別情報中から、一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、
(iii)′上記予定数の識別情報を表示し、その表示した予定数の識別情報中から、一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し得るようになされ、
(iv)上記コンテンツ情報購入要求情報または上記コンテンツ情報所望要求情報を生成すれば、それに基づき、そのコンテンツ情報購入要求情報または上記コンテンツ情報所望要求情報を、送受信手段の送信部によって、上記放送装置に向け、送信し得るようになされ、
(v)放送装置が上記コンテンツ情報購入要求情報を上記受信したことに基づき当該放送装置の送受信手段の送信部から送信されまたは放送手段から放送される、上記複数の識別情報付コンテンツ情報中の上記コンテンツ情報購入要求情報の購入希望コンテンツ情報識別情報が表しているコンテンツ情報である販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し得るようになされ、
(v)′当該受信装置が上記コンテンツ情報所望要求情報を送信することによって、上記放送装置が上記コンテンツ情報所望要求情報を、当該放送装置の送受信手段の受信部によって受信したことに基づき、当該放送装置の送受信手段の送信部から送信されまたは放送手段から放送される、上記複数のコンテンツ情報中の上記コンテンツ情報所望要求情報の所望希望コンテンツ情報識別情報が表しているコンテンツ情報である提供コンテンツ情報を所望コンテンツ情報として、上記所望コンテンツ情報が上記放送装置の送受信手段の送信部によって送信されたか放送手段によって放送されたかに応じて、当該受信装置の送受信手段の受信部によってまたは放送受信手段によって、受信し得るようになされ、
(vi)上記購入コンテンツ情報または所望コンテンツ情報を受信すれば、それに基づき、その購入コンテンツ情報または所望コンテンツ情報を、コンテンツ情報蓄積手段に蓄積し得るようになされていることを特徴とするコンテンツ情報受信装置。
【請求項９】
(i)放送装置から、複数のコンテンツ情報を、それら複数のコンテンツ情報の識別情報とともに、複数の識別情報付コンテンツ情報として、放送手段を用いて、受信装置に向け、順次放送し、
(ii)上記受信装置が、上記放送装置から順次放送される複数の識別情報付コンテンツ情報を、放送受信手段を用いて、受信し、
(iii)上記複数の識別情報付コンテンツ情報を受信した受信装置において、上記受信した複数の識別情報付コンテンツ情報を、それらがそれらのコンテンツ情報について後記購入所望コンテンツ情報読出手段によって読み出される以外読み出されないように蓄積する識別情報付コンテンツ情報蓄積手段に順次蓄積し、
(iii)′上記複数の識別情報付コンテンツ情報を蓄積した受信装置において、上記識別情報付コンテンツ情報蓄積手段から、それに蓄積された複数の識別情報付コンテンツ情報の識別情報を適時順次読み出し、その読み出した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、
(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、
(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、
(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(vii)′上記コンテンツ情報購入要求情報または上記コンテンツ情報所望要求情報を受信した上記放送装置において、上記コンテンツ情報所望要求情報を受信すれば、上記コンテンツ情報購入所望情報を受信したことに基づき、当該受信したコンテンツ情報所望要求情報の所望希望コンテンツ情報識別情報を有するコンテンツ情報所望許諾情報を、コンテンツ情報所望許諾情報生成手段によって、上記受信したコンテンツ情報所望要求情報の所望希望コンテンツ情報識別情報を用いて、生成し、そのコンテンツ情報所望許諾情報を、当該放送装置の送受信手段の送信部または放送手段によって、上記受信したコンテンツ情報所望要求情報の受信装置表示情報を用いて、上記コンテンツ情報所望要求情報を送信した受信装置に向け、送信または放送し、
(viii) 上記コンテンツ情報購入要求情報または上記コンテンツ情報所望要求情報を送信した受信装置が、上記放送装置から送信されまたは放送されたコンテンツ情報販売許諾情報またはコンテンツ情報所望許諾情報を、上記コンテンツ情報販売許諾情報またはコンテンツ情報所望許諾情報が上記放送装置の送受信手段の送信部によって送信されたか放送手段によって放送されたかに応じて、当該受信装置の送受信手段の受信部によってまたは放送受信手段によって、受信し、
(ix)上記コンテンツ情報販売許諾情報またはコンテンツ情報所望許諾情報を受信した受信装置において、上記コンテンツ情報販売許諾情報を受信した場合、上記コンテンツ情報販売許諾情報を受信したことに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し、
(ix)′ 上記コンテンツ情報販売許諾情報またはコンテンツ情報所望許諾情報を受信した受信装置において、上記コンテンツ情報所望許諾情報を受信した場合、上記コンテンツ情報所望許諾情報を受信したことに基づき、上記識別情報付コンテンツ情報蓄積手段から、それに蓄積されている上記複数の識別情報付コンテンツ情報中の上記コンテンツ情報所望許諾情報の購入希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積することを特徴とするコンテンツ情報放送・受信システム。
【請求項１０】
(i)放送装置から順次放送される、複数のコンテンツ情報とそれら複数のコンテンツ情報の識別情報とを有する複数の識別情報付コンテンツ情報を、放送受信手段を用いて、受信し得るようになされ、
(ii)上記複数の識別情報付コンテンツ情報を受信すれば、それに基づき、その複数の識別情報付コンテンツ情報を、後記購入所望コンテンツ情報読出手段によって読み出される以外読み出されないように蓄積する識別情報付コンテンツ情報蓄積手段に順次蓄積し得るようになされ、
(ii)′上記複数の識別情報付コンテンツ情報を蓄積すれば、それに基づき、その蓄積された複数の識別情報付コンテンツ情報の識別情報を適時読み出し、その読み出した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、
(iii)′上記予定数の識別情報を表示し、その表示した予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し得るようになされ、
(iv)上記コンテンツ情報購入要求情報または上記コンテンツ情報所望要求情報を生成すれば、それに基づき、そのコンテンツ情報購入要求情報または上記コンテンツ情報所望要求情報を、送受信手段の送信部によって、上記放送装置に向け、送信し得るようになされ、
(v)当該受信装置が上記コンテンツ情報購入要求情報または上記コンテンツ情報所望要求情報を送信することによって、上記放送装置が上記コンテンツ情報購入要求情報を受信すれば、それに基づき、当該放送装置の送受信手段の送信部から送信されるまたは放送手段から放送される、上記複数の識別情報付コンテンツ情報中の上記コンテンツ情報購入要求情報の購入希望コンテンツ情報識別情報を有するコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し得るようになされ、
(v)′当該受信装置が上記コンテンツ情報購入要求情報または上記コンテンツ情報所望要求情報を送信することによって、上記放送装置が上記コンテンツ情報所望要求情報を受信すれば、それに基づき、当該放送装置の送受信手段の送信部から送信されるまたは放送手段から放送される、上記複数の識別情報付コンテンツ情報中の上記コンテンツ情報所望要求情報の所望希望コンテンツ情報識別情報を有するコンテンツ情報所望許諾情報を、上記コンテンツ情報所望許諾情報が上記放送装置の送受信手段の送信部によって送信されたか放送手段によって放送されたかに応じて、当該受信装置の送受信手段の受信部によってまたは放送受信手段によって、受信し得るようになされ、
(vi)上記コンテンツ情報販売許諾情報を受信すれば、それに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し得るようになされ、
(vi)′上記コンテンツ情報所望許諾情報を受信すれば、それに基づき、上記識別情報付コンテンツ情報蓄積手段から、それに蓄積されている上記複数の識別情報付コンテンツ情報中の上記コンテンツ情報所望許諾情報の所望希望コンテンツ情報識別情報が表しているコンテンツ情報を、所望コンテンツ情報として、購入所望コンテンツ情報読出手段によって、上記コンテンツ情報販所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した所望コンテンツ情報を、購入所望コンテンツ情報蓄積手段に蓄積し得るようになされていることを特徴とするコンテンツ情報受信装置。
【請求項１１】
(i)放送装置において、複数のコンテンツ情報から、それらをそれぞれノイズを混入して質劣化させている複数の質劣化コンテンツ情報を、質劣化コンテンツ情報生成手段によって、上記複数のコンテンツ情報にそれぞれ再生可能な状態に生成し、
(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、
(i)″上記放送装置において、上記複数の質劣化コンテンツ情報に生成される前の上記複数のコンテンツ情報は、それらの上記質劣化コンテンツ情報の識別情報と同じ内容の複数のコンテンツ情報の識別情報とともに、複数の識別情報付コンテンツ情報として、識別情報付コンテンツ情報蓄積手段に蓄積されており、
(ii)上記受信装置が、上記放送装置から順次放送される複数の質劣化識別情報付コンテンツ情報を、放送受信手段を用いて、受信し、
(iii)上記複数の質劣化識別情報付コンテンツ情報を受信した受信装置において、上記受信した複数の質劣化識別情報付コンテンツ情報から、上記放送装置における上記複数の質劣化コンテンツ情報に生成される前の上記複数のコンテンツ情報を、コンテンツ情報再生手段によって、上記ノイズを除去して再生し、その再生された複数のコンテンツ情報を、コンテンツ情報表示手段によって、順次表示するとともに、上記受信した複数の質劣化識別情報付コンテンツ情報を、質劣化識別情報付コンテンツ情報蓄積手段に蓄積し、
(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、
(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、
(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、
(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、
(viii)上記コンテンツ情報購入要求情報または上記コンテンツ情報所望要求情報を送信した受信装置が、上記放送装置から送信されまたは放送された上記販売コンテンツ情報または提供コンテンツ情報を、購入コンテンツ情報または所望コンテンツ情報として、上記販売コンテンツ情報または上記提供コンテンツ情報が上記放送装置の送受信手段の送信部によって送信されたか放送手段によって放送されたかに応じて、当該受信装置の送受信手段の受信部によってまたは放送受信手段によって、受信し、
(ix)上記販売コンテンツ情報または上記提供コンテンツ情報を受信した受信装置において、上記受信した販売コンテンツ情報または提供コンテンツ情報を、購入コンテンツ情報または所望コンテンツ情報としてコンテンツ情報蓄積手段に蓄積することを特徴とするコンテンツ情報放送・受信システム。
【請求項１２】
(i)放送装置において、複数のコンテンツ情報から、それらをそれぞれノイズを混入して質劣化させている複数の質劣化コンテンツ情報を、質劣化コンテンツ情報生成手段によって、上記複数のコンテンツ情報にそれぞれ再生可能な状態に生成し、
(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、
(i)″上記放送装置において、上記複数の質劣化コンテンツ情報に生成される前の上記複数のコンテンツ情報は、それらの上記質劣化コンテンツ情報の識別情報と同じ内容の複数のコンテンツ情報の識別情報とともに、複数の識別情報付コンテンツ情報として、識別情報付コンテンツ情報蓄積手段に蓄積されており、
(ii)上記受信装置が、上記放送装置から順次放送される複数の質劣化識別情報付コンテンツ情報を、放送受信手段を用いて、受信し、
(iii)上記複数の質劣化識別情報付コンテンツ情報を受信した受信装置において、上記受信した複数の質劣化識別情報付コンテンツ情報を、質劣化識別情報付コンテンツ情報蓄積手段に蓄積し、且つ上記受信した複数の質劣化識別情報付コンテンツ情報の質劣化コンテンツ情報から、上記放送装置における上記複数の質劣化コンテンツ情報に生成される前の上記複数のコンテンツ情報を、コンテンツ情報再生手段によって、上記ノイズを除去して再生し、その再生された複数のコンテンツ情報を、コンテンツ情報表示手段によって、順次表示し、且つ上記受信した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、上記識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、
(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、
(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、
(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、
(viii)上記コンテンツ情報購入要求情報または上記コンテンツ情報所望要求情報を送信した受信装置が、上記放送装置から送信されまたは放送された上記販売コンテンツ情報または提供コンテンツ情報を、購入コンテンツ情報または所望コンテンツ情報として、上記販売コンテンツ情報または上記提供コンテンツ情報が上記放送装置の送受信手段の送信部によって送信されたか放送手段によって放送されたかに応じて、当該受信装置の送受信手段の受信部によってまたは放送受信手段によって、受信し、
(ix)上記販売コンテンツ情報または上記提供コンテンツ情報を受信した受信装置において、上記受信した販売コンテンツ情報または提供コンテンツ情報を、購入コンテンツ情報または所望コンテンツ情報としてコンテンツ情報蓄積手段に蓄積することを特徴とするコンテンツ情報放送・受信システム。
【請求項１３】
(i)放送装置において、複数のコンテンツ情報から、それらをそれぞれ質劣化させている複数の質劣化コンテンツ情報を、質劣化コンテンツ情報生成手段によって生成し、
(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、
(i)″上記放送装置において、上記複数の質劣化コンテンツ情報に生成される前の上記複数のコンテンツ情報は、それらの上記質劣化コンテンツ情報の識別情報と同じ内容の複数のコンテンツ情報の識別情報とともに、複数の識別情報付コンテンツ情報として、識別情報付コンテンツ情報蓄積手段に蓄積されており、
(ii)上記受信装置が、上記放送装置から順次放送される複数の質劣化識別情報付コンテンツ情報を、放送受信手段を用いて、受信し、
(iii)上記複数の質劣化識別情報付コンテンツ情報を受信した受信装置において、上記受信した複数の質劣化識別情報付コンテンツ情報を、質劣化識別情報付コンテンツ情報蓄積手段に蓄積し、
(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、
(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、
(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、
(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、
(viii)上記コンテンツ情報購入要求情報または上記コンテンツ情報所望要求情報を送信した受信装置が、上記放送装置から送信されまたは放送された上記販売コンテンツ情報または提供コンテンツ情報を、購入コンテンツ情報または所望コンテンツ情報として、上記販売コンテンツ情報または上記提供コンテンツ情報が上記放送装置の送受信手段の送信部によって送信されたか放送手段によって放送されたかに応じて、当該受信装置の送受信手段の受信部によってまたは放送受信手段によって、受信し、
(ix)上記販売コンテンツ情報または上記提供コンテンツ情報を受信した受信装置において、上記受信した販売コンテンツ情報または提供コンテンツ情報を、購入コンテンツ情報または所望コンテンツ情報としてコンテンツ情報蓄積手段に蓄積することを特徴とするコンテンツ情報放送・受信システム。
【請求項１４】
(i)放送装置において、複数のコンテンツ情報から、それらをそれぞれノイズを混入して質劣化させている複数の質劣化コンテンツ情報を、質劣化コンテンツ情報生成手段によって、上記複数のコンテンツ情報にそれぞれ再生可能な状態に生成し、
(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、
(ii)上記受信装置が、上記放送装置から順次放送される複数の質劣化識別情報付コンテンツ情報を、放送受信手段を用いて、受信し、
(iii)上記複数の質劣化識別情報付コンテンツ情報を受信した受信装置において、上記受信した複数の質劣化識別情報付コンテンツ情報から、上記放送装置における上記複数の質劣化コンテンツ情報に生成される前の上記複数のコンテンツ情報を、コンテンツ情報再生手段によって、上記ノイズを除去して再生し、その再生された複数のコンテンツ情報を、上記受信した複数の質劣化識別情報付コンテンツ情報の識別情報とともに、再生された複数の識別情報付コンテンツ情報として、それらがそれらのコンテンツ情報について後記購入所望コンテンツ情報読出手段によって読み出される以外読み出されないように蓄積する質劣化識別情報付コンテンツ情報蓄積手段に順次蓄積するとともに、上記再生された複数のコンテンツ情報を、コンテンツ情報表示手段によって、順次表示し、且つ上記受信した複数の質劣化識別情報付コンテンツ情報を、質劣化識別情報付コンテンツ情報蓄積手段に蓄積し、
(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、
(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、
(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、
(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、
(viii) 上記コンテンツ情報購入要求情報または上記コンテンツ情報所望要求情報を送信した受信装置が、上記放送装置から送信されまたは放送されたコンテンツ情報販売許諾情報またはコンテンツ情報所望許諾情報を、上記コンテンツ情報販売許諾情報またはコンテンツ情報所望許諾情報が上記放送装置の送受信手段の送信部によって送信されたか放送手段によって放送されたかに応じて、当該受信装置の送受信手段の受信部によってまたは放送受信手段によって、受信し、
(ix)上記コンテンツ情報販売許諾情報またはコンテンツ情報所望許諾情報を受信した受信装置において、上記コンテンツ情報販売許諾情報を受信した場合、上記コンテンツ情報販売許諾情報を受信したことに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し、
(ix)′ 上記コンテンツ情報販売許諾情報またはコンテンツ情報所望許諾情報を受信した受信装置において、上記コンテンツ情報所望許諾情報を受信した場合、上記コンテンツ情報所望許諾情報を受信したことに基づき、上記識別情報付コンテンツ情報蓄積手段から、それに蓄積されている上記複数の識別情報付コンテンツ情報中の上記コンテンツ情報所望許諾情報の購入希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積することを特徴とするコンテンツ情報放送・受信システム。
【請求項１５】
(i)放送装置において、複数のコンテンツ情報から、それらをそれぞれノイズを混入して質劣化させている複数の質劣化コンテンツ情報を、質劣化コンテンツ情報生成手段によって、上記複数のコンテンツ情報にそれぞれ再生可能な状態に生成し、
(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、
(ii)上記受信装置が、上記放送装置から順次放送される複数の質劣化識別情報付コンテンツ情報を、放送受信手段を用いて、受信し、
(iii)上記複数の質劣化識別情報付コンテンツ情報を受信した受信装置において、上記受信した複数の質劣化識別情報付コンテンツ情報を、質劣化識別情報付コンテンツ情報蓄積手段に蓄積し、且つ上記受信した複数の質劣化識別情報付コンテンツ情報から、上記放送装置における上記複数の質劣化コンテンツ情報に生成される前の上記複数のコンテンツ情報を、コンテンツ情報再生手段によって、上記ノイズを除去して再生し、その再生された複数のコンテンツ情報を、上記受信した複数の質劣化識別情報付コンテンツ情報の識別情報とともに、再生された複数の識別情報付コンテンツ情報として、それらがそれらのコンテンツ情報について後記購入所望コンテンツ情報読出手段によって読み出される以外読み出されないように蓄積する識別情報付コンテンツ情報蓄積手段に順次蓄積するとともに、上記再生された複数のコンテンツ情報を、コンテンツ情報表示手段によって、順次表示し、且つ上記受信した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、上記識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、
(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、
(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、
(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、
(viii)上記コンテンツ情報購入要求情報または上記コンテンツ情報所望要求情報を送信した受信装置が、上記放送装置から送信されまたは放送されたコンテンツ情報販売許諾情報またはコンテンツ情報所望許諾情報を、上記コンテンツ情報販売許諾情報またはコンテンツ情報所望許諾情報が上記放送装置の送受信手段の送信部によって送信されたか放送手段によって放送されたかに応じて、当該受信装置の送受信手段の受信部によってまたは放送受信手段によって、受信し、
(ix)上記コンテンツ情報販売許諾情報またはコンテンツ情報所望許諾情報を受信した受信装置において、上記コンテンツ情報販売許諾情報を受信した場合、上記コンテンツ情報販売許諾情報を受信したことに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し、
(ix)′ 上記コンテンツ情報販売許諾情報またはコンテンツ情報所望許諾情報を受信した受信装置において、上記コンテンツ情報所望許諾情報を受信した場合、上記コンテンツ情報所望許諾情報を受信したことに基づき、上記識別情報付コンテンツ情報蓄積手段から、それに蓄積されている上記複数の識別情報付コンテンツ情報中の上記コンテンツ情報所望許諾情報の購入希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積することを特徴とするコンテンツ情報放送・受信システム。 
【請求項１６】
(i)放送装置において、複数のコンテンツ情報から、それらをそれぞれノイズを混入して質劣化させている複数の質劣化コンテンツ情報を、質劣化コンテンツ情報生成手段によって、上記複数のコンテンツ情報にそれぞれ再生可能な状態に生成し、
(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、
(ii)上記受信装置が、上記放送装置から順次放送される複数の質劣化識別情報付コンテンツ情報を、放送受信手段を用いて、受信し、
(iii)上記複数の質劣化識別情報付コンテンツ情報を受信した受信装置において、上記受信した複数の質劣化識別情報付コンテンツ情報から、上記放送装置における上記複数の質劣化コンテンツ情報に生成される前の上記複数のコンテンツ情報を、コンテンツ情報再生手段によって、上記ノイズを除去して再生し、その再生された複数のコンテンツ情報を、上記受信した複数の質劣化識別情報付コンテンツ情報の識別情報とともに、再生された複数の識別情報付コンテンツ情報として、それらがそれらのコンテンツ情報について後記購入所望コンテンツ情報読出手段によって読み出される以外読み出されないように蓄積する識別情報付コンテンツ情報蓄積手段に順次蓄積し、且つ上記受信した複数の質劣化識別情報付コンテンツ情報を、質劣化識別情報付コンテンツ情報蓄積手段に蓄積し、
(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、
(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、
(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、
(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、
(viii) 上記コンテンツ情報購入要求情報または上記コンテンツ情報所望要求情報を送信した受信装置が、上記放送装置から送信されまたは放送されたコンテンツ情報販売許諾情報またはコンテンツ情報所望許諾情報を、上記コンテンツ情報販売許諾情報またはコンテンツ情報所望許諾情報が上記放送装置の送受信手段の送信部によって送信されたか放送手段によって放送されたかに応じて、当該受信装置の送受信手段の受信部によってまたは放送受信手段によって、受信し、
(ix)上記コンテンツ情報販売許諾情報またはコンテンツ情報所望許諾情報を受信した受信装置において、上記コンテンツ情報販売許諾情報を受信した場合、上記コンテンツ情報販売許諾情報を受信したことに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し、
(ix)′ 上記コンテンツ情報販売許諾情報またはコンテンツ情報所望許諾情報を受信した受信装置において、上記コンテンツ情報所望許諾情報を受信した場合、上記コンテンツ情報所望許諾情報を受信したことに基づき、上記識別情報付コンテンツ情報蓄積手段から、それに蓄積されている上記複数の識別情報付コンテンツ情報中の上記コンテンツ情報所望許諾情報の購入希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積することを特徴とするコンテンツ情報放送・受信システム。
【請求項１７】
(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、
(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、
(i)″上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、
(ii)上記受信装置が、上記放送装置から順次放送される複数の付加情報付コンテンツ情報を、放送受信手段を用いて、受信し、
(iii)上記複数の付加情報付コンテンツ情報を受信した受信装置において、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の表示不能識別情報付コンテンツ情報を、表示不能識別情報付コンテンツ情報蓄積手段に蓄積し、
(iii)′上記複数の表示不能識別情報付コンテンツ情報を蓄積した、上記表示不能識別情報付コンテンツ情報蓄積手段から、それに蓄積された複数の表示不能識別情報付コンテンツ情報の識別情報を、コンテンツ情報読出手段によって、適時順次読み出し、その読み出した複数の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(v)上記コンテンツ情報購入要求情報を生成した受信装置から、上記コンテンツ情報購入要求情報を、当該受信装置の送受信手段の送信部によって、上記放送装置に向け、送信し、
(vi)上記放送装置が、上記コンテンツ情報購入要求情報を送信した受信装置から送信されたコンテンツ情報購入要求情報を、当該放送装置の送受信手段の受信部によって、受信し、
(vii)上記放送装置において、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、
(ix) 上記コンテンツ情報販売許諾情報を受信した受信装置において、上記コンテンツ情報販売許諾情報を受信したことに基づき、上記表示不能識別情報付コンテンツ情報蓄積手段に蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報から、上記放送装置における表示不能コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記表示不能識別情報付コンテンツ情報蓄積手段に蓄積するかの一又はそれらの組み合わせで構成されることを、特徴とするコンテンツ情報放送・受信システム。
【請求項１８】
(i)複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、上記複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、且つ上記複数のコンテンツ情報を、それら複数のコンテンツ情報の識別情報とともに、複数の識別情報付コンテンツ情報となされ、
(i)′上記複数の識別情報付コンテンツ情報を、上記複数の表示不能識別情報付コンテンツ情報とともに、複数の付加情報付コンテンツ情報として、放送手段によって、受信装置へ向け、順次放送するようになされ、
(ii)当該放送装置が上記複数の付加情報付コンテンツ情報を順次放送することによって上記受信装置が、上記複数の付加情報付コンテンツ情報を、受信し、上記受信した複数の付加情報付コンテンツ情報の表示不能識別情報付コンテンツ情報を、当該受信装置の表示不能識別情報付コンテンツ情報蓄積手段に蓄積し、上記表示不能識別情報付コンテンツ情報蓄積手段からそれに蓄積された表示不能識別情報付コンテンツ情報の識別情報を適時順次読み出したことに基づき、当該受信装置からその送受信手段の送信部によって送信される、当該受信装置を表している受信装置表示情報と当該受信装置が上記表示不能識別情報付コンテンツ情報蓄積手段から読み出した複数の表示不能識別情報付コンテンツ情報の識別情報中から選択された一の識別情報である購入したいコンテンツ情報の識別情報(以下購入希望コンテンツ情報識別情報という)とを有するコンテンツ情報購入要求情報を、当該放送装置の送受信手段の受信部によって、受信し得るようになされ、
(iii)上記コンテンツ情報購入要求情報を受信すれば、それに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、その生成したコンテンツ情報販売許諾情報を、上記送受信手段の送信部または上記放送手段によって、上記受信したコンテンツ情報購入要求情報の受信装置表示情報を用いて、上記コンテンツ情報購入要求情報を送信した受信装置に向け、そのコンテンツ情報販売許諾情報によって上記受信装置の表示不能識別情報付コンテンツ情報蓄積手段に蓄積されている複数の表示不能識別情報付コンテンツ情報中の上記コンテンツ情報販売許諾情報の購入希望コンテンツ情報識別情報が表している表示不能コンテンツ情報が読み出され、その読み出された表示不能コンテンツ情報が購入コンテンツ情報として上記ノイズを除去して再生され、その再生された購入コンテンツ情報をコンテンツ情報表示手段によって表示するか又は上記表示不能識別情報付コンテンツ情報蓄積手段に蓄積するかの一又はそれらの組み合わせで構成され得べく、送信または放送し得るようになされていることを特徴とするコンテンツ情報放送装置。
【請求項１９】
(i)放送装置において、複数のコンテンツ情報をそれぞれノイズを混入して表示しようとしても表示不可にさせているまたは表示してもその表示からは内容の把握が充分にできない内容把握不可にさせている複数の表示不能コンテンツ情報を、それら複数の表示不能コンテンツ情報に生成する前の上記複数のコンテンツ情報の識別情報と同じ内容の複数の表示不能コンテンツ情報の識別情報とともに複数の表示不能識別情報付コンテンツ情報とし、且つ上記複数のコンテンツ情報を、それら複数のコンテンツ情報の識別情報とともに、複数の識別情報付コンテンツ情報となされ、
(i)′放送装置から順次放送される、上記複数の識別情報付コンテンツ情報と上記複数の表示不能識別情報付コンテンツ情報とを有する複数の付加情報付コンテンツ情報を、放送受信手段を用いて、受信し得るようになされ、
(ii)上記複数の付加情報付コンテンツ情報を受信すれば、それに基づき、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の表示不能識別情報付コンテンツ情報を、表示不能識別情報付コンテンツ情報蓄積手段に蓄積し得るようになされ、
(ii)′上記複数の表示不能識別情報付コンテンツ情報を蓄積すれば、それに基づき、その蓄積された複数の表示不能識別情報付コンテンツ情報の識別情報を適時読み出し、その読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、
(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、
(v)当該受信装置が上記コンテンツ情報購入要求情報を送信することによって、上記放送装置が、上記コンテンツ情報購入要求情報を、当該放送装置の送受信手段の受信部によって受信したことに基づき、上記放送装置からその上記送受信手段の送信部または上記放送手段によって当該受信装置に向け送信される、上記放送装置が受信したコンテンツ情報購入要求情報の購入希望コンテンツ情報識別情報を有するコンテンツ情報販売許諾情報を、当該受信装置の送受信手段の受信部によってまたは放送受信手段によって、受信し得るようになされ、
(vi)上記コンテンツ情報販売許諾情報を受信すれば、それに基づき、上記表示不能識別情報付コンテンツ情報蓄積手段から、それに蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報を、購入コンテンツ情報として、購入コンテンツ情報再生手段によって、上記ノイズを除去して再生し、その再生した購入コンテンツ情報を、コンテンツ情報表示手段によって表示するか又は上記表示不能識別情報付コンテンツ情報蓄積手段に蓄積するかの一又はそれらの組み合わせで構成され得るようになされていることを特徴とするコンテンツ情報受信装置。
【請求項２０】
(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、
(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、
(i)″上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、
(ii)上記受信装置が、上記放送装置から順次放送される複数の付加情報付コンテンツ情報を、放送受信手段を用いて、受信し、
(iii)上記複数の付加情報付コンテンツ情報を受信した受信装置において、上記受信した複数の付加情報付コンテンツ情報の表示不能識別情報付コンテンツ情報を、表示不能識別情報付コンテンツ情報蓄積手段に蓄積し、且つ上記受信した複数の付加情報付コンテンツ情報の識別情報付コンテンツ情報から、上記複数のコンテンツ情報を、コンテンツ情報表示手段によって、順次表示し、且つ上記複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(v)上記コンテンツ情報購入要求情報を生成した受信装置から、上記コンテンツ情報購入要求情報を、当該受信装置の送受信手段の送信部によって、上記放送装置に向け、送信し、
(vi)上記放送装置が、上記コンテンツ情報購入要求情報を送信した受信装置から送信されたコンテンツ情報購入要求情報を、当該放送装置の送受信手段の受信部によって、受信し、
(vii)上記放送装置において、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、
(ix) 上記コンテンツ情報販売許諾情報を受信した受信装置において、上記コンテンツ情報販売許諾情報を受信したことに基づき、上記表示不能識別情報付コンテンツ情報蓄積手段に蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報から、上記放送装置における表示不能コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記表示不能識別情報付コンテンツ情報蓄積手段に蓄積するかの一又はそれらの組み合わせで構成されることを、特徴とするコンテンツ情報放送・受信システム。
【請求項２１】
(i)放送装置において、複数のコンテンツ情報をそれぞれノイズを混入して表示しようとしても表示不可にさせているまたは表示してもその表示からは内容の把握が充分にできない内容把握不可にさせている複数の表示不能コンテンツ情報を、それら複数の表示不能コンテンツ情報に生成する前の上記複数のコンテンツ情報の識別情報と同じ内容の複数の表示不能コンテンツ情報の識別情報とともに複数の表示不能識別情報付コンテンツ情報とし、且つ上記複数のコンテンツ情報を、それら複数のコンテンツ情報の識別情報とともに、複数の識別情報付コンテンツ情報となされ、
(i)′放送装置から順次放送される、上記複数の識別情報付コンテンツ情報と上記複数の表示不能識別情報付コンテンツ情報とを有する複数の付加情報付コンテンツ情報を、放送受信手段を用いて、受信し得るようになされ、
(ii) 上記複数の付加情報付コンテンツ情報を受信すれば、それに基づき、その上記複数の付加情報付コンテンツ情報中の複数の表示不能識別情報付コンテンツ情報を、表示不能識別情報付コンテンツ情報蓄積手段に順次蓄積し得るようになされ、
(ii)′上記複数の表示不能識別情報付コンテンツ情報を蓄積すれば、それに基づき、その蓄積された複数の表示不能識別情報付コンテンツ情報の識別情報を適時読み出し、その読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、
(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、
(v)当該受信装置が上記コンテンツ情報購入要求情報を送信することによって、上記放送装置が、上記コンテンツ情報購入要求情報を、当該放送装置の送受信手段の受信部によって受信したことに基づき、上記放送装置からその上記送受信手段の送信部または上記放送手段によって当該受信装置に向け送信される、上記放送装置が受信したコンテンツ情報購入要求情報の購入希望コンテンツ情報識別情報を有するコンテンツ情報販売許諾情報を、当該受信装置の送受信手段の受信部によってまたは放送受信手段によって、受信し得るようになされ、
(vi)上記コンテンツ情報販売許諾情報を受信すれば、それに基づき、上記表示不能識別情報付コンテンツ情報蓄積手段から、それに蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報を、購入コンテンツ情報として、購入コンテンツ情報再生手段によって、上記ノイズを除去して再生し、その再生した購入コンテンツ情報を、コンテンツ情報表示手段によって表示するか又は上記表示不能識別情報付コンテンツ情報蓄積手段に蓄積するかの一又はそれらの組み合わせで構成され得るようになされていることを特徴とするコンテンツ情報受信装置。
【請求項２２】
(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、
(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、
(i)″上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、
(ii)上記受信装置が、上記放送装置から順次放送される複数の付加情報付コンテンツ情報を、放送受信手段を用いて、受信し、
(iii)上記複数の付加情報付コンテンツ情報を受信した受信装置において、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の表示不能識別情報付コンテンツ情報を、表示不能識別情報付コンテンツ情報蓄積手段に蓄積し、
(iii)′上記複数の表示不能識別情報付コンテンツ情報を蓄積した受信装置において、上記表示不能識別情報付コンテンツ情報蓄積手段から、それに蓄積された上記複数の表示不能識別情報付コンテンツ情報を、コンテンツ情報読出手段によって、適時順次読み出し、その読み出した複数の表示不能識別情報付コンテンツ情報の表示不能コンテンツ情報を、コンテンツ情報表示手段によって、順次表示し、且つ上記読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(v)上記コンテンツ情報購入要求情報を生成した受信装置から、上記コンテンツ情報購入要求情報を、当該受信装置の送受信手段の送信部によって、上記放送装置に向け、送信し、
(vi)上記放送装置が、上記コンテンツ情報購入要求情報を送信した受信装置から送信されたコンテンツ情報購入要求情報を、当該放送装置の送受信手段の受信部によって、受信し、
(vii)上記放送装置において、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、
(ix) 上記コンテンツ情報販売許諾情報を受信した受信装置において、上記コンテンツ情報販売許諾情報を受信したことに基づき、上記表示不能識別情報付コンテンツ情報蓄積手段に蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報から、上記放送装置における表示不能コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記表示不能識別情報付コンテンツ情報蓄積手段に蓄積するかの一又はそれらの組み合わせで構成されることを、特徴とするコンテンツ情報放送・受信システム。
【請求項２３】
(i)放送装置において、複数のコンテンツ情報をそれぞれノイズを混入して表示しようとしても表示不可にさせているまたは表示してもその表示からは内容の把握が充分にできない内容把握不可にさせている複数の表示不能コンテンツ情報を、それら複数の表示不能コンテンツ情報に生成する前の上記複数のコンテンツ情報の識別情報と同じ内容の複数の表示不能コンテンツ情報の識別情報とともに複数の表示不能識別情報付コンテンツ情報とし、且つ上記複数のコンテンツ情報を、それら複数のコンテンツ情報の識別情報とともに、複数の識別情報付コンテンツ情報となされ、
(i)′放送装置から順次放送される、上記複数の識別情報付コンテンツ情報と上記複数の表示不能識別情報付コンテンツ情報とを有する複数の付加情報付コンテンツ情報を、放送受信手段を用いて、受信し得るようになされ、
(ii)上記複数の付加情報付コンテンツ情報を受信すれば、それに基づき、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の表示不能識別情報付コンテンツ情報を、表示不能識別情報付コンテンツ情報蓄積手段に蓄積し得るようになされ、
(ii)′上記複数の表示不能識別情報付コンテンツ情報を蓄積すれば、それに基づき、その蓄積された上記複数の表示不能識別情報付コンテンツ情報を、コンテンツ情報読出手段によって、適時順次読み出し、その読み出した複数の表示不能識別情報付コンテンツ情報の表示不能コンテンツ情報を、コンテンツ情報表示手段によって、順次表示し、且つその読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、
(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、
(v)当該受信装置が上記コンテンツ情報購入要求情報を送信することによって、上記放送装置が、上記コンテンツ情報購入要求情報を、当該放送装置の送受信手段の受信部によって受信したことに基づき、上記放送装置からその上記送受信手段の送信部または上記放送手段によって当該受信装置に向け送信される、上記放送装置が受信したコンテンツ情報購入要求情報の購入希望コンテンツ情報識別情報を有するコンテンツ情報販売許諾情報を、当該受信装置の送受信手段の受信部によってまたは放送受信手段によって、受信し得るようになされ、
(vi)上記コンテンツ情報販売許諾情報を受信すれば、それに基づき、上記表示不能識別情報付コンテンツ情報蓄積手段から、それに蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報を、購入コンテンツ情報として、購入コンテンツ情報再生手段によって、上記ノイズを除去して再生し、その再生した購入コンテンツ情報を、コンテンツ情報表示手段によって表示するか又は上記表示不能識別情報付コンテンツ情報蓄積手段に蓄積するかの一又はそれらの組み合わせで構成され得るようになされていることを特徴とするコンテンツ情報受信装置。
【請求項２４】
(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、
(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、
(i)′′上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、
(ii)上記受信装置が、上記放送装置から順次放送される複数の付加情報付コンテンツ情報を、放送受信手段を用いて、受信し、
(iii)上記複数の付加情報付コンテンツ情報を受信した受信装置において、上記受信した複数の付加情報付コンテンツ情報の表示不能識別情報付コンテンツ情報を、表示不能識別情報付コンテンツ情報蓄積手段に蓄積し、且つ上記受信した複数の付加情報付コンテンツ情報の識別情報付コンテンツ情報から、上記複数のコンテンツ情報を、コンテンツ情報表示手段によって、順次表示し、且つ上記複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iii)′上記複数の表示不能識別情報付コンテンツ情報を蓄積した受信装置において、上記表示不能識別情報付コンテンツ情報蓄積手段から、それに蓄積された上記複数の表示不能識別情報付コンテンツ情報を、コンテンツ情報読出手段によって、適時順次読み出し、その読み出した複数の表示不能識別情報付コンテンツ情報の表示不能コンテンツ情報を、コンテンツ情報表示手段によって、順次表示し、且つ上記読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(v)上記コンテンツ情報購入要求情報を生成した受信装置から、上記コンテンツ情報購入要求情報を、当該受信装置の送受信手段の送信部によって、上記放送装置に向け、送信し、
(vi)上記放送装置が、上記コンテンツ情報購入要求情報を送信した受信装置から送信されたコンテンツ情報購入要求情報を、当該放送装置の送受信手段の受信部によって、受信し、
(vii)上記放送装置において、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、
(ix) 上記コンテンツ情報販売許諾情報を受信した受信装置において、上記コンテンツ情報販売許諾情報を受信したことに基づき、上記表示不能識別情報付コンテンツ情報蓄積手段に蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報から、上記放送装置における表示不能コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記表示不能識別情報付コンテンツ情報蓄積手段に蓄積するかの一又はそれらの組み合わせで構成されることを、特徴とするコンテンツ情報放送・受信システム。
【請求項２５】
(i)放送装置において、複数のコンテンツ情報をそれぞれノイズを混入して表示しようとしても表示不可にさせているまたは表示してもその表示からは内容の把握が充分にできない内容把握不可にさせている複数の表示不能コンテンツ情報を、それら複数の表示不能コンテンツ情報に生成する前の上記複数のコンテンツ情報の識別情報と同じ内容の複数の表示不能コンテンツ情報の識別情報とともに複数の表示不能識別情報付コンテンツ情報とし、且つ上記複数のコンテンツ情報を、それら複数のコンテンツ情報の識別情報とともに、複数の識別情報付コンテンツ情報となされ、
(i)′放送装置から順次放送される、上記複数の識別情報付コンテンツ情報と上記複数の表示不能識別情報付コンテンツ情報とを有する複数の付加情報付コンテンツ情報を、放送受信手段を用いて、受信し得るようになされ、
(ii)上記複数の付加情報付コンテンツ情報を受信すれば、それに基づき、上記受信した複数の付加情報付コンテンツ情報の表示不能識別情報付コンテンツ情報を、表示不能識別情報付コンテンツ情報蓄積手段に蓄積するとともに、上記受信した複数の付加情報付コンテンツ情報の識別情報付コンテンツ情報から、上記複数のコンテンツ情報を、コンテンツ情報表示手段によって、順次表示し、且つ上記受信した複数の付加情報付コンテンツ情報の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(ii)′上記複数の表示不能識別情報付コンテンツ情報を蓄積すれば、それに基づき、その蓄積された上記複数の表示不能識別情報付コンテンツ情報を、コンテンツ情報読出手段によって、適時順次読み出し、その読み出した複数の表示不能識別情報付コンテンツ情報の表示不能コンテンツ情報を、コンテンツ情報表示手段によって、順次表示し、且つその読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、
(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、
(v)当該受信装置が上記コンテンツ情報購入要求情報を送信することによって、上記放送装置が、上記コンテンツ情報購入要求情報を、当該放送装置の送受信手段の受信部によって受信したことに基づき、上記放送装置からその上記送受信手段の送信部または上記放送手段によって当該受信装置に向け送信される、上記放送装置が受信したコンテンツ情報購入要求情報の購入希望コンテンツ情報識別情報を有するコンテンツ情報販売許諾情報を、当該受信装置の送受信手段の受信部によってまたは放送受信手段によって、受信し得るようになされ、
(vi)上記コンテンツ情報販売許諾情報を受信すれば、それに基づき、上記表示不能識別情報付コンテンツ情報蓄積手段から、それに蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報を、購入コンテンツ情報として、購入コンテンツ情報再生手段によって、上記ノイズを除去して再生し、その再生した購入コンテンツ情報を、コンテンツ情報表示手段によって表示するか又は上記表示不能識別情報付コンテンツ情報蓄積手段に蓄積するかの一又はそれらの組み合わせで構成され得るようになされていることを特徴とするコンテンツ情報受信装置。
【請求項２６】
(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、生成し、
(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、
(i)″上記放送装置において、上記複数の識別情報付コンテンツ情報は、識別情報付コンテンツ情報蓄積手段に蓄積されており、
(i)″′上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、
(ii)上記受信装置が、上記放送装置から順次放送される複数の付加情報付コンテンツ情報を、放送受信手段を用いて、受信し、
(iii)上記複数の付加情報付コンテンツ情報を受信した受信装置において、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の表示不能識別情報付コンテンツ情報を、表示不能識別情報付コンテンツ情報蓄積手段に蓄積し、
(iii)′上記複数の表示不能識別情報付コンテンツ情報を蓄積した、上記表示不能識別情報付コンテンツ情報蓄積手段から、上記複数の表示不能識別情報付コンテンツ情報を、コンテンツ情報読出手段によって、適時順次読み出し、その読み出した複数の表示不能識別情報付コンテンツ情報の表示不能コンテンツ情報を、上記コンテンツ情報表示手段によって、順次表示し、且つ上記読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(v)上記コンテンツ情報購入要求情報を生成した受信装置から、上記コンテンツ情報購入要求情報を、当該受信装置の送受信手段の送信部によって、上記放送装置に向け、送信し、
(vi)上記放送装置が、上記コンテンツ情報購入要求情報を送信した受信装置から送信されたコンテンツ情報購入要求情報を、当該放送装置の送受信手段の受信部によって、受信し、
(vii)上記放送装置において、上記コンテンツ情報購入要求情報を受信したことに基づき、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(viii)上記コンテンツ情報購入要求情報を送信した受信装置が、上記放送装置から送信された販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し、
(ix)上記購入コンテンツ情報を受信した受信装置において、上記受信した購入コンテンツ情報を、購入コンテンツ情報蓄積手段に蓄積することを特徴とするコンテンツ情報放送・受信システム。
【請求項２７】
(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、生成し、
(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、
(i)″上記放送装置において、上記複数の識別情報付コンテンツ情報は、識別情報付コンテンツ情報蓄積手段に蓄積されており、
(i)″′上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、
(ii)上記受信装置が、上記放送装置から順次放送される複数の付加情報付コンテンツ情報を、放送受信手段を用いて、受信し、
(iii) 上記複数の付加情報を受信した受信装置において、上記受信した複数の付加情報付コンテンツ情報から、上記複数の表示不能識別情報付コンテンツ情報を、表示不能識別情報付コンテンツ情報蓄積手段に蓄積し、且つ上記受信した複数の付加情報付コンテンツ情報の識別情報付コンテンツ情報から、上記複数のコンテンツ情報を、コンテンツ情報表示手段によって、順次表示し、且つ上記複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iii)′上記複数の表示不能識別情報付コンテンツ情報を蓄積した、上記表示不能識別情報付コンテンツ情報蓄積手段から、上記複数の表示不能識別情報付コンテンツ情報を、コンテンツ情報読出手段によって、適時順次読み出し、その読み出した複数の表示不能識別情報付コンテンツ情報の表示不能コンテンツ情報を、上記コンテンツ情報表示手段によって、順次表示し、且つ上記読み出した複数の表示不能識別情報付コンテンツ情報の識別情報を、上記識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(v)上記コンテンツ情報購入要求情報を生成した受信装置から、上記コンテンツ情報購入要求情報を、当該受信装置の送受信手段の送信部によって、上記放送装置に向け、送信し、
(vi)上記放送装置が、上記コンテンツ情報購入要求情報を送信した受信装置から送信されたコンテンツ情報購入要求情報を、当該放送装置の送受信手段の受信部によって、受信し、
(vii)上記放送装置において、上記コンテンツ情報購入要求情報を受信したことに基づき、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(viii)上記コンテンツ情報購入要求情報を送信した受信装置が、上記放送装置から送信された販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し、
(ix)上記購入コンテンツ情報を受信した受信装置において、上記受信した購入コンテンツ情報を、購入コンテンツ情報蓄積手段に蓄積することを特徴とするコンテンツ情報放送・受信システム。
【請求項２８】
(i)複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、上記複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、且つ上記複数のコンテンツ情報を、それら複数のコンテンツ情報の識別情報とともに、複数の識別情報付コンテンツ情報となされ、
(i)′上記複数の識別情報付コンテンツ情報を、上記複数の表示不能識別情報付コンテンツ情報とともに、複数の付加情報付コンテンツ情報として、放送手段によって、受信装置へ向け、順次放送するようになされ、
(i)″上記複数の識別情報付コンテンツ情報は、当該放送装置の識別情報付コンテンツ情報蓄積手段に蓄積されているようになされ、
(ii)当該放送装置が上記複数の付加情報付コンテンツ情報を順次放送することによって上記受信装置が、上記複数の付加情報付コンテンツ情報を、受信し、上記受信した複数の付加情報付コンテンツ情報の表示不能識別情報付コンテンツ情報を、当該受信装置の表示不能識別情報付コンテンツ情報蓄積手段に蓄積し、上記表示不能識別情報付コンテンツ情報蓄積手段からそれに蓄積された表示不能識別情報付コンテンツ情報の識別情報を適時順次読み出したことに基づき、当該受信装置からその送受信手段の送信部によって送信される、当該受信装置を表している受信装置表示情報と当該受信装置が上記表示不能識別情報付コンテンツ情報蓄積手段から読み出した複数の表示不能識別情報付コンテンツ情報の識別情報中から選択された一の識別情報である購入したいコンテンツ情報の識別情報(以下購入希望コンテンツ情報識別情報という)とを有するコンテンツ情報購入要求情報、及び当該放送装置が上記複数の付加情報付コンテンツ情報を順次放送することによって上記受信装置が、上記複数の付加情報付コンテンツ情報を、受信したことに基づき、当該受信装置からその送受信手段の送信部によって送信される、当該受信装置を表している受信装置表示情報と上記複数の付加情報付コンテンツ情報の識別情報付コンテンツ情報の識別情報中から選択された一の識別情報である購入したいコンテンツ情報の識別情報(以下購入希望コンテンツ情報識別情報という)とを有するコンテンツ情報購入要求情報を、各別に、当該放送装置の送受信手段の受信部によって、受信し得るようになされ、
(iii)上記コンテンツ情報購入要求情報を受信すれば、それに基づき、当該放送装置の上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と当該放送装置の上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の上記送受信手段の送信部または上記放送手段によって、上記受信したコンテンツ情報購入要求情報の受信装置表示情報を用いて、上記コンテンツ情報購入要求情報を送信した受信装置に向け、当該受信装置の上記表示不能コンテンツ情報蓄積手段に蓄積され得べく、送信または放送し得るようになされていることを特徴とするコンテンツ情報放送装置。
【請求項２９】
(i)放送装置において、複数のコンテンツ情報をそれぞれノイズを混入して表示しようとしても表示不可にさせているまたは表示してもその表示からは内容の把握が充分にできない内容把握不可にさせている複数の表示不能コンテンツ情報を、それら複数の表示不能コンテンツ情報に生成する前の上記複数のコンテンツ情報の識別情報と同じ内容の複数の表示不能コンテンツ情報の識別情報とともに複数の表示不能識別情報付コンテンツ情報とし、且つ上記複数のコンテンツ情報を、それら複数のコンテンツ情報の識別情報とともに、複数の識別情報付コンテンツ情報となされ、
(i)′放送装置から順次放送される、上記複数の識別情報付コンテンツ情報と上記複数の表示不能識別情報付コンテンツ情報とを有する複数の付加情報付コンテンツ情報を、放送受信手段を用いて、受信し得るようになされ、
(ii)上記複数の付加情報付コンテンツ情報を受信すれば、それに基づき、上記受信した複数の付加情報付コンテンツ情報の表示不能識別情報付コンテンツ情報を、表示不能識別情報付コンテンツ情報蓄積手段に蓄積するとともに、上記受信した複数の付加情報付コンテンツ情報の識別情報付コンテンツ情報から、上記複数のコンテンツ情報を、コンテンツ情報表示手段によって、順次表示し、且つ上記受信した複数の付加情報付コンテンツ情報の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(ii)′上記複数の表示不能識別情報付コンテンツ情報を蓄積すれば、それに基づき、その蓄積された上記複数の表示不能識別情報付コンテンツ情報を、コンテンツ情報読出手段によって、適時順次読み出し、その読み出した複数の表示不能識別情報付コンテンツ情報の表示不能コンテンツ情報を、コンテンツ情報表示手段によって、順次表示し、且つその読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、
(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、
(v)当該受信装置が上記コンテンツ情報購入要求情報を送信することによって、上記放送装置が上記コンテンツ情報購入要求情報を受信したことに基づき、当該放送装置の送受信手段の送信部から送信されまたは放送手段から放送される、上記複数のコンテンツ情報中の上記コンテンツ情報購入要求情報の購入希望コンテンツ情報識別情報が表しているコンテンツ情報である販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し得るようになされ、
(vi)上記購入コンテンツ情報を受信すれば、それに基づき、その購入コンテンツ情報を、上記表示不能コンテンツ情報蓄積手段に蓄積し得るようになされていることを特徴とするコンテンツ情報受信装置。
【請求項３０】
(i)放送装置において、複数のコンテンツ情報から、それらをそれぞれノイズを混入して質劣化させている複数の質劣化コンテンツ情報を、質劣化コンテンツ情報生成手段によって、生成し、
(i)′上記放送装置において、上記複数の質劣化コンテンツ情報に生成される前の上記複数のコンテンツ情報を、それら複数のコンテンツ情報の識別情報とともに、複数の識別情報付コンテンツ情報とし、且つ上記生成された複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、
(i)″上記放送装置から、上記複数の識別情報付コンテンツ情報を、上記複数の質劣化識別情報付コンテンツ情報とともに、複数の付加情報付コンテンツ情報として放送手段によって、受信装置へ向け、順次放送し、
(ii)上記受信装置が、上記放送装置から順次放送される複数の付加情報付コンテンツ情報を、放送受信手段を用いて、受信し、
(iii)上記複数の付加情報付コンテンツ情報を受信した受信装置において、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の質劣化識別情報付コンテンツ情報を、質劣化識別情報付コンテンツ情報蓄積手段に蓄積し、
(iii)′上記複数の質劣化識別情報付コンテンツ情報を蓄積した、上記質劣化識別情報付コンテンツ情報蓄積手段から、上記複数の質劣化識別情報付コンテンツ情報を、コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(v)上記コンテンツ情報購入要求情報を生成した受信装置から、上記コンテンツ情報購入要求情報を、当該受信装置の送受信手段の送信部によって、上記放送装置に向け、送信し、
(vi)上記放送装置が、上記コンテンツ情報購入要求情報を送信した受信装置から送信されたコンテンツ情報購入要求情報を、当該放送装置の送受信手段の受信部によって、受信し、
(vii)上記放送装置において、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、
(ix) 上記コンテンツ情報販売許諾情報を受信した受信装置において、上記コンテンツ情報販売許諾情報を受信したことに基づき、上記質劣化識別情報付コンテンツ情報蓄積手段に蓄積されている上記複数の質劣化識別情報付コンテンツ情報中の上記コンテンツ情報販売許諾情報の購入希望コンテンツ情報識別情報が表している質劣化コンテンツ情報を、コンテンツ情報読出手段によって、上記コンテンツ情報販売許諾情報の購入希望コンテンツ情報識別情報と上記質劣化識別情報付コンテンツ情報蓄積手段に蓄積されている上記複数の質劣化識別情報付コンテンツ情報の識別情報とを用いて、読み出し、その読み出した質劣化コンテンツ情報から、上記放送装置における質劣化コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記質劣化識別情報付コンテンツ情報蓄積手段に蓄積するかの一又はそれらの組み合わせで構成されることを、特徴とするコンテンツ情報放送・受信システム。
【請求項３１】
(i)複数のコンテンツ情報から、それらをそれぞれノイズを混入して質劣化させている複数の質劣化コンテンツ情報を質劣化コンテンツ情報生成手段によって、生成し、上記複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、且つ上記複数のコンテンツ情報を、それら複数のコンテンツ情報の識別情報とともに、複数の識別情報付コンテンツ情報となされ、
(i)′上記複数の識別情報付コンテンツ情報を、上記複数の質劣化識別情報付コンテンツ情報とともに、複数の付加情報付コンテンツ情報として、放送手段によって、受信装置へ向け、順次放送するようになされ、
(ii)当該放送装置が上記複数の付加情報付コンテンツ情報を順次放送することによって上記受信装置が、上記複数の付加情報付コンテンツ情報を、受信し、上記受信した複数の付加情報付コンテンツ情報の質劣化識別情報付コンテンツ情報を、当該受信装置の質劣化識別情報付コンテンツ情報蓄積手段に蓄積し、上記質劣化識別情報付コンテンツ情報蓄積手段からそれに蓄積された質劣化識別情報付コンテンツ情報の識別情報を適時順次読み出したことに基づき、当該受信装置からその送受信手段の送信部によって送信される、当該受信装置を表している受信装置表示情報と当該受信装置が上記質劣化識別情報付コンテンツ情報蓄積手段から読み出した複数の質劣化識別情報付コンテンツ情報の識別情報中から選択された一の識別情報である購入したいコンテンツ情報の識別情報(以下購入希望コンテンツ情報識別情報という)とを有するコンテンツ情報購入要求情報を、当該放送装置の送受信手段の受信部によって、受信し得るようになされ、
(iii)上記コンテンツ情報購入要求情報を受信すれば、それに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、その生成したコンテンツ情報販売許諾情報を、上記送受信手段の送信部または上記放送手段によって、上記受信したコンテンツ情報購入要求情報の受信装置表示情報を用いて、上記コンテンツ情報購入要求情報を送信した受信装置に向け、そのコンテンツ情報販売許諾情報によって上記受信装置の質劣化識別情報付コンテンツ情報蓄積手段に蓄積されている複数の質劣化識別情報付コンテンツ情報中の上記コンテンツ情報販売許諾情報の購入希望コンテンツ情報識別情報が表している質劣化コンテンツ情報が読み出され、その読み出された質劣化コンテンツ情報が購入コンテンツ情報として上記ノイズを除去して再生され、その再生された購入コンテンツ情報をコンテンツ情報表示手段によって表示するか又は上記質劣化識別情報付コンテンツ情報蓄積手段に蓄積するかの一又はそれらの組み合わせで構成され得べく、送信または放送し得るようになされていることを特徴とするコンテンツ情報放送装置。
【請求項３２】
(i)放送装置において、複数のコンテンツ情報をそれぞれノイズを混入して質劣化させている複数の質劣化コンテンツ情報を、それら複数の質劣化コンテンツ情報に生成する前の上記複数のコンテンツ情報の識別情報と同じ内容の複数の質劣化コンテンツ情報の識別情報とともに複数の質劣化識別情報付コンテンツ情報とし、且つ上記複数のコンテンツ情報を、それら複数のコンテンツ情報の識別情報とともに、複数の識別情報付コンテンツ情報となされ、
(i)′放送装置から順次放送される、上記複数の識別情報付コンテンツ情報と上記複数の質劣化識別情報付コンテンツ情報とを有する複数の付加情報付コンテンツ情報を、放送受信手段を用いて、受信し得るようになされ、
(ii)上記複数の付加情報付コンテンツ情報を受信すれば、それに基づき、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の質劣化識別情報付コンテンツ情報を、質劣化識別情報付コンテンツ情報蓄積手段に蓄積し得るようになされ、
(ii)′上記複数の質劣化識別情報付コンテンツ情報を蓄積すれば、それに基づき、その蓄積された複数の質劣化識別情報付コンテンツ情報の識別情報を適時読み出し、その読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、
(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、
(v)当該受信装置が上記コンテンツ情報購入要求情報を送信することによって、上記放送装置が、上記コンテンツ情報購入要求情報を、当該放送装置の送受信手段の受信部によって受信したことに基づき、上記放送装置からその上記送受信手段の送信部または上記放送手段によって当該受信装置に向け送信される、上記放送装置が受信したコンテンツ情報購入要求情報の購入希望コンテンツ情報識別情報を有するコンテンツ情報販売許諾情報を、当該受信装置の送受信手段の受信部によってまたは放送受信手段によって、受信し得るようになされ、
(vi)上記コンテンツ情報販売許諾情報を受信すれば、それに基づき、上記質劣化識別情報付コンテンツ情報蓄積手段から、それに蓄積されている上記複数の質劣化識別情報付コンテンツ情報中の上記コンテンツ情報販売許諾情報の購入希望コンテンツ情報識別情報が表している質劣化コンテンツ情報を、コンテンツ情報読出手段によって、上記コンテンツ情報販売許諾情報の購入希望コンテンツ情報識別情報と上記質劣化識別情報付コンテンツ情報蓄積手段に蓄積されている上記複数の質劣化識別情報付コンテンツ情報の識別情報とを用いて、読み出し、その読み出した質劣化コンテンツ情報を、購入コンテンツ情報として、購入コンテンツ情報再生手段によって、上記ノイズを除去して再生し、その再生した購入コンテンツ情報を、コンテンツ情報表示手段によって表示するか又は上記質劣化識別情報付コンテンツ情報蓄積手段に蓄積するかの一又はそれらの組み合わせで構成され得るようになされていることを特徴とするコンテンツ情報受信装置。
【請求項３３】
(i)放送装置において、複数のコンテンツ情報から、それらをそれぞれノイズを混入して質劣化させている複数の質劣化コンテンツ情報を、質劣化コンテンツ情報生成手段によって、生成し、
(i)′上記放送装置において、上記複数の質劣化コンテンツ情報に生成される前の上記複数のコンテンツ情報を、それら複数のコンテンツ情報の識別情報とともに、複数の識別情報付コンテンツ情報とし、且つ上記生成された複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、
(i)″上記放送装置から、上記複数の識別情報付コンテンツ情報を、上記複数の質劣化識別情報付コンテンツ情報とともに、複数の付加情報付コンテンツ情報として放送手段によって、受信装置へ向け、順次放送し、
(ii)上記受信装置が、上記放送装置から順次放送される複数の付加情報付コンテンツ情報を、放送受信手段を用いて、受信し、
(iii) 上記複数の付加情報を受信した受信装置において、上記受信した複数の付加情報付コンテンツ情報から、上記複数の質劣化識別情報付コンテンツ情報を、質劣化識別情報付コンテンツ情報蓄積手段に蓄積し、且つ上記受信した複数の付加情報付コンテンツ情報の識別情報付コンテンツ情報から、上記複数のコンテンツ情報を、コンテンツ情報表示手段によって、順次表示し、且つ上記複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iii)′上記複数の質劣化識別情報付コンテンツ情報を蓄積した、上記質劣化識別情報付コンテンツ情報蓄積手段から、上記複数の質劣化識別情報付コンテンツ情報を、コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、上記識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iii)″上記複数の付加情報付コンテンツ情報の質劣化識別情報付コンテンツ情報を蓄積した、上記質劣化識別情報付コンテンツ情報蓄積手段から、上記複数の質劣化識別情報付コンテンツ情報を、コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(v)上記コンテンツ情報購入要求情報を生成した受信装置から、上記コンテンツ情報購入要求情報を、当該受信装置の送受信手段の送信部によって、上記放送装置に向け、送信し、
(vi)上記放送装置が、上記コンテンツ情報購入要求情報を送信した受信装置から送信されたコンテンツ情報購入要求情報を、当該放送装置の送受信手段の受信部によって、受信し、
(vii)上記放送装置において、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、
(ix) 上記コンテンツ情報販売許諾情報を受信した受信装置において、上記コンテンツ情報販売許諾情報を受信したことに基づき、上記質劣化識別情報付コンテンツ情報蓄積手段に蓄積されている上記複数の質劣化識別情報付コンテンツ情報中の上記コンテンツ情報販売許諾情報の購入希望コンテンツ情報識別情報が表している質劣化コンテンツ情報を、コンテンツ情報読出手段によって、上記コンテンツ情報販売許諾情報の購入希望コンテンツ情報識別情報と上記質劣化識別情報付コンテンツ情報蓄積手段に蓄積されている上記複数の質劣化識別情報付コンテンツ情報の識別情報とを用いて、読み出し、その読み出した質劣化コンテンツ情報から、上記放送装置における質劣化コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記質劣化識別情報付コンテンツ情報蓄積手段に蓄積するかの一又はそれらの組み合わせで構成されることを、特徴とするコンテンツ情報放送・受信システム。
【請求項３４】
(i)放送装置において、複数のコンテンツ情報から、それらをそれぞれ質劣化させている複数の質劣化コンテンツ情報を、質劣化コンテンツ情報生成手段によって生成し、
(i)′上記放送装置において、上記複数の質劣化コンテンツ情報に生成される前の上記複数のコンテンツ情報を、それら複数のコンテンツ情報の識別情報とともに、複数の識別情報付コンテンツ情報とし、且つ上記生成された複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、
(i)″上記放送装置において、上記複数の識別情報付コンテンツ情報は、識別情報付コンテンツ情報蓄積手段に蓄積されており、
(i)″′上記放送装置から、上記複数の識別情報付コンテンツ情報を、上記複数の質劣化識別情報付コンテンツ情報とともに、複数の付加情報付コンテンツ情報として放送手段によって、受信装置へ向け、順次放送し、
(ii)上記受信装置が、上記放送装置から順次放送される複数の付加情報付コンテンツ情報を、放送受信手段を用いて、受信し、
(iii)上記複数の付加情報付コンテンツ情報を受信した受信装置において、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の質劣化識別情報付コンテンツ情報を、質劣化識別情報付コンテンツ情報蓄積手段に蓄積し、
(iii)′上記複数の質劣化識別情報付コンテンツ情報を蓄積した、上記質劣化識別情報付コンテンツ情報蓄積手段から、上記複数の質劣化識別情報付コンテンツ情報を、コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(v)上記コンテンツ情報購入要求情報を生成した受信装置から、上記コンテンツ情報購入要求情報を、当該受信装置の送受信手段の送信部によって、上記放送装置に向け、送信し、
(vi)上記放送装置が、上記コンテンツ情報購入要求情報を送信した受信装置から送信されたコンテンツ情報購入要求情報を、当該放送装置の送受信手段の受信部によって、受信し、
(vii)上記放送装置において、上記コンテンツ情報購入要求情報を受信したことに基づき、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(viii)上記コンテンツ情報購入要求情報を送信した受信装置が、上記放送装置から送信された販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し、
(ix)上記購入コンテンツ情報を受信した受信装置において、上記受信した購入コンテンツ情報を、購入コンテンツ情報蓄積手段に蓄積することを特徴とするコンテンツ情報放送・受信システム。
【請求項３５】
(i)放送装置において、複数のコンテンツ情報から、それらをそれぞれ質劣化させている複数の質劣化コンテンツ情報を、質劣化コンテンツ情報生成手段によって生成し、
(i)′上記放送装置において、上記複数の質劣化コンテンツ情報に生成される前の上記複数のコンテンツ情報を、それら複数のコンテンツ情報の識別情報とともに、複数の識別情報付コンテンツ情報とし、且つ上記生成された複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、
(i)″上記放送装置において、上記複数の識別情報付コンテンツ情報は、識別情報付コンテンツ情報蓄積手段に蓄積されており、
(i)″′上記放送装置から、上記複数の識別情報付コンテンツ情報を、上記複数の質劣化識別情報付コンテンツ情報とともに、複数の付加情報付コンテンツ情報として放送手段によって、受信装置へ向け、順次放送し、
(ii)上記受信装置が、上記放送装置から順次放送される複数の付加情報付コンテンツ情報を、放送受信手段を用いて、受信し、
(iii) 上記複数の付加情報を受信した受信装置において、上記受信した複数の付加情報付コンテンツ情報から、上記複数の質劣化識別情報付コンテンツ情報を、質劣化識別情報付コンテンツ情報蓄積手段に蓄積し、且つ上記受信した複数の付加情報付コンテンツ情報の識別情報付コンテンツ情報から、上記複数のコンテンツ情報を、コンテンツ情報表示手段によって、順次表示し、且つ上記複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iii)′上記複数の質劣化識別情報付コンテンツ情報を蓄積した、上記質劣化識別情報付コンテンツ情報蓄積手段から、上記複数の質劣化識別情報付コンテンツ情報を、コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、上記識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、
(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、
(v)上記コンテンツ情報購入要求情報を生成した受信装置から、上記コンテンツ情報購入要求情報を、当該受信装置の送受信手段の送信部によって、上記放送装置に向け、送信し、
(vi)上記放送装置が、上記コンテンツ情報購入要求情報を送信した受信装置から送信されたコンテンツ情報購入要求情報を、当該放送装置の送受信手段の受信部によって、受信し、
(vii)上記放送装置において、上記コンテンツ情報購入要求情報を受信したことに基づき、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、
(viii)上記コンテンツ情報購入要求情報を送信した受信装置が、上記放送装置から送信された販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し、
(ix)上記購入コンテンツ情報を受信した受信装置において、上記受信した購入コンテンツ情報を、購入コンテンツ情報蓄積手段に蓄積することを特徴とするコンテンツ情報放送・受信システム。
【請求項３６】
(i)複数のコンテンツ情報から、それらをそれぞれノイズを混入して質劣化させている複数の質劣化コンテンツ情報を質劣化コンテンツ情報生成手段によって、生成し、上記複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、且つ上記複数のコンテンツ情報を、それら複数のコンテンツ情報の識別情報とともに、複数の識別情報付コンテンツ情報となされ、
(i)′上記複数の識別情報付コンテンツ情報を、上記複数の質劣化識別情報付コンテンツ情報とともに、複数の付加情報付コンテンツ情報として、放送手段によって、受信装置へ向け、順次放送するようになされ、
(i)″上記複数の識別情報付コンテンツ情報は、当該放送装置の識別情報付コンテンツ情報蓄積手段に蓄積されているようになされ、
(ii)当該放送装置が上記複数の付加情報付コンテンツ情報を順次放送することによって上記受信装置が、上記複数の付加情報付コンテンツ情報を、受信し、上記受信した複数の付加情報付コンテンツ情報の質劣化識別情報付コンテンツ情報を、当該受信装置の質劣化識別情報付コンテンツ情報蓄積手段に蓄積し、上記質劣化識別情報付コンテンツ情報蓄積手段からそれに蓄積された質劣化識別情報付コンテンツ情報の識別情報を適時順次読み出したことに基づき、当該受信装置からその送受信手段の送信部によって送信される、当該受信装置を表している受信装置表示情報と当該受信装置が上記質劣化識別情報付コンテンツ情報蓄積手段から読み出した複数の質劣化識別情報付コンテンツ情報の識別情報中から選択された一の識別情報である購入したいコンテンツ情報の識別情報(以下購入希望コンテンツ情報識別情報という)とを有するコンテンツ情報購入要求情報、及び当該放送装置が上記複数の付加情報付コンテンツ情報を順次放送することによって上記受信装置が、上記複数の付加情報付コンテンツ情報を、受信したことに基づき、当該受信装置からその送受信手段の送信部によって送信される、当該受信装置を表している受信装置表示情報と上記複数の付加情報付コンテンツ情報の識別情報付コンテンツ情報の識別情報中から選択された一の識別情報である購入したいコンテンツ情報の識別情報(以下購入希望コンテンツ情報識別情報という)とを有するコンテンツ情報購入要求情報を、各別に、当該放送装置の送受信手段の受信部によって、受信し得るようになされ、
(iii)上記コンテンツ情報購入要求情報を受信すれば、それに基づき、当該放送装置の上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と当該放送装置の上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の上記送受信手段の送信部または上記放送手段によって、上記受信したコンテンツ情報購入要求情報の受信装置表示情報を用いて、上記コンテンツ情報購入要求情報を送信した受信装置に向け、当該受信装置の上記質劣化コンテンツ情報蓄積手段に蓄積され得べく、送信または放送し得るようになされていることを特徴とするコンテンツ情報放送装置。
【請求項３７】
(i)放送装置において、複数のコンテンツ情報をそれぞれノイズを混入して質劣化させている複数の質劣化コンテンツ情報を、それら複数の質劣化コンテンツ情報に生成する前の上記複数のコンテンツ情報の識別情報と同じ内容の複数の質劣化コンテンツ情報の識別情報とともに複数の質劣化識別情報付コンテンツ情報とし、且つ上記複数のコンテンツ情報を、それら複数のコンテンツ情報の識別情報とともに、複数の識別情報付コンテンツ情報となされ、
(i)′放送装置から順次放送される、上記複数の識別情報付コンテンツ情報と上記複数の質劣化識別情報付コンテンツ情報とを有する複数の付加情報付コンテンツ情報を、放送受信手段を用いて、受信し得るようになされ、
(ii)上記複数の付加情報付コンテンツ情報を受信すれば、それに基づき、上記受信した複数の付加情報付コンテンツ情報の質劣化識別情報付コンテンツ情報を、質劣化識別情報付コンテンツ情報蓄積手段に蓄積するとともに、上記受信した複数の付加情報付コンテンツ情報の識別情報付コンテンツ情報から、上記複数のコンテンツ情報を、コンテンツ情報表示手段によって、順次表示し、且つ上記受信した複数の付加情報付コンテンツ情報の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(ii)′上記複数の質劣化識別情報付コンテンツ情報を蓄積すれば、それに基づき、その蓄積された上記複数の質劣化識別情報付コンテンツ情報を、コンテンツ情報読出手段によって、適時順次読み出し、その読み出した複数の質劣化識別情報付コンテンツ情報の質劣化コンテンツ情報を、コンテンツ情報表示手段によって、順次表示し、且つその読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、
(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、
(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、
(v)当該受信装置が上記コンテンツ情報購入要求情報を送信することによって、上記放送装置が上記コンテンツ情報購入要求情報を受信したことに基づき、当該放送装置の送受信手段の送信部から送信されまたは放送手段から放送される、上記複数のコンテンツ情報中の上記コンテンツ情報購入要求情報の購入希望コンテンツ情報識別情報が表しているコンテンツ情報である販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し得るようになされ、
(vi)上記購入コンテンツ情報を受信すれば、それに基づき、その購入コンテンツ情報を、上記質劣化コンテンツ情報蓄積手段に蓄積し得るようになされていることを特徴とするコンテンツ情報受信装置。
【請求項３８】
請求項４、９、１４、１５、１６、１７、２０、２２、２４、３０、及び３３中の一の請求項に記載のコンテンツ情報放送・受信システムにおいて、
上記放送装置が、上記コンテンツ情報販売許諾情報を上記受信装置に向け送信または放送することで課金するとする、その課金管理を当該放送装置が受信した上記コンテンツ情報購入要求情報の受信装置表示情報を用いて行うようにした課金管理手段を有することを特徴とするコンテンツ情報放送・受信システム。
【請求項３９】
請求項４、９、１４、１５、１６、１７、２０、２２、２４、３０、及び３３中の一の請求項に記載のコンテンツ情報放送・受信システムにおいて、
上記放送装置が、上記コンテンツ情報販売許諾情報の販売管理を当該放送装置が受信した上記コンテンツ情報購入要求情報の識別情報を用いて行うようにしたコンテンツ情報販売管理手段を有することを特徴とするコンテンツ情報放送・受信システム。
【請求項４０】
請求項４、９、１４、１５、１６、１７、２０、２２、２４、３０、及び３３中の一の請求項に記載のコンテンツ情報放送・受信システムにおいて、
上記放送装置が、上記コンテンツ情報販売許諾情報を上記受信装置に向け送信または放送することで課金するとする、その課金管理を当該放送装置が受信した上記コンテンツ情報購入要求情報の受信装置表示情報を用いて行うようにした課金管理手段と、上記コンテンツ情報販売許諾情報の販売管理を当該放送装置が受信した上記コンテンツ情報購入要求情報の識別情報を用いて行うようにしたコンテンツ情報販売管理手段とを有することを特徴とするコンテンツ情報放送・受信システム。
【請求項４１】
請求項１８及び３１中の一の請求項に記載のコンテンツ情報放送装置において、
上記放送装置が、上記コンテンツ情報販売許諾情報を上記受信装置に向け送信または放送することで課金するとする、その課金管理を当該放送装置が受信した上記コンテンツ情報購入要求情報の受信装置表示情報を用いて行うようにした課金管理手段を有することを特徴とするコンテンツ情報放送装置。
【請求項４２】
請求項１８及び３１中の一の請求項に記載のコンテンツ情報放送装置において、
上記放送装置が、上記コンテンツ情報販売許諾情報の販売管理を当該放送装置が受信した上記コンテンツ情報購入要求情報の識別情報を用いて行うようにしたコンテンツ情報販売管理手段を有することを特徴とするコンテンツ情報放送装置。
【請求項４３】
請求項１８及び３１中の一の請求項に記載のコンテンツ情報放送装置において、
上記放送装置が、上記コンテンツ情報販売許諾情報を上記受信装置に向け送信または放送することで課金するとする、その課金管理を当該放送装置が受信した上記コンテンツ情報購入要求情報の受信装置表示情報を用いて行うようにした課金管理手段と、上記コンテンツ情報販売許諾情報の販売管理を当該放送装置が受信した上記コンテンツ情報購入要求情報の識別情報を用いて行うようにしたコンテンツ情報販売管理手段とを有することを特徴とするコンテンツ情報放送装置。
【請求項４４】
請求項１、６、１１、１２、１３、２６、２７、３４及び３５中の一の請求項に記載のコンテンツ情報放送・受信システムにおいて、
上記放送装置が、上記販売コンテンツ情報を上記受信装置に向け送信または放送することで課金するとする、その課金管理を当該放送装置が受信した上記コンテンツ情報購入要求情報の受信装置表示情報を用いて行うようにした課金管理手段を有することを特徴とするコンテンツ情報放送・受信システム。
【請求項４５】
請求項１、６、１１、１２、１３、２６、２７、３４及び３５中の一の請求項に記載のコンテンツ情報放送・受信システムにおいて、
上記放送装置が、上記販売コンテンツ情報の販売管理を当該放送装置が受信した上記コンテンツ情報購入要求情報の識別情報を用いて行うようにしたコンテンツ情報販売管理手段を有することを特徴とするコンテンツ情報放送・受信システム。
【請求項４６】
請求項１、６、１１、１２、１３、２６、２７、３４及び３５中の一の請求項に記載のコンテンツ情報放送・受信システムにおいて、
上記放送装置が、上記販売コンテンツ情報を上記受信装置に向け送信または放送することで課金するとする、その課金管理を当該放送装置が受信した上記コンテンツ情報購入要求情報の受信装置表示情報を用いて行うようにした課金管理手段と、上記販売コンテンツ情報の販売管理を当該放送装置が受信した上記コンテンツ情報購入要求情報の識別情報を用いて行うようにしたコンテンツ情報販売管理手段とを有することを特徴とするコンテンツ情報放送・受信システム。
【請求項４７】
請求項２、７、２８及び３６中の一の請求項に記載のコンテンツ情報放送装置において、
上記放送装置が、上記販売コンテンツ情報を上記受信装置に向け送信または放送することで課金するとする、その課金管理を当該放送装置が受信した上記コンテンツ情報購入要求情報の受信装置表示情報を用いて行うようにした課金管理手段を有することを特徴とするコンテンツ情報放送装置。
【請求項４８】
請求項２、７、２８及び３６中の一の請求項に記載のコンテンツ情報放送装置において、
上記放送装置が、上記販売コンテンツ情報の販売管理を当該放送装置が受信した上記コンテンツ情報購入要求情報の識別情報を用いて行うようにしたコンテンツ情報販売管理手段を有することを特徴とするコンテンツ情報放送装置。
【請求項４９】
請求項２、７、２８及び３６中の一の請求項に記載のコンテンツ情報放送装置において、
上記放送装置が、上記販売コンテンツ情報を上記受信装置に向け送信または放送することで課金するとする、その課金管理を当該放送装置が受信した上記コンテンツ情報購入要求情報の受信装置表示情報を用いて行うようにした課金管理手段と、上記販売コンテンツ情報の販売管理を当該放送装置が受信した上記コンテンツ情報購入要求情報の識別情報を用いて行うようにしたコンテンツ情報販売管理手段とを有することを特徴とするコンテンツ情報放送装置。
【発明の詳細な説明】
【技術分野】
【０００１】
本発明は、放送装置から番組として順次放送されたコンテンツ情報中の、受信装置側で所望とするコンテンツ情報を、受信装置側で、放送装置側から購入していない状態で読み出し可能に蓄積し得ることなしに、放送装置側から購入している状態でのみ読み出し可能に蓄積し得るようになされたコンテンツ情報放送・受信システム、及びそれに用いるコンテンツ情報放送装置並びにコンテンツ情報受信装置に関する。
【背景技術】
【０００２】
従来、放送装置から複数のコンテンツ情報を、受信装置側に向け、番組として順次放送し、受信装置側において、その順次放送された複数のコンテンツ情報を、表示はし得るが、読み出し可能に蓄積し得ないようにしたコンテンツ情報放送・受信システム、及びそれに用いるコンテンツ情報放送装置並びにコンテンツ情報受信装置が提案されている。
【発明の開示】
【発明が解決しようとする課題】
【０００３】
上述した従来のコンテンツ情報放送・受信システム、及びそれに用いるコンテンツ情報放送装置並びにコンテンツ情報受信装置の場合、放送装置から順次放送されたコンテンツ情報を、爾後、受信装置側で表示することができないことから、いわゆる不正複製を防止することができるとしても、放送装置から順次放送されたコンテンツ情報中の所望とするコンテンツ情報を、爾後、受信装置側で、その所望とするコンテンツ情報を、放送装置側から購入した状態ですなわち不正複製しその不正複製を用いることなしに、表示したいという、受信装置側の要望を満足することができない、という欠点を有していた。よって、本発明は、上述した欠点を有効に回避し得る新規なコンテンツ情報放送・受信システム、及びそれに用いるコンテンツ情報放送装置並びにコンテンツ情報受信装置を提案せんとするものである。
【発明の効果】
【０００４】
以上、本発明を適用した販売システムについて説明したが、このような販売システムは、例えば、ドライブをしながら音楽を聴いているユーザが、聞いている音楽を気に入り購入したくなった場合などに、特に有用である。また、例えば、衛星デジタル放送および地上デジタル放送などの高音質高画質の放送を行なう場合、受信装置で受信されたコンテンツの不正複製を防止し、固定端末機器や携帯端末機器などで受信し視聴する場合などに、特に有用である。
【課題を解決するための手段】
【０００５】
本願第１番目の発明によるコンテンツ情報放送・受信システムは、(i)放送装置から、複数のコンテンツ情報を、それら複数のコンテンツ情報の識別情報とともに、複数の識別情報付コンテンツ情報として、放送手段によって、受信装置に向け、順次放送し、(i)′上記放送装置において、上記放送装置から順次放送された複数の識別情報付コンテンツ情報は、識別情報付コンテンツ情報蓄積手段に蓄積されており、(ii)上記受信装置が、上記放送装置から順次放送される複数の識別情報付コンテンツ情報を、放送受信手段を用いて、受信し、(iii)上記複数の識別情報付コンテンツ情報を受信した受信装置において、上記受信した複数の識別情報付コンテンツ情報のコンテンツ情報を、コンテンツ情報表示手段によって、順次表示し、且つ上記受信した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記��別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、(viii)上記コンテンツ情報購入要求情報または上記コンテンツ情報所望要求情報を送信した受信装置が、上記放送装置から送信されまたは放送された上記販売コンテンツ情報または提供コンテンツ情報を、購入コンテンツ情報または所望コンテンツ情報として、上記販売コンテンツ情報または上記提供コンテンツ情報が上記放送装置の送受信手段の送信部によって送信されたか放送手段によって放送されたかに応じて、当該受信装置の送受信手段の受信部または放送受信手段によって、受信し、(ix)上記販売コンテンツ情報または上記提供コンテンツ情報を受信した受信装置において、上記受信した販売コンテンツ情報または提供コンテンツ情報を、購入コンテンツ情報または所望コンテンツ情報としてコンテンツ情報蓄積手段に蓄積するようになされている。
【０００６】
本願第２番目の発明によるコンテンツ情報放送装置は、(i)複数のコンテンツ情報を、それら複数のコンテンツ情報の識別情報とともに、複数の識別情報付コンテンツ情報として、放送手段によって、受信装置に向け、順次放送し得るようになされ、(i)′上記順次放送された複数の識別情報付コンテンツ情報は、識別情報付コンテンツ情報蓄積手段に蓄積されているようになされ、(ii)当該放送装置が上記複数の識別情報付コンテンツ情報を順次放送することによって上記受信装置が、上記順次放送された複数の識別情報付コンテンツ情報を受信したことに基づき、当該受信装置から送信される、当該受信装置を表している受信装置表示情報と当該受信装置が受信した複数の識別情報付コンテンツ情報の識別情報中から選択された一の識別情報である購入したいコンテンツ情報の識別情報(以下購入希望コンテンツ情報識別情報という)とを有するコンテンツ情報購入要求情報、または当該受信装置を表している受信装置表示情報と上記受信した複数の識別情報付放送コンテンツ情報の識別情報から選択された一の識別情報である所望したいコンテンツ情報の識別情報(以下所望希望コンテンツ情報識別情報という) とを有するコンテンツ情報所望要求情報を、当該放送装置の送受信手段の受信部によって、受信し得るようになされ、(iii) 上記コンテンツ情報購入要求情報または上記コンテンツ情報所望要求情報を受信したことに基づき、上記コンテンツ情報購入要求情報を受信すれば、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の上記送受信手段の送信部または上記放送手段によって、上記コンテンツ情報購入要求情報の受信装置表示情報を用いて、上記コンテンツ情報購入要求情報を送信した受信装置に向け、当該受信装置のコンテンツ情報蓄積手段に購入コンテンツ情報として蓄積され得べく、送信または放送し得るようになされ、(iii)′上記コンテンツ情報購入要求情報または上記コンテンツ情報所望要求情報を受信したことに基づき、上記コンテンツ情報所望要求情報を受信すれば、上記識別情報付コンテンツ情報蓄積手段から、それに蓄積されている上記複数の識別情報付コンテンツ情報中の上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の上記送受信手段の送信部または上記放送手段によって、上記コンテ���ツ情報所望要求情報の受信装置表示情報を用いて、上記コンテンツ情報所望要求情報を送信した受信装置に向け、当該受信装置のコンテンツ情報蓄積手段に所望コンテンツ情報として蓄積され得べく、送信または放送し得るようになされている。
【０００７】
本願第３番目の発明によるコンテンツ情報受信装置は、(i)放送装置から順次放送される、複数のコンテンツ情報とそれら複数のコンテンツ情報の識別情報とを有する複数の識別情報付コンテンツ情報を、放送受信手段を用いて、受信し得るようになされ、(ii)上記複数の識別情報付コンテンツ情報を受信すれば、それに基づき、その複数の識別情報付コンテンツ情報のコンテンツ情報を、コンテンツ情報表示手段によって、順次表示し、且つ上記受信した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(iii)上記予定数の識別情報を表示し、その表示した予定数の識別情報中から、一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、(iii)′上記予定数の識別情報を表示し、その表示した予定数の識別情報中から、一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し得るようになされ、(iv)上記コンテンツ情報購入要求情報または上記コンテンツ情報所望要求情報を生成すれば、それに基づき、そのコンテンツ情報購入要求情報または上記コンテンツ情報所望要求情報を、送受信手段の送信部によって、上記放送装置に向け、送信し得るようになされ、(v)放送装置が上記コンテンツ情報購入要求情報を上記受信したことに基づき当該放送装置の送受信手段の送信部から送信されまたは放送手段から放送される、上記複数の識別情報付コンテンツ情報中の上記コンテンツ情報購入要求情報の購入希望コンテンツ情報識別情報が表しているコンテンツ情報である販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し得るようになされ、(v)′当該受信装置が上記コンテンツ情報所望要求情報を送信することによって、上記放送装置が上記コンテンツ情報所望要求情報を、当該放送装置の送受信手段の受信部によって受信したことに基づき、当該放送装置の送受信手段の送信部から送信されまたは放送手段から放送される、上記複数のコンテンツ情報中の上記コンテンツ情報所望要求情報の所望希望コンテンツ情報識別情報が表しているコンテンツ情報である提供コンテンツ情報を所望コンテンツ情報として、上記所望コンテンツ情報が上記放送装置の送受信��段の送信部によって送信されたか放送手段によって放送されたかに応じて、当該受信装置の送受信手段の受信部によってまたは放送受信手段によって、受信し得るようになされ、(vi)上記購入コンテンツ情報または所望コンテンツ情報を受信すれば、それに基づき、その購入コンテンツ情報または所望コンテンツ情報を、コンテンツ情報蓄積手段に蓄積し得るようになされている。
【０００８】
本願第４番目の発明によるコンテンツ情報放送・受信システムは、(i)放送装置から、複数のコンテンツ情報を、それら複数のコンテンツ情報の識別情報とともに、複数の識別情報付コンテンツ情報として、放送手段によって、受信装置に向け、順次放送し、(ii)上記受信装置が、上記放送装置から順次放送される複数の識別情報付コンテンツ情報を、放送受信手段を用いて、受信し、(iii)上記複数の識別情報付コンテンツ情報を受信した受信装置において、上記受信した複数の識別情報付コンテンツ情報を、それらがそれらのコンテンツ情報について後記購入所望コンテンツ情報読出手段によって読み出される以外読み出されないように蓄積する識別情報付コンテンツ情報蓄積手段に順次蓄積するとともに、上記受信した複数の識別情報付コンテンツ情報のコンテンツ情報を、コンテンツ情報表示手段によって、順次表示し、且つ上記受信した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得てい��課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(vii)′上記コンテンツ情報購入要求情報または上記コンテンツ情報所望要求情報を受信した上記放送装置において、上記コンテンツ情報所望要求情報を受信すれば、上記コンテンツ情報購入所望情報を受信したことに基づき、当該受信したコンテンツ情報所望要求情報の所望希望コンテンツ情報識別情報を有するコンテンツ情報所望許諾情報を、コンテンツ情報所望許諾情報生成手段によって、上記受信したコンテンツ情報所望要求情報の所望希望コンテンツ情報識別情報を用いて、生成し、そのコンテンツ情報所望許諾情報を、当該放送装置の送受信手段の送信部または放送手段によって、上記受信したコンテンツ情報所望要求情報の受信装置表示情報を用いて、上記コンテンツ情報所望要求情報を送信した受信装置に向け、送信または放送し、(viii) 上記コンテンツ情報購入要求情報または上記コンテンツ情報所望要求情報を送信した受信装置が、上記放送装置から送信されまたは放送されたコンテンツ情報販売許諾情報またはコンテンツ情報所望許諾情報を、上記コンテンツ情報販売許諾情報またはコンテンツ情報所望許諾情報が上記放送装置の送受信手段の送信部によって送信されたか放送手段によって放送されたかに応じて、当該受信装置の送受信手段の受信部によってまたは放送受信手段によって、受信し、(ix)上記コンテンツ情報販売許諾情報またはコンテンツ情報所望許諾情報を受信した受信装置において、上記コンテンツ情報販売許諾情報を受信した場合、上記コンテンツ情報販売許諾情報を受信したことに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し、(ix)′ 上記コンテンツ情報販売許諾情報またはコンテンツ情報所望許諾情報を受信した受信装置において、上記コンテンツ情報所望許諾情報を受信した場合、上記コンテンツ情報所望許諾情報を受信したことに基づき、上記識別情報付コンテンツ情報蓄積手段から、それに蓄積されている上記複数の識別情報付コンテンツ情報中の上記コンテンツ情報所望許諾情報の購入希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した所望コンテンツ情��を、所望コンテンツ情報蓄積手段に蓄積するようになされている。
【０００９】
本願第５番目の発明によるコンテンツ情報受信装置は、(i)放送装置から順次放送される、複数のコンテンツ情報とそれら複数のコンテンツ情報の識別情報とを有する複数の識別情報付コンテンツ情報を、放送受信手段を用いて、受信し得るようになされ、(ii)上記複数の識別情報付コンテンツ情報を受信すれば、それに基づき、その複数の識別情報付コンテンツ情報を、後記購入所望コンテンツ情報読出手段によって読み出される以外読み出されないように蓄積する識別情報付コンテンツ情報蓄積手段に順次蓄積するとともに、上記受信した複数の識別情報付コンテンツ情報のコンテンツ情報を、コンテンツ情報表示手段によって、順次表示し、且つ上記受信した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、(iii)′上記予定数の識別情報を表示し、その表示した予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し得るようになされ、(iv)上記コンテンツ情報購入要求情報または上記コンテンツ情報所望要求情報を生成すれば、それに基づき、そのコンテンツ情報購入要求情報または上記コンテンツ情報所望要求情報を、送受信手段の送信部によって、上記放送装置に向け、送信し得るようになされ、(v)当該受信装置が上記コンテンツ情報購入要求情報または上記コンテンツ情報所望要求情報を送信することによって、上記放送装置が上記コンテンツ情報購入要求情報を受信すれば、それに基づき、当該放送装置の送受信手段の送信部から送信されるまたは放送手段から放送される、上記複数の識別情報付コンテンツ情報中の上記コンテンツ情報購入要求情報の購入希望コンテンツ情報識別情報を有するコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し得るようになされ、(v)′当該受信装置が上記コンテンツ情報購入要求情報または上記コンテンツ情報所望要求情報を送信することによって、上記放送装置が上記コンテンツ情報所望要求情報を受信すれば、それに基づき、当該放送装置の送受信手段の��信部から送信されるまたは放送手段から放送される、上記複数の識別情報付コンテンツ情報中の上記コンテンツ情報所望要求情報の所望希望コンテンツ情報識別情報を有するコンテンツ情報所望許諾情報を、上記コンテンツ情報所望許諾情報が上記放送装置の送受信手段の送信部によって送信されたか放送手段によって放送されたかに応じて、当該受信装置の送受信手段の受信部によってまたは放送受信手段によって、受信し得るようになされ、(vi)上記コンテンツ情報販売許諾情報を受信すれば、それに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し得るようになされ、(vi)′上記コンテンツ情報所望許諾情報を受信すれば、それに基づき、上記識別情報付コンテンツ情報蓄積手段から、それに蓄積されている上記複数の識別情報付コンテンツ情報中の上記コンテンツ情報所望許諾情報の所望希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した所望コンテンツ情報を、購入所望コンテンツ情報蓄積手段に蓄積し得るようになされている。
【００１０】
本願第６番目の発明によるコンテンツ情報放送・受信システムは、(i)放送装置から、複数のコンテンツ情報の識別情報を、放送手段によって、受信装置に向け、順次放送し、(i)′上記放送装置において、複数のコンテンツ情報は、上記識別情報とともに、複数の識別情報付コンテンツ情報として、識別情報付コンテンツ情報蓄積手段に蓄積されており、(ii)上記受信装置が、上記放送装置から順次放送される複数のコンテンツ情報の識別情報を、放送受信手段を用いて、受信し、(iii)上記複数のコンテンツ情報の識別情報を受信した受信装置において、上記受信した複数のコンテンツ情報の識別情報を、識別情報蓄積手段に順次蓄積し、(iii)′上記複数のコンテンツ情報の識別情報を蓄積した受信装置において、上記識別情報蓄積手段から、それに蓄積された複数のコンテンツ情報の識別情報を適時順次読み出し、その読み出した複数のコンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、(viii)上記コンテンツ情報購入要求情報または上記コンテンツ情報所望要求情報を送信した受信装置が、上記放送装置から送信されまたは放送された上記販売コンテンツ情報または提供コンテンツ情報を、購入コンテンツ情報または所望コンテンツ情報として、上記販売コンテンツ情報または上記提供コンテンツ情報が上記放送装置の送受信手段の送信部によって送信されたか放送手段によって放送されたかに応じて、当該受信装置の送受信手段の受信部によってまたは放送受信手段によって、受信し、(ix)上記販売コンテンツ情報または上記提供コンテンツ情報を受信した受信装置において、上記受信した販売コンテンツ情報または提供コンテンツ情報を、購入コンテンツ情報または所望コンテンツ情報としてコンテンツ情報蓄積手段に蓄積するようになされている。
【００１１】
本願第７番目の発明によるコンテンツ情報放送装置は、(i)複数のコンテンツ情報を、それら複数のコンテンツ情報の識別情報とともに、複数の識別情報付コンテンツ情報として、放送手段によって、受信装置に向け、順次放送し得るようになされ、(i)′上記順次放送された複数の識別情報付コンテンツ情報は、識別情報付コンテンツ情報蓄積手段に蓄積されているようになされ、(ii)当該放送装置が上記複数のコンテンツ情報の識別情報を順次放送することによって上記受信装置が、上記順次放送される複数のコンテンツ情報の識別情報を受信し、その受信した複数のコンテンツ情報の識別情報を、当該受信装置の識別情報蓄積手段に蓄積し、その蓄積された複数のコンテンツ情報の識別情報を適時読み出したことに基づき、当該受信装置から送信される、当該受信装置を表している受信装置表示情報と当該受信装置の識別情報蓄積手段から読み出した複数のコンテンツ情報の識別情報中から選択された一の識別情報である購入したいコンテンツ情報の識別情報(以下購入希望コンテンツ情報識別情報という)とを有するコンテンツ情報購入要求情報、または当該受信装置を表している受信装置表示情報と上記受信した複数の識別情報付放送コンテンツ情報の識別情報から選択された一の識別情報である所望したいコンテンツ情報の識別情報(以下所望希望コンテンツ情報識別情報という) とを有するコンテンツ情報所望要求情報を、当該放送装置の送受信手段の受信部によって、受信し得るようになされ、(iii) 上記コンテンツ情報購入要求情報または上記コンテンツ情報所望要求情報を受信したことに基づき、上記コンテンツ情報購入要求情報を受信すれば、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の上記送受信手段の送信部または上記放送手段によって、上記コンテンツ情報購入要求情報の受信装置表示情報を用いて、上記コンテンツ情報購入要求情報を送信した受信装置に向け、当該受信装置のコンテンツ情報蓄積手段に購入コンテンツ情報として蓄積され得べく、送信または放送し得るようになされ、(iii)′上記コンテンツ情報購入要求情報または上記コンテンツ情報所望要求情報を受信したことに基づき、上記コンテンツ情報所望要求情報を受信すれば、上記識別情報付コンテンツ情報蓄積手段から、それに蓄積されている上記複数の識別情報付コンテンツ情報中の上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報���コンテンツ情報の識別情報とを用いて、読み出し、その読み出した提供コンテンツ情報を、当該放送装置の上記送受信手段の送信部または上記放送手段によって、上記コンテンツ情報所望要求情報の受信装置表示情報を用いて、上記コンテンツ情報所望要求情報を送信した受信装置に向け、当該受信装置のコンテンツ情報蓄積手段に所望コンテンツ情報として蓄積され得べく、送信または放送し得るようになされている。
【００１２】
本願第８番目の発明によるコンテンツ情報受信装置は、(i)放送装置から順次放送される、複数のコンテンツ情報の識別情報を、放送受信手段を用いて、受信し得るようになされ、(ii)上記複数のコンテンツ情報の識別情報を受信すれば、それに基づき、その複数のコンテンツ情報の識別情報を、識別情報蓄積手段に順次蓄積し得るようになされ、(ii)′上記複数の識別情報を蓄積すれば、それに基づき、その蓄積された複数の識別情報を適時読み出し、その読み出した複数の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(iii)上記予定数の識別情報を表示し、その表示した予定数の識別情報中から、一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、(iii)′上記予定数の識別情報を表示し、その表示した予定数の識別情報中から、一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し得るようになされ、(iv)上記コンテンツ情報購入要求情報または上記コンテンツ情報所望要求情報を生成すれば、それに基づき、そのコンテンツ情報購入要求情報または上記コンテンツ情報所望要求情報を、送受信手段の送信部によって、上記放送装置に向け、送信し得るようになされ、(v)放送装置が上記コンテンツ情報購入要求情報を上記受信したことに基づき当該放送装置の送受信手段の送信部から送信されまたは放送手段から放送される、上記複数の識別情報付コンテンツ情報中の上記コンテンツ情報購入要求情報の購入希望コンテンツ情報識別情報が表しているコンテンツ情報である販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し得るようになされ、(v)′当該受信装置が上記コンテンツ情報所望要求情報を送信することによって、上記放送装置が上記コンテンツ情報所望要求情報を、当該放送装置の送受信手段の受信部によって受信したことに基づき、当該放送装置の送受信手段の送信部から送信されまたは放送手段から放送される、上記複数のコンテンツ情報中の上記コンテンツ情報所望要求情報の所望希望コンテンツ情報識別情報が表しているコンテンツ情報である提供コンテンツ情報を所望コンテンツ情報として、上記所望コンテンツ情報が上記放送装置の送受信手段の送信部によ���て送信されたか放送手段によって放送されたかに応じて、当該受信装置の送受信手段の受信部によってまたは放送受信手段によって、受信し得るようになされ、(vi)上記購入コンテンツ情報または所望コンテンツ情報を受信すれば、それに基づき、その購入コンテンツ情報または所望コンテンツ情報を、コンテンツ情報蓄積手段に蓄積し得るようになされている。
【００１３】
本願第９番目の発明によるコンテンツ情報放送・受信システムは、(i)放送装置から、複数のコンテンツ情報を、それら複数のコンテンツ情報の識別情報とともに、複数の識別情報付コンテンツ情報として、放送手段を用いて、受信装置に向け、順次放送し、(ii)上記受信装置が、上記放送装置から順次放送される複数の識別情報付コンテンツ情報を、放送受信手段を用いて、受信し、(iii)上記複数の識別情報付コンテンツ情報を受信した受信装置において、上記受信した複数の識別情報付コンテンツ情報を、それらがそれらのコンテンツ情報について後記購入所望コンテンツ情報読出手段によって読み出される以外読み出されないように蓄積する識別情報付コンテンツ情報蓄積手段に順次蓄積し、(iii)′上記複数の識別情報付コンテンツ情報を蓄積した受信装置において、上記識別情報付コンテンツ情報蓄積手段から、それに蓄積された複数の識別情報付コンテンツ情報の識別情報を適時順次読み出し、その読み出した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(vii)′上記コンテンツ情報購入要求情報または上記コンテンツ情報所望要求情報を受信した上記放送装置において、上記コンテンツ情報所望要求情報を受信すれば、上記コンテンツ情報購入所望情報を受信したことに基づき、当該受信したコンテンツ情報所望要求情報の所望希望コンテンツ情報識別情報を有するコンテンツ情報所望許諾情報を、コンテンツ情報所望許諾情報生成手段によって、上記受信したコンテンツ情報所望要求情報の所望希望コンテンツ情報識別情報を用いて、生成し、そのコンテンツ情報所望許諾情報を、当該放送装置の送受信手段の送信部または放送手段によって、上記受信したコンテンツ情報所望要求情報の受信装置表示情報を用いて、上記コンテンツ情報所望要求情報を送信した受信装置に向け、送信または放送し、(viii) 上記コンテンツ情報購入要求情報または上記コンテンツ情報所望要求情報を送信した受信装置が、上記放送装置から送信されまたは放送されたコンテンツ情報販売許諾情報またはコンテンツ情報所望許諾情報を、上記コンテンツ情報販売許諾情報またはコンテンツ情報所望許諾情報が上記放送装置の送受信手段の送信部によって送信されたか放送手段によって放送されたかに応じて、当該受信装置の送受信手段の受信部によってまたは放送受信手段によって、受信し、(ix)上記コンテンツ情報販売許諾情報またはコンテンツ情報所望許諾情報を受信した受信装置において、上記コンテンツ情報販売許諾情報を受信した場合、上記コンテンツ情報販売許諾情報を受信したことに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し、(ix)′ 上記コンテンツ情報販売許諾情報またはコンテンツ情報所望許諾情報を受信した受信装置において、上記コンテンツ情報所望許諾情報を受信した場合、上記コンテンツ情報所望許諾情報を受信したことに基づき、上記識別情報付コンテンツ情報蓄積手段から、それに蓄積されている上記複数の識別情報付コンテンツ情報中の上記コンテンツ情報所望許諾情報の購入希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積する。
【００１４】
本願第１０番目の発明によるコンテンツ情報受信装置は、(i)放送装置から順次放送される、複数のコンテンツ情報とそれら複数のコンテンツ情報の識別情報とを有する複数の識別情報付コンテンツ情報を、放送受信手段を用いて、受信し得るようになされ、(ii)上記複数の識別情報付コンテンツ情報を受信すれば、それに基づき、その複数の識別情報付コンテンツ情報を、後記購入所望コンテンツ情報読出手段によって読み出される以外読み出されないように蓄積する識別情報付コンテンツ情報蓄積手段に順次蓄積し得るようになされ、(ii)′上記複数の識別情報付コンテンツ情報を蓄積すれば、それに基づき、その蓄積された複数の識別情報付コンテンツ情報の識別情報を適時読み出し、その読み出した複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、(iii)′上記予定数の識別情報を表示し、その表示した予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し得るようになされ、(iv)上記コンテンツ情報購入要求情報または上記コンテンツ情報所望要求情報を生成すれば、それに基づき、そのコンテンツ情報購入要求情報または上記コンテンツ情報所望要求情報を、送受信手段の送信部によって、上記放送装置に向け、送信し得るようになされ、(v)当該受信装置が上記コンテンツ情報購入要求情報または上記コンテンツ情報所望要求情報を送信することによって、上記放送装置が上記コンテンツ情報購入要求情報を受信すれば、それに基づき、当該放送装置の送受信手段の送信部から送信されるまたは放送手段から放送される、上記複数の識別情報付コンテンツ情報中の上記コンテンツ情報購入要求情報の購入希望コンテンツ情報識別情報を有するコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し得るようになされ、(v)′当該受信装置が上記コンテンツ情報購入要求情報または上記コンテンツ情報所望要求情報を送信することによって、上記放送装置が上記コンテンツ情報所望要求情報を受信すれば、それ���基づき、当該放送装置の送受信手段の送信部から送信されるまたは放送手段から放送される、上記複数の識別情報付コンテンツ情報中の上記コンテンツ情報所望要求情報の所望希望コンテンツ情報識別情報を有するコンテンツ情報所望許諾情報を、上記コンテンツ情報所望許諾情報が上記放送装置の送受信手段の送信部によって送信されたか放送手段によって放送されたかに応じて、当該受信装置の送受信手段の受信部によってまたは放送受信手段によって、受信し得るようになされ、(vi)上記コンテンツ情報販売許諾情報を受信すれば、それに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し得るようになされ、(vi)′上記コンテンツ情報所望許諾情報を受信すれば、それに基づき、上記識別情報付コンテンツ情報蓄積手段から、それに蓄積されている上記複数の識別情報付コンテンツ情報中の上記コンテンツ情報所望許諾情報の所望希望コンテンツ情報識別情報が表しているコンテンツ情報を、所望コンテンツ情報として、購入所望コンテンツ情報読出手段によって、上記コンテンツ情報販所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した所望コンテンツ情報を、購入所望コンテンツ情報蓄積手段に蓄積し得るようになされている。
【００１５】
本願第１１番目の発明によるコンテンツ情報放送・受信システムは、(i)放送装置において、複数のコンテンツ情報から、それらをそれぞれノイズを混入して質劣化させている複数の質劣化コンテンツ情報を、質劣化コンテンツ情報生成手段によって、上記複数のコンテンツ情報にそれぞれ再生可能な状態に生成し、(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、(i)″上記放送装置において、上記複数の質劣化コンテンツ情報に生成される前の上記複数のコンテンツ情報は、それらの上記質劣化コンテンツ情報の識別情報と同じ内容の複数のコンテンツ情報の識別情報とともに、複数の識別情報付コンテンツ情報として、識別情報付コンテンツ情報蓄積手段に蓄積されており、(ii)上記受信装置が、上記放送装置から順次放送される複数の質劣化識別情報付コンテンツ情報を、放送受信手段を用いて、受信し、(iii)上記複数の質劣化識別情報付コンテンツ情報を受信した受信装置において、上記受信した複数の質劣化識別情報付コンテンツ情報から、上記放送装置における上記複数の質劣化コンテンツ情報に生成される前の上記複数のコンテンツ情報を、コンテンツ情報再生手段によって、上記ノイズを除去して再生し、その再生された複数のコンテンツ情報を、コンテンツ情報表示手段によって、順次表示するとともに、上記受信した複数の質劣化識別情報付コンテンツ情報を、質劣化識別情報付コンテンツ情報蓄積手段に蓄積し、(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上���所望希望コンテンツ情報識別情報とを有するコンテンツ情報所望要求情報を生成し、(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、(viii)上記コンテンツ情報購入要求情報または上記コンテンツ情報所望要求情報を送信した受信装置が、上記放送装置から送信されまたは放送された上記販売コンテンツ情報または提供コンテンツ情報を、購入コンテンツ情報または所望コンテンツ情報として、上記販売コンテンツ情報または上記提供コンテンツ情報が上記放送装置の送受信手段の送信部によって送信されたか放送手段によって放送されたかに応じて、当該受信装置の送受信手段の受信部に���ってまたは放送受信手段によって、受信し、(ix)上記販売コンテンツ情報または上記提供コンテンツ情報を受信した受信装置において、上記受信した販売コンテンツ情報または提供コンテンツ情報を、購入コンテンツ情報または所望コンテンツ情報としてコンテンツ情報蓄積手段に蓄積する。
【００１６】
本願第１２番目の発明によるコンテンツ情報放送・受信システムは、(i)放送装置において、複数のコンテンツ情報から、それらをそれぞれノイズを混入して質劣化させている複数の質劣化コンテンツ情報を、質劣化コンテンツ情報生成手段によって、上記複数のコンテンツ情報にそれぞれ再生可能な状態に生成し、(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、(i)″上記放送装置において、上記複数の質劣化コンテンツ情報に生成される前の上記複数のコンテンツ情報は、それらの上記質劣化コンテンツ情報の識別情報と同じ内容の複数のコンテンツ情報の識別情報とともに、複数の識別情報付コンテンツ情報として、識別情報付コンテンツ情報蓄積手段に蓄積されており、(ii)上記受信装置が、上記放送装置から順次放送される複数の質劣化識別情報付コンテンツ情報を、放送受信手段を用いて、受信し、(iii)上記複数の質劣化識別情報付コンテンツ情報を受信した受信装置において、上記受信した複数の質劣化識別情報付コンテンツ情報を、質劣化識別情報付コンテンツ情報蓄積手段に蓄積し、且つ上記受信した複数の質劣化識別情報付コンテンツ情報の質劣化コンテンツ情報から、上記放送装置における上記複数の質劣化コンテンツ情報に生成される前の上記複数のコンテンツ情報を、コンテンツ情報再生手段によって、上記ノイズを除去して再生し、その再生された複数のコンテンツ情報を、コンテンツ情報表示手段によって、順次表示し、且つ上記受信した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、上記識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、(viii)上記コンテンツ情報購入要求情報または上記コンテンツ情報所望要求情報を送信した受信装置が、上記放送装���から送信されまたは放送された上記販売コンテンツ情報または提供コンテンツ情報を、購入コンテンツ情報または所望コンテンツ情報として、上記販売コンテンツ情報または上記提供コンテンツ情報が上記放送装置の送受信手段の送信部によって送信されたか放送手段によって放送されたかに応じて、当該受信装置の送受信手段の受信部によってまたは放送受信手段によって、受信し、(ix)上記販売コンテンツ情報または上記提供コンテンツ情報を受信した受信装置において、上記受信した販売コンテンツ情報または提供コンテンツ情報を、購入コンテンツ情報または所望コンテンツ情報としてコンテンツ情報蓄積手段に蓄積するようになされている。
【００１７】
本願第１３番目の発明によるコンテンツ情報放送・受信システムは、(i)放送装置において、複数のコンテンツ情報から、それらをそれぞれ質劣化させている複数の質劣化コンテンツ情報を、質劣化コンテンツ情報生成手段によって生成し、(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、(i)″上記放送装置において、上記複数の質劣化コンテンツ情報に生成される前の上記複数のコンテンツ情報は、それらの上記質劣化コンテンツ情報の識別情報と同じ内容の複数のコンテンツ情報の識別情報とともに、複数の識別情報付コンテンツ情報として、識別情報付コンテンツ情報蓄積手段に蓄積されており、(ii)上記受信装置が、上記放送装置から順次放送される複数の質劣化識別情報付コンテンツ情報を、放送受信手段を用いて、受信し、(iii)上記複数の質劣化識別情報付コンテンツ情報を受信した受信装置において、上記受信した複数の質劣化識別情報付コンテンツ情報を、質劣化識別情報付コンテンツ情報蓄積手段に蓄積し、(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、(viii)上記コンテンツ情報購入要求情報または上記コンテンツ情報所望要求情報を送信した受信装置が、上記放送装置から送信されまたは放送された上記販売コンテンツ情報または提供コンテンツ情報を、購入コンテンツ情報または所望コンテンツ情報として、上記販売コンテンツ情報または上記提供コンテンツ情報が上記放送装置の送受信手段の送信部によって送信されたか放送手段によって放送されたかに応じて、当該受信装置の送受信手段の受信部によってまたは放送受信手段によって、受信し、(ix)上記販売コンテンツ情報または上記提供コンテンツ情報を受信した受信装置において、上記受信した販売コンテンツ情報または提供コンテンツ情報を、購入コンテンツ情報または所望コンテンツ情報としてコンテンツ情報蓄積手段に蓄積する。
【００１８】
本願第１４番目の発明によるコンテンツ情報放送・受信システムは、(i)放送装置において、複数のコンテンツ情報から、それらをそれぞれノイズを混入して質劣化させている複数の質劣化コンテンツ情報を、質劣化コンテンツ情報生成手段によって、上記複数のコンテンツ情報にそれぞれ再生可能な状態に生成し、(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、(ii)上記受信装置が、上記放送装置から順次放送される複数の質劣化識別情報付コンテンツ情報を、放送受信手段を用いて、受信し、(iii)上記複数の質劣化識別情報付コンテンツ情報を受信した受信装置において、上記受信した複数の質劣化識別情報付コンテンツ情報から、上記放送装置における上記複数の質劣化コンテンツ情報に生成される前の上記複数のコンテンツ情報を、コンテンツ情報再生手段によって、上記ノイズを除去して再生し、その再生された複数のコンテンツ情報を、上記受信した複数の質劣化識別情報付コンテンツ情報の識別情報とともに、再生された複数の識別情報付コンテンツ情報として、それらがそれらのコンテンツ情報について後記購入所望コンテンツ情報読出手段によって読み出される以外読み出されないように蓄積する質劣化識別情報付コンテンツ情報蓄積手段に順次蓄積するとともに、上記再生された複数のコンテンツ情報を、コンテンツ情報表示手段によって、順次表示し、且つ上記受信した複数の質劣化識別情報付コンテンツ情報を、質劣化識別情報付コンテンツ情報蓄積手段に蓄積し、(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段に���って、当該受信装置を表している受信装置表示情報と上記所望希望コンテンツ情報識別情報とを有するコンテンツ情報所望要求情報を生成し、(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、(viii) 上記コンテンツ情報購入要求情報または上記コンテンツ情報所望要求情報を送信した受信装置が、上記放送装置から送信されまたは放送されたコンテンツ情報販売許諾情報またはコンテンツ情報所望許諾情報を、上記コンテンツ情報販売許諾情報またはコンテンツ情報所望許諾情報が上記放送装置の送受信手段の送信部によって送信されたか放送手段によって放送されたかに応じて、当該受信装置の送受信手段の受信部によってまたは放送受信手段によって、受信し、(ix)上記コンテンツ情報販売許諾情報またはコンテンツ情報所望許諾情報を受信した受信装置において、上記コンテンツ情報販売許諾情報を受信した場合、上記コンテンツ情報販売許諾情報を受信したことに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し、(ix)′ 上記コンテンツ情報販売許諾情報またはコンテンツ情報所望許諾情報を受信した受信装置において、上記コンテンツ情報所望許諾情報を受信した場合、上記コンテンツ情報所望許諾情報を受信したことに基づき、上記識別情報付コンテンツ情報蓄積手段から、それに蓄積されている上記複数の識別情報付コンテンツ情報中の上記コンテンツ情報所望許諾情報の購入希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積するようになされている。
【００１９】
本願第１５番目の発明によるコンテンツ情報放送・受信システムは、(i)放送装置において、複数のコンテンツ情報から、それらをそれぞれノイズを混入して質劣化させている複数の質劣化コンテンツ情報を、質劣化コンテンツ情報生成手段によって、上記複数のコンテンツ情報にそれぞれ再生可能な状態に生成し、(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、(ii)上記受信装置が、上記放送装置から順次放送される複数の質劣化識別情報付コンテンツ情報を、放送受信手段を用いて、受信し、(iii)上記複数の質劣化識別情報付コンテンツ情報を受信した受信装置において、上記受信した複数の質劣化識別情報付コンテンツ情報を、質劣化識別情報付コンテンツ情報蓄積手段に蓄積し、且つ上記受信した複数の質劣化識別情報付コンテンツ情報から、上記放送装置における上記複数の質劣化コンテンツ情報に生成される前の上記複数のコンテンツ情報を、コンテンツ情報再生手段によって、上記ノイズを除去して再生し、その再生された複数のコンテンツ情報を、上記受信した複数の質劣化識別情報付コンテンツ情報の識別情報とともに、再生された複数の識別情報付コンテンツ情報として、それらがそれらのコンテンツ情報について後記購入所望コンテンツ情報読出手段によって読み出される以外読み出されないように蓄積する識別情報付コンテンツ情報蓄積手段に順次蓄積するとともに、上記再生された複数のコンテンツ情報を、コンテンツ情報表示手段によって、順次表示し、且つ上記受信した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、上記識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求���報を生成し、(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコンテンツ情報所望要求情報を生成し、(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、(viii)上記コンテンツ情報購入要求情報または上記コンテンツ情報所望要求情報を���信した受信装置が、上記放送装置から送信されまたは放送されたコンテンツ情報販売許諾情報またはコンテンツ情報所望許諾情報を、上記コンテンツ情報販売許諾情報またはコンテンツ情報所望許諾情報が上記放送装置の送受信手段の送信部によって送信されたか放送手段によって放送されたかに応じて、当該受信装置の送受信手段の受信部によってまたは放送受信手段によって、受信し、(ix)上記コンテンツ情報販売許諾情報またはコンテンツ情報所望許諾情報を受信した受信装置において、上記コンテンツ情報販売許諾情報を受信した場合、上記コンテンツ情報販売許諾情報を受信したことに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し、(ix)′ 上記コンテンツ情報販売許諾情報またはコンテンツ情報所望許諾情報を受信した受信装置において、上記コンテンツ情報所望許諾情報を受信した場合、上記コンテンツ情報所望許諾情報を受信したことに基づき、上記識別情報付コンテンツ情報蓄積手段から、それに蓄積されている上記複数の識別情報付コンテンツ情報中の上記コンテンツ情報所望許諾情報の購入希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積するようになされている。
【００２０】
本願第１６番目の発明によるコンテンツ情報放送・受信システムは、(i)放送装置において、複数のコンテンツ情報から、それらをそれぞれノイズを混入して質劣化させている複数の質劣化コンテンツ情報を、質劣化コンテンツ情報生成手段によって、上記複数のコンテンツ情報にそれぞれ再生可能な状態に生成し、(i)′上記放送装置から、上記生成された複数の質劣化コンテンツ情報を、それら複数の質劣化コンテンツ情報の識別情報とともに、複数の質劣化識別情報付コンテンツ情報として、放送手段によって、受信装置に向け、順次放送し、(ii)上記受信装置が、上記放送装置から順次放送される複数の質劣化識別情報付コンテンツ情報を、放送受信手段を用いて、受信し、(iii)上記複数の質劣化識別情報付コンテンツ情報を受信した受信装置において、上記受信した複数の質劣化識別情報付コンテンツ情報から、上記放送装置における上記複数の質劣化コンテンツ情報に生成される前の上記複数のコンテンツ情報を、コンテンツ情報再生手段によって、上記ノイズを除去して再生し、その再生された複数のコンテンツ情報を、上記受信した複数の質劣化識別情報付コンテンツ情報の識別情報とともに、再生された複数の識別情報付コンテンツ情報として、それらがそれらのコンテンツ情報について後記購入所望コンテンツ情報読出手段によって読み出される以外読み出されないように蓄積する識別情報付コンテンツ情報蓄積手段に順次蓄積し、且つ上記受信した複数の質劣化識別情報付コンテンツ情報を、質劣化識別情報付コンテンツ情報蓄積手段に蓄積し、(iii)′上記複数の質劣化識別情報付コンテンツ情報を蓄積した受信装置において、上記質劣化識別情報付コンテンツ情報蓄積手段から、上記複数の質劣化識別情報付コンテンツ情報を、質劣化識別情報付コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の購入識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(iv)′上記予定数の識別情報を表示している受信装置において、上記予定数の識別情報中から一の識別情報が、所望したいコンテンツ情報の識別情報(以下所望希望コンテンツ情報識別情報という)として、識別情報選択手段によって選択されれば、それに応じて、コンテンツ情報所望要求情報生成手段によって、当該受信装置を表している受信装置表示情報と上記所望希望コンテンツ情報識別情報とを有するコン���ンツ情報所望要求情報を生成し、(v)上記コンテンツ情報購入要求情報または上記コンテンツ情報所望要求情報を生成した受信装置から、上記コンテンツ情報購入要求情報または上記コンテンツ情報所望要求情報を、当該受信装置の送受信手段の送信部によって、上記放送装置に向け、送信し、(vi)上記放送装置が、上記コンテンツ情報購入要求情報または上記コンテンツ情報所望要求情報を送信した受信装置から送信された上記コンテンツ情報購入要求情報または上記コンテンツ情報所望要求情報を、当該放送装置の送受信手段の受信部によって、受信し、(vii) 上記コンテンツ情報購入要求情報または上記コンテンツ情報所望要求情報を受信した上記放送装置において、上記コンテンツ情報購入要求情報を受信すれば、上記コンテンツ情報購入要求情報を受信したことに基づき、上記識別情報付コンテンツ情報蓄積手段から、それに蓄積されている上記複数の識別情報付コンテンツ情報中の、上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(vii)′上記コンテンツ情報購入要求情報または上記コンテンツ情報所望要求情報を受信した上記放送装置において、上記コンテンツ情報所望要求情報を受信すれば、上記コンテンツ情報所望要求情報を受信したことに基づき、上記識別情報付コンテンツ情報蓄積手段から、それに蓄積されている上記複数の識別情報付コンテンツ情報中の、上記コンテンツ情報所望要求情報の所望希望コンテンツ情報識別情報が表しているコンテンツ情報を、提供コンテンツ情報として、提供コンテンツ情報読出手段によって、上記受信したコンテンツ情報所望要求情報の所望希望コンテンツ情報識別情報と上記識別情報付コンテンツ情報蓄積手段に蓄積されている上記複数の識別情報付コンテンツ情報の識別情報とを用いて、読み出し、その読み出した提供コンテンツ情報を、当該放送装置の送受信手段の送信部または放送手段によって、上記受信したコンテンツ情報購入要求情報の受信装置表示情報を用いて、上記コンテンツ情報所望要求情報を送信した受信装置に向け、送信または放送し、(viii) 上記コンテンツ情報購入要求情報または上記コンテンツ情報所望要求情報を送信した受信装置が、上記放送装置から送信されまたは放送されたコンテンツ情報販売許諾情報またはコンテンツ情報所望許諾情報を、上記コンテンツ情報販売許諾情報またはコンテンツ情報所望許諾情報が上記放送装置の送受信手段の送信部によって送信されたか放送手段によって放送されたかに応じて、当該受信装置の送受信手段の受信部によってまたは放送受信手段によって、受信し、(ix)上記コンテンツ情報販売許諾��報またはコンテンツ情報所望許諾情報を受信した受信装置において、上記コンテンツ情報販売許諾情報を受信した場合、上記コンテンツ情報販売許諾情報を受信したことに基づき、上記識別情報付コンテンツ情報蓄積手段から、それに蓄積されている上記複数の識別情報付コンテンツ情報中の上記コンテンツ情報販売許諾情報の購入希望コンテンツ情報識別情報が表しているコンテンツ情報を、購入コンテンツ情報として、購入所望コンテンツ情報読出手段によって、上記コンテンツ情報販売許諾情報の購入希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積し、(ix)′ 上記コンテンツ情報販売許諾情報またはコンテンツ情報所望許諾情報を受信した受信装置において、上記コンテンツ情報所望許諾情報を受信した場合、上記コンテンツ情報所望許諾情報を受信したことに基づき、上記識別情報付コンテンツ情報蓄積手段から、それに蓄積されている上記複数の識別情報付コンテンツ情報中の上記コンテンツ情報所望許諾情報の購入希望コンテンツ情報識別情報が表しているコンテンツ情報を、所望コンテンツ情報として、購入所望コンテンツ情報読出手段によって、上記コンテンツ情報所望許諾情報の所望希望コンテンツ情報識別情報と上記識別情報付コンテンツ情報蓄積手段に蓄積されている上記複数の識別情報付コンテンツ情報の識別情報とを用いて、読み出し、その読み出した購入コンテンツ情報を、購入所望コンテンツ情報蓄積手段に蓄積するようになされている。
【００２１】
本願第１７番目の発明によるコンテンツ情報放送受信システムは、(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、(i)″上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、(ii)上記受信装置が、上記放送装置から順次放送される複数の付加情報付コンテンツ情報を、放送受信手段を用いて、受信し、(iii)上記複数の付加情報付コンテンツ情報を受信した受信装置において、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の表示不能識別情報付コンテンツ情報を、表示不能識別情報付コンテンツ情報蓄積手段に蓄積し、(iii)′上記複数の表示不能識別情報付コンテンツ情報を蓄積した、上記表示不能識別情報付コンテンツ情報蓄積手段から、それに蓄積された複数の表示不能識別情報付コンテンツ情報の識別情報を、コンテンツ情報読出手段によって、適時順次読み出し、その読み出した複数の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(v)上記コンテンツ情報購入要求情報を生成した受信装置から、上記コンテンツ情報購入要求情報を、当該受信装置の送受信手段の送信部によって、上記放送装置に向け、送信し、(vi)上記放送装置が、上記コンテンツ情報購入要求情報を送信した受信装置から送信されたコンテンツ情報購入要求情報を、当該放送装置の送受信手段の受信部によって、受信し、(vii)上記放送装置において、上記コンテンツ情報購入要求情報を受信したこ���に基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、(ix) 上記コンテンツ情報販売許諾情報を受信した受信装置において、上記コンテンツ情報販売許諾情報を受信したことに基づき、上記表示不能識別情報付コンテンツ情報蓄積手段に蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報から、上記放送装置における表示不能コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記表示不能識別情報付コンテンツ情報蓄積手段に蓄積するかの一又はそれらの組み合わせで構成されるようになされている。
【００２２】
本願第１８番目の発明によるコンテンツ情報放送装置は、(i)複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、上記複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、且つ上記複数のコンテンツ情報を、それら複数のコンテンツ情報の識別情報とともに、複数の識別情報付コンテンツ情報となされ、(i)′上記複数の識別情報付コンテンツ情報を、上記複数の表示不能識別情報付コンテンツ情報とともに、複数の付加情報付コンテンツ情報として、放送手段によって、受信装置へ向け、順次放送するようになされ、(ii)当該放送装置が上記複数の付加情報付コンテンツ情報を順次放送することによって上記受信装置が、上記複数の付加情報付コンテンツ情報を、受信し、上記受信した複数の付加情報付コンテンツ情報の表示不能識別情報付コンテンツ情報を、当該受信装置の表示不能識別情報付コンテンツ情報蓄積手段に蓄積し、上記表示不能識別情報付コンテンツ情報蓄積手段からそれに蓄積された表示不能識別情報付コンテンツ情報の識別情報を適時順次読み出したことに基づき、当該受信装置からその送受信手段の送信部によって送信される、当該受信装置を表している受信装置表示情報と当該受信装置が上記表示不能識別情報付コンテンツ情報蓄積手段から読み出した複数の表示不能識別情報付コンテンツ情報の識別情報中から選択された一の識別情報である購入したいコンテンツ情報の識別情報(以下購入希望コンテンツ情報識別情報という)とを有するコンテンツ情報購入要求情報を、当該放送装置の送受信手段の受信部によって、受信し得るようになされ、(iii)上記コンテンツ情報購入要求情報を受信すれば、それに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、その生成したコンテンツ情報販売許諾情報を、上記送受信手段の送信部または上記放送手段によって、上記受信したコンテンツ情報購入要求情報の受信装置表示情報を用いて、上記コンテンツ情報購入要求情報を送信した受信装置に向け、そのコンテンツ情報販売許諾情報によって上記受信装置の表示不能識別情報付コンテンツ情報蓄積手段に蓄積されている複数の表示不能識別情報付コンテンツ情報中の上記コンテンツ情報販売許諾情報の購入希望コンテンツ情報識別情報が表している表示不能コンテンツ情報が読み出され、その読み出された表示不能コンテンツ情報が購入コンテンツ情報として上記ノイズを除去して再生され、その再生された購入コンテンツ情報をコンテンツ情報表示手段によって表示するか又は上記���示不能識別情報付コンテンツ情報蓄積手段に蓄積するかの一又はそれらの組み合わせで構成され得べく、送信または放送し得るようになされている。
【００２３】
本願第１９番目の発明によるコンテンツ情報受信装置は、(i)放送装置において、複数のコンテンツ情報をそれぞれノイズを混入して表示しようとしても表示不可にさせているまたは表示してもその表示からは内容の把握が充分にできない内容把握不可にさせている複数の表示不能コンテンツ情報を、それら複数の表示不能コンテンツ情報に生成する前の上記複数のコンテンツ情報の識別情報と同じ内容の複数の表示不能コンテンツ情報の識別情報とともに複数の表示不能識別情報付コンテンツ情報とし、且つ上記複数のコンテンツ情報を、それら複数のコンテンツ情報の識別情報とともに、複数の識別情報付コンテンツ情報となされ、(i)′放送装置から順次放送される、上記複数の識別情報付コンテンツ情報と上記複数の表示不能識別情報付コンテンツ情報とを有する複数の付加情報付コンテンツ情報を、放送受信手段を用いて、受信し得るようになされ、(ii)上記複数の付加情報付コンテンツ情報を受信すれば、それに基づき、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の表示不能識別情報付コンテンツ情報を、表示不能識別情報付コンテンツ情報蓄積手段に蓄積し得るようになされ、(ii)′上記複数の表示不能識別情報付コンテンツ情報を蓄積すれば、それに基づき、その蓄積された複数の表示不能識別情報付コンテンツ情報の識別情報を適時読み出し、その読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、(v)当該受信装置が上記コンテンツ情報購入要求情報を送信することによって、上記放送装置が、上記コンテンツ情報購入要求情報を、当該放送装置の送受信手段の受信部によって受信したことに基づき、上記放送装置からその上記送受信手段の送信部または上記放送手段によって当該受信装置に向け送信される、上記放送装置が受信したコンテンツ情報購入要求情報の購入希望コンテンツ情報識別情報を有するコンテンツ情報販売許諾情報を、当該受信装置の送受信手段の受信部によってまたは放送受信手段によって、受信し得るようになされ、(vi)上記コンテンツ情報販売許諾情報を受信すれば、それに基づき、上記表���不能識別情報付コンテンツ情報蓄積手段から、それに蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報を、購入コンテンツ情報として、購入コンテンツ情報再生手段によって、上記ノイズを除去して再生し、その再生した購入コンテンツ情報を、コンテンツ情報表示手段によって表示するか又は上記表示不能識別情報付コンテンツ情報蓄積手段に蓄積するかの一又はそれらの組み合わせで構成され得るようになされている。
【００２４】
本願第２０番目の発明によるコンテンツ情報放送・受信システムは、(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、(i)″上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、(ii)上記受信装置が、上記放送装置から順次放送される複数の付加情報付コンテンツ情報を、放送受信手段を用いて、受信し、(iii)上記複数の付加情報付コンテンツ情報を受信した受信装置において、上記受信した複数の付加情報付コンテンツ情報の表示不能識別情報付コンテンツ情報を、表示不能識別情報付コンテンツ情報蓄積手段に蓄積し、且つ上記受信した複数の付加情報付コンテンツ情報の識別情報付コンテンツ情報から、上記複数のコンテンツ情報を、コンテンツ情報表示手段によって、順次表示し、且つ上記複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(v)上記コンテンツ情報購入要求情報を生成した受信装置から、上記コンテンツ情報購入要求情報を、当該受信装置の送受信手段の送信部によって、上記放送装置に向け、送信し、(vi)上記放送装置が、上記コンテンツ情報購入要求情報を送信した受信装置から送信されたコンテンツ情報購入要求情報を、当該放送装置の送受信手段の受信部によって、受信し、(vii)上記放送装置において、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、(ix) 上記コンテンツ情報販売許諾情報を受信した受信装置において、上記コンテンツ情報販売許諾情報を受信したことに基づき、上記表示不能識別情報付コンテンツ情報蓄積手段に蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報から、上記放送装置における表示不能コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記表示不能識別情報付コンテンツ情報蓄積手段に蓄積するかの一又はそれらの組み合わせで構成されるようになされている。
【００２５】
本願第２１番目の発明によるコンテンツ情報受信装置は、(i)放送装置において、複数のコンテンツ情報をそれぞれノイズを混入して表示しようとしても表示不可にさせているまたは表示してもその表示からは内容の把握が充分にできない内容把握不可にさせている複数の表示不能コンテンツ情報を、それら複数の表示不能コンテンツ情報に生成する前の上記複数のコンテンツ情報の識別情報と同じ内容の複数の表示不能コンテンツ情報の識別情報とともに複数の表示不能識別情報付コンテンツ情報とし、且つ上記複数のコンテンツ情報を、それら複数のコンテンツ情報の識別情報とともに、複数の識別情報付コンテンツ情報となされ、(i)′放送装置から順次放送される、上記複数の識別情報付コンテンツ情報と上記複数の表示不能識別情報付コンテンツ情報とを有する複数の付加情報付コンテンツ情報を、放送受信手段を用いて、受信し得るようになされ、(ii) 上記複数の付加情報付コンテンツ情報を受信すれば、それに基づき、その上記複数の付加情報付コンテンツ情報中の複数の表示不能識別情報付コンテンツ情報を、表示不能識別情報付コンテンツ情報蓄積手段に順次蓄積し得るようになされ、(ii)′上記複数の表示不能識別情報付コンテンツ情報を蓄積すれば、それに基づき、その蓄積された複数の表示不能識別情報付コンテンツ情報の識別情報を適時読み出し、その読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、(v)当該受信装置が上記コンテンツ情報購入要求情報を送信することによって、上記放送装置が、上記コンテンツ情報購入要求情報を、当該放送装置の送受信手段の受信部によって受信したことに基づき、上記放送装置からその上記送受信手段の送信部または上記放送手段によって当該受信装置に向け送信される、上記放送装置が受信したコンテンツ情報購入要求情報の購入希望コンテンツ情報識別情報を有するコンテンツ情報販売許諾情報を、当該受信装置の送受信手段の受信部によってまたは放送受信手段によって、受信し得るようになされ、(vi)上記コンテンツ情報販売許諾情報を受信すれば、それに基づき、上記表示不能識別情報付コンテンツ情報蓄積手段から、それに蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報を、購入コンテンツ情報として、購入コンテンツ情報再生手段によって、上記ノイズを除去して再生し、その再生した購入コンテンツ情報を、コンテンツ情報表示手段によって表示するか又は上記表示不能識別情報付コンテンツ情報蓄積手段に蓄積するかの一又はそれらの組み合わせで構成され得るようになされている。
【００２６】
本願第２２番目の発明によるコンテンツ情報放送・受信システムは、(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、(i)″上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、(ii)上記受信装置が、上記放送装置から順次放送される複数の付加情報付コンテンツ情報を、放送受信手段を用いて、受信し、(iii)上記複数の付加情報付コンテンツ情報を受信した受信装置において、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の表示不能識別情報付コンテンツ情報を、表示不能識別情報付コンテンツ情報蓄積手段に蓄積し、(iii)′上記複数の表示不能識別情報付コンテンツ情報を蓄積した受信装置において、上記表示不能識別情報付コンテンツ情報蓄積手段から、それに蓄積された上記複数の表示不能識別情報付コンテンツ情報を、コンテンツ情報読出手段によって、適時順次読み出し、その読み出した複数の表示不能識別情報付コンテンツ情報の表示不能コンテンツ情報を、コンテンツ情報表示手段によって、順次表示し、且つ上記読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(v)上記コンテンツ情報購入要求情報を生成した受信装置から、上記コンテンツ情報購入要求情報を、当該受信装置の送受信手段の送信部によって、上記放送装置に向け、送信し、(vi)上記放送装置が、上記コンテンツ情報購入要求情報を送信した受信装置から送信されたコンテンツ情報購入要求情報を、当該放送装置の送受信手段の受信部によって、受信し、(vii)上記放送装置において、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、(ix) 上記コンテンツ情報販売許諾情報を受信した受信装置において、上記コンテンツ情報販売許諾情報を受信したことに基づき、上記表示不能識別情報付コンテンツ情報蓄積手段に蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報から、上記放送装置における表示不能コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記表示不能識別情報付コンテンツ情報蓄積手段に蓄積するかの一又はそれらの組み合わせで構成されるようになされている。
【００２７】
本願第２３番目の発明によるコンテンツ情報受信装置は、(i)放送装置において、複数のコンテンツ情報をそれぞれノイズを混入して表示しようとしても表示不可にさせているまたは表示してもその表示からは内容の把握が充分にできない内容把握不可にさせている複数の表示不能コンテンツ情報を、それら複数の表示不能コンテンツ情報に生成する前の上記複数のコンテンツ情報の識別情報と同じ内容の複数の表示不能コンテンツ情報の識別情報とともに複数の表示不能識別情報付コンテンツ情報とし、且つ上記複数のコンテンツ情報を、それら複数のコンテンツ情報の識別情報とともに、複数の識別情報付コンテンツ情報となされ、(i)′放送装置から順次放送される、上記複数の識別情報付コンテンツ情報と上記複数の表示不能識別情報付コンテンツ情報とを有する複数の付加情報付コンテンツ情報を、放送受信手段を用いて、受信し得るようになされ、(ii)上記複数の付加情報付コンテンツ情報を受信すれば、それに基づき、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の表示不能識別情報付コンテンツ情報を、表示不能識別情報付コンテンツ情報蓄積手段に蓄積し得るようになされ、(ii)′上記複数の表示不能識別情報付コンテンツ情報を蓄積すれば、それに基づき、その蓄積された上記複数の表示不能識別情報付コンテンツ情報を、コンテンツ情報読出手段によって、適時順次読み出し、その読み出した複数の表示不能識別情報付コンテンツ情報の表示不能コンテンツ情報を、コンテンツ情報表示手段によって、順次表示し、且つその読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、(v)当該受信装置が上記コンテンツ情報購入要求情報を送信することによって、上記放送装置が、上記コンテンツ情報購入要求情報を、当該放送装置の送受信手段の受信部によって受信したことに基づき、上記放送装置からその上記送受信手段の送信部または上記放送手段によって当該受信装置に向け送信される、上記放送装置が受信したコンテンツ情報購入要求情報の購入希望コンテンツ情報識別情報を有するコンテンツ情報販売許諾情報を��当該受信装置の送受信手段の受信部によってまたは放送受信手段によって、受信し得るようになされ、(vi)上記コンテンツ情報販売許諾情報を受信すれば、それに基づき、上記表示不能識別情報付コンテンツ情報蓄積手段から、それに蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報を、購入コンテンツ情報として、購入コンテンツ情報再生手段によって、上記ノイズを除去して再生し、その再生した購入コンテンツ情報を、コンテンツ情報表示手段によって表示するか又は上記表示不能識別情報付コンテンツ情報蓄積手段に蓄積するかの一又はそれらの組み合わせで構成され得るようになされている。
【００２８】
本願第２４番目の発明によるコンテンツ情報放送・受信システムは、(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、(i)′′上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、(ii)上記受信装置が、上記放送装置から順次放送される複数の付加情報付コンテンツ情報を、放送受信手段を用いて、受信し、(iii)上記複数の付加情報付コンテンツ情報を受信した受信装置において、上記受信した複数の付加情報付コンテンツ情報の表示不能識別情報付コンテンツ情報を、表示不能識別情報付コンテンツ情報蓄積手段に蓄積し、且つ上記受信した複数の付加情報付コンテンツ情報の識別情報付コンテンツ情報から、上記複数のコンテンツ情報を、コンテンツ情報表示手段によって、順次表示し、且つ上記複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iii)′上記複数の表示不能識別情報付コンテンツ情報を蓄積した受信装置において、上記表示不能識別情報付コンテンツ情報蓄積手段から、それに蓄積された上記複数の表示不能識別情報付コンテンツ情報を、コンテンツ情報読出手段によって、適時順次読み出し、その読み出した複数の表示不能識別情報付コンテンツ情報の表示不能コンテンツ情報を、コンテンツ情報表示手段によって、順次表示し、且つ上記読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報���別情報とを有するコンテンツ情報購入要求情報を生成し、(v)上記コンテンツ情報購入要求情報を生成した受信装置から、上記コンテンツ情報購入要求情報を、当該受信装置の送受信手段の送信部によって、上記放送装置に向け、送信し、(vi)上記放送装置が、上記コンテンツ情報購入要求情報を送信した受信装置から送信されたコンテンツ情報購入要求情報を、当該放送装置の送受信手段の受信部によって、受信し、(vii)上記放送装置において、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、(ix) 上記コンテンツ情報販売許諾情報を受信した受信装置において、上記コンテンツ情報販売許諾情報を受信したことに基づき、上記表示不能識別情報付コンテンツ情報蓄積手段に蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報から、上記放送装置における表示不能コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記表示不能識別情報付コンテンツ情報蓄積手段に蓄積するかの一又はそれらの組み合わせで構成されるようになされている。
【００２９】
本願第２５番目の発明によるコンテンツ情報受信装置は、(i)放送装置において、複数のコンテンツ情報をそれぞれノイズを混入して表示しようとしても表示不可にさせているまたは表示してもその表示からは内容の把握が充分にできない内容把握不可にさせている複数の表示不能コンテンツ情報を、それら複数の表示不能コンテンツ情報に生成する前の上記複数のコンテンツ情報の識別情報と同じ内容の複数の表示不能コンテンツ情報の識別情報とともに複数の表示不能識別情報付コンテンツ情報とし、且つ上記複数のコンテンツ情報を、それら複数のコンテンツ情報の識別情報とともに、複数の識別情報付コンテンツ情報となされ、(i)′放送装置から順次放送される、上記複数の識別情報付コンテンツ情報と上記複数の表示不能識別情報付コンテンツ情報とを有する複数の付加情報付コンテンツ情報を、放送受信手段を用いて、受信し得るようになされ、(ii)上記複数の付加情報付コンテンツ情報を受信すれば、それに基づき、上記受信した複数の付加情報付コンテンツ情報の表示不能識別情報付コンテンツ情報を、表示不能識別情報付コンテンツ情報蓄積手段に蓄積するとともに、上記受信した複数の付加情報付コンテンツ情報の識別情報付コンテンツ情報から、上記複数のコンテンツ情報を、コンテンツ情報表示手段によって、順次表示し、且つ上記受信した複数の付加情報付コンテンツ情報の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(ii)′上記複数の表示不能識別情報付コンテンツ情報を蓄積すれば、それに基づき、その蓄積された上記複数の表示不能識別情報付コンテンツ情報を、コンテンツ情報読出手段によって、適時順次読み出し、その読み出した複数の表示不能識別情報付コンテンツ情報の表示不能コンテンツ情報を、コンテンツ情報表示手段によって、順次表示し、且つその読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、(v)当該受信装置が上記コンテンツ情報購入要求情報を送信することによって、上記放送装置が、上記��ンテンツ情報購入要求情報を、当該放送装置の送受信手段の受信部によって受信したことに基づき、上記放送装置からその上記送受信手段の送信部または上記放送手段によって当該受信装置に向け送信される、上記放送装置が受信したコンテンツ情報購入要求情報の購入希望コンテンツ情報識別情報を有するコンテンツ情報販売許諾情報を、当該受信装置の送受信手段の受信部によってまたは放送受信手段によって、受信し得るようになされ、(vi)上記コンテンツ情報販売許諾情報を受信すれば、それに基づき、上記表示不能識別情報付コンテンツ情報蓄積手段から、それに蓄積されている上記複数の表示不能識別情報付コンテンツ情報中の上記コンテンツ情報販売許諾情報の購入希望コンテンツ情報識別情報が表している表示不能コンテンツ情報を、コンテンツ情報読出手段によって、上記コンテンツ情報販売許諾情報の購入希望コンテンツ情報識別情報と上記表示不能識別情報付コンテンツ情報蓄積手段に蓄積されている上記複数の表示不能識別情報付コンテンツ情報の識別情報とを用いて、読み出し、その読み出した表示不能コンテンツ情報を、購入コンテンツ情報として、購入コンテンツ情報再生手段によって、上記ノイズを除去して再生し、その再生した購入コンテンツ情報を、コンテンツ情報表示手段によって表示するか又は上記表示不能識別情報付コンテンツ情報蓄積手段に蓄積するかの一又はそれらの組み合わせで構成され得るようになされている。
【００３０】
本願第２６番目の発明によるコンテンツ情報放送・受信システムは、(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、生成し、(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、(i)″上記放送装置において、上記複数の識別情報付コンテンツ情報は、識別情報付コンテンツ情報蓄積手段に蓄積されており、(i)″′上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、(ii)上記受信装置が、上記放送装置から順次放送される複数の付加情報付コンテンツ情報を、放送受信手段を用いて、受信し、(iii)上記複数の付加情報付コンテンツ情報を受信した受信装置において、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の表示不能識別情報付コンテンツ情報を、表示不能識別情報付コンテンツ情報蓄積手段に蓄積し、(iii)′上記複数の表示不能識別情報付コンテンツ情報を蓄積した、上記表示不能識別情報付コンテンツ情報蓄積手段から、上記複数の表示不能識別情報付コンテンツ情報を、コンテンツ情報読出手段によって、適時順次読み出し、その読み出した複数の表示不能識別情報付コンテンツ情報の表示不能コンテンツ情報を、上記コンテンツ情報表示手段によって、順次表示し、且つ上記読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(v)上記コンテンツ情報購入要求情報を生成した受信装置から、上記コンテンツ情報購入要求情報を、当該受信装置の送受信手段の送信部によって、上記放送装置に向け、送信し、(vi)上記放送装置が、上記コンテンツ情報購入要求情報を送信した受信装置から送信されたコンテンツ情報購入要求情報を、当該放送装置の送受信手段の受信部によって、受信し、(vii)上記放送装置において、上記コンテンツ情報購入要求情報を受信したことに基づき、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(viii)上記コンテンツ情報購入要求情報を送信した受信装置が、上記放送装置から送信された販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し、(ix)上記購入コンテンツ情報を受信した受信装置において、上記受信した購入コンテンツ情報を、購入コンテンツ情報蓄積手段に蓄積するようになされている。
【００３１】
本願第２７番目の発明によるコンテンツ情報放送・受信システムは、(i)放送装置において、複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、生成し、(i)′上記放送装置において、上記複数の表示不能コンテンツ情報に生成される前の上記複数のコンテンツ情報を、それら複数のコンテンツ情報の識別情報とともに、複数の識別情報付コンテンツ情報とし、且つ上記生成された複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、(i)″上記放送装置において、上記複数の識別情報付コンテンツ情報は、識別情報付コンテンツ情報蓄積手段に蓄積されており、(i)″′上記放送装置から、上記複数の識別情報付コンテンツ情報を、上記複数の表示不能識別情報付コンテンツ情報とともに、複数の付加情報付コンテンツ情報として放送手段によって、受信装置へ向け、順次放送し、(ii)上記受信装置が、上記放送装置から順次放送される複数の付加情報付コンテンツ情報を、放送受信手段を用いて、受信し、(iii) 上記複数の付加情報を受信した受信装置において、上記受信した複数の付加情報付コンテンツ情報から、上記複数の表示不能識別情報付コンテンツ情報を、表示不能識別情報付コンテンツ情報蓄積手段に蓄積し、且つ上記受信した複数の付加情報付コンテンツ情報の識別情報付コンテンツ情報から、上記複数のコンテンツ情報を、コンテンツ情報表示手段によって、順次表示し、且つ上記複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iii)′上記複数の表示不能識別情報付コンテンツ情報を蓄積した、上記表示不能識別情報付コンテンツ情報蓄積手段から、上記複数の表示不能識別情報付コンテンツ情報を、コンテンツ情報読出手段によって、適時順次読み出し、その読み出した複数の表示不能識別情報付コンテンツ情報の表示不能コンテンツ情報を、上記コンテンツ情報表示手段によって、順次表示し、且つ上記読み出した複数の表示不能識別情報付コンテンツ情報の識別情報を、上記識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(v)上記コンテンツ情報購入要求情報を生成した受信装置から、上記コンテンツ情報購入要求情報を、当該受信装置の送受信手段の送信部によって、上記放送装置に向け、送信し、(vi)上記放送装置が、上記コンテンツ情報購入要求情報を送信した受信装置から送信されたコンテンツ情報購入要求情報を、当該放送装置の送受信手段の受信部によって、受信し、(vii)上記放送装置において、上記コンテンツ情報購入要求情報を受信したことに基づき、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(viii)上記コンテンツ情報購入要求情報を送信した受信装置が、上記放送装置から送信された販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し、(ix)上記購入コンテンツ情報を受信した受信装置において、上記受信した購入コンテンツ情報を、購入コンテンツ情報蓄積手段に蓄積するようになされている。
【００３２】
本願第２８番目の発明によるコンテンツ情報放送装置は、(i)複数のコンテンツ情報から、それらをそれぞれノイズを混入して表示しようとしても表示不可にさせているまたは表示してもその表示からは内容の把握が充分にできない内容把握不可にさせている複数の表示不能コンテンツ情報を、表示不能コンテンツ情報生成手段によって、上記複数のコンテンツ情報にそれぞれ再生可能な状態に生成し、上記複数の表示不能コンテンツ情報を、それら複数の表示不能コンテンツ情報に生成する前の上記複数のコンテンツ情報の識別情報と同じ内容の複数の表示不能コンテンツ情報の識別情報とともに、複数の表示不能識別情報付コンテンツ情報とし、且つ上記複数のコンテンツ情報を、それら複数のコンテンツ情報の識別情報とともに、複数の識別情報付コンテンツ情報となされ、(i)′上記複数の識別情報付コンテンツ情報を、上記複数の表示不能識別情報付コンテンツ情報とともに、複数の付加情報付コンテンツ情報として、放送手段によって、受信装置へ向け、順次放送するようになされ、(i)″上記複数の識別情報付コンテンツ情報は、当該放送装置の識別情報付コンテンツ情報蓄積手段に蓄積されているようになされ、(ii)当該放送装置が上記複数の付加情報付コンテンツ情報を順次放送することによって上記受信装置が、上記複数の付加情報付コンテンツ情報を、受信し、上記受信した複数の付加情報付コンテンツ情報の表示不能識別情報付コンテンツ情報を、当該受信装置の表示不能識別情報付コンテンツ情報蓄積手段に蓄積し、上記表示不能識別情報付コンテンツ情報蓄積手段からそれに蓄積された表示不能識別情報付コンテンツ情報の識別情報を適時順次読み出したことに基づき、当該受信装置からその送受信手段の送信部によって送信される、当該受信装置を表している受信装置表示情報と当該受信装置が上記表示不能識別情報付コンテンツ情報蓄積手段から読み出した複数の表示不能識別情報付コンテンツ情報の識別情報中から選択された一の識別情報である購入したいコンテンツ情報の識別情報(以下購入希望コンテンツ情報識別情報という)とを有するコンテンツ情報購入要求情報、及び当該放送装置が上記複数の付加情報付コンテンツ情報を順次放送することによって上記受信装置が、上記複数の付加情報付コンテンツ情報を、受信したことに基づき、当該受信装置からその送受信手段の送信部によって送信される、当該受信装置を表している受信装置表示情報と上記複数の付加情報付コンテンツ情報の識別情報付コンテンツ情報の識別情報中から選択された一の識別情報である購入したいコンテンツ情報の識別情報(以下購入希望コンテンツ情報識別情報という)とを有するコンテンツ情報購入要求情報を、各別に、当該放送装置の送受信手段の受信部によって、受信し得るようになされ、(iii)上記コンテンツ情報購入要求情報を受信すれば、それに基づき、当該放送装置の上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コン��ンツ情報識別情報と当該放送装置の上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の上記送受信手段の送信部または上記放送手段によって、上記受信したコンテンツ情報購入要求情報の受信装置表示情報を用いて、上記コンテンツ情報購入要求情報を送信した受信装置に向け、当該受信装置の上記表示不能コンテンツ情報蓄積手段に蓄積され得べく、送信または放送し得るようになされている。
【００３３】
本願第２９番目の発明によるコンテンツ情報受信装置は、(i)放送装置において、複数のコンテンツ情報をそれぞれノイズを混入して表示しようとしても表示不可にさせているまたは表示してもその表示からは内容の把握が充分にできない内容把握不可にさせている複数の表示不能コンテンツ情報を、それら複数の表示不能コンテンツ情報に生成する前の上記複数のコンテンツ情報の識別情報と同じ内容の複数の表示不能コンテンツ情報の識別情報とともに複数の表示不能識別情報付コンテンツ情報とし、且つ上記複数のコンテンツ情報を、それら複数のコンテンツ情報の識別情報とともに、複数の識別情報付コンテンツ情報となされ、(i)′放送装置から順次放送される、上記複数の識別情報付コンテンツ情報と上記複数の表示不能識別情報付コンテンツ情報とを有する複数の付加情報付コンテンツ情報を、放送受信手段を用いて、受信し得るようになされ、(ii)上記複数の付加情報付コンテンツ情報を受信すれば、それに基づき、上記受信した複数の付加情報付コンテンツ情報の表示不能識別情報付コンテンツ情報を、表示不能識別情報付コンテンツ情報蓄積手段に蓄積するとともに、上記受信した複数の付加情報付コンテンツ情報の識別情報付コンテンツ情報から、上記複数のコンテンツ情報を、コンテンツ情報表示手段によって、順次表示し、且つ上記受信した複数の付加情報付コンテンツ情報の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(ii)′上記複数の表示不能識別情報付コンテンツ情報を蓄積すれば、それに基づき、その蓄積された上記複数の表示不能識別情報付コンテンツ情報を、コンテンツ情報読出手段によって、適時順次読み出し、その読み出した複数の表示不能識別情報付コンテンツ情報の表示不能コンテンツ情報を、コンテンツ情報表示手段によって、順次表示し、且つその読み出した複数の表示不能識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、(v)当該受信装置が上記コンテンツ情報購入要求情報を送信することによって、上記放送装置が上記コ��テンツ情報購入要求情報を受信したことに基づき、当該放送装置の送受信手段の送信部から送信されまたは放送手段から放送される、上記複数のコンテンツ情報中の上記コンテンツ情報購入要求情報の購入希望コンテンツ情報識別情報が表しているコンテンツ情報である販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し得るようになされ、(vi)上記購入コンテンツ情報を受信すれば、それに基づき、その購入コンテンツ情報を、上記表示不能コンテンツ情報蓄積手段に蓄積し得るようになされている。
【００３４】
本願第３０番目の発明によるコンテンツ情報放送・受信システムは、(i)放送装置において、複数のコンテンツ情報から、それらをそれぞれノイズを混入して質劣化させている複数の質劣化コンテンツ情報を、質劣化コンテンツ情報生成手段によって、生成し、(i)′上記放送装置において、上記複数の質劣化コンテンツ情報に生成される前の上記複数のコンテンツ情報を、それら複数のコンテンツ情報の識別情報とともに、複数の識別情報付コンテンツ情報とし、且つ上記生成された複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、(i)″上記放送装置から、上記複数の識別情報付コンテンツ情報を、上記複数の質劣化識別情報付コンテンツ情報とともに、複数の付加情報付コンテンツ情報として放送手段によって、受信装置へ向け、順次放送し、(ii)上記受信装置が、上記放送装置から順次放送される複数の付加情報付コンテンツ情報を、放送受信手段を用いて、受信し、(iii)上記複数の付加情報付コンテンツ情報を受信した受信装置において、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の質劣化識別情報付コンテンツ情報を、質劣化識別情報付コンテンツ情報蓄積手段に蓄積し、(iii)′上記複数の質劣化識別情報付コンテンツ情報を蓄積した、上記質劣化識別情報付コンテンツ情報蓄積手段から、上記複数の質劣化識別情報付コンテンツ情報を、コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(v)上記コンテンツ情報購入要求情報を生成した受信装置から、上記コンテンツ情報購入要求情報を、当該受信装置の送受信手段の送信部によって、上記放送装置に向け、送信し、(vi)上記放送装置が、上記コンテンツ情報購入要求情報を送信した受信装置から送信されたコンテンツ情報購入要求情報を、当該放送装置の送受信手段の受信部によって、受信し、(vii)上記放送装置において、上記コンテンツ情報購入要求情報を受信したことに基づき、当該受信したコンテンツ情報���入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、(ix) 上記コンテンツ情報販売許諾情報を受信した受信装置において、上記コンテンツ情報販売許諾情報を受信したことに基づき、上記質劣化識別情報付コンテンツ情報蓄積手段に蓄積されている上記複数の質劣化識別情報付コンテンツ情報中の上記コンテンツ情報販売許諾情報の購入希望コンテンツ情報識別情報が表している質劣化コンテンツ情報を、コンテンツ情報読出手段によって、上記コンテンツ情報販売許諾情報の購入希望コンテンツ情報識別情報と上記質劣化識別情報付コンテンツ情報蓄積手段に蓄積されている上記複数の質劣化識別情報付コンテンツ情報の識別情報とを用いて、読み出し、その読み出した質劣化コンテンツ情報から、上記放送装置における質劣化コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記質劣化識別情報付コンテンツ情報蓄積手段に蓄積するかの一又はそれらの組み合わせで構成されるようになされている。
【００３５】
本願第３１番目の発明によるコンテンツ情報放送装置は、(i)複数のコンテンツ情報から、それらをそれぞれノイズを混入して質劣化させている複数の質劣化コンテンツ情報を質劣化コンテンツ情報生成手段によって、生成し、上記複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、且つ上記複数のコンテンツ情報を、それら複数のコンテンツ情報の識別情報とともに、複数の識別情報付コンテンツ情報となされ、(i)′上記複数の識別情報付コンテンツ情報を、上記複数の質劣化識別情報付コンテンツ情報とともに、複数の付加情報付コンテンツ情報として、放送手段によって、受信装置へ向け、順次放送するようになされ、(ii)当該放送装置が上記複数の付加情報付コンテンツ情報を順次放送することによって上記受信装置が、上記複数の付加情報付コンテンツ情報を、受信し、上記受信した複数の付加情報付コンテンツ情報の質劣化識別情報付コンテンツ情報を、当該受信装置の質劣化識別情報付コンテンツ情報蓄積手段に蓄積し、上記質劣化識別情報付コンテンツ情報蓄積手段からそれに蓄積された質劣化識別情報付コンテンツ情報の識別情報を適時順次読み出したことに基づき、当該受信装置からその送受信手段の送信部によって送信される、当該受信装置を表している受信装置表示情報と当該受信装置が上記質劣化識別情報付コンテンツ情報蓄積手段から読み出した複数の質劣化識別情報付コンテンツ情報の識別情報中から選択された一の識別情報である購入したいコンテンツ情報の識別情報(以下購入希望コンテンツ情報識別情報という)とを有するコンテンツ情報購入要求情報を、当該放送装置の送受信手段の受信部によって、受信し得るようになされ、(iii)上記コンテンツ情報購入要求情報を受信すれば、それに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、その生成したコンテンツ情報販売許諾情報を、上記送受信手段の送信部または上記放送手段によって、上記受信したコンテンツ情報購入要求情報の受信装置表示情報を用いて、上記コンテンツ情報購入要求情報を送信した受信装置に向け、そのコンテンツ情報販売許諾情報によって上記受信装置の質劣化識別情報付コンテンツ情報蓄積手段に蓄積されている複数の質劣化識別情報付コンテンツ情報中の上記コンテンツ情報販売許諾情報の購入希望コンテンツ情報識別情報が表している質劣化コンテンツ情報が読み出され、その読み出された質劣化コンテンツ情報が購入コンテンツ情報として上記ノイズを除去して再生され、その再生された購入コンテンツ情報をコンテンツ情報表示手段によって表示するか又は上記質劣化識別情報付コンテンツ情報蓄積手段に蓄積するかの一又はそれらの組み合わせで構成され得べく、送信または放送し得るようになされている。
【００３６】
本願第３２番目の発明によるコンテンツ情報受信装置は、(i)放送装置において、複数のコンテンツ情報をそれぞれノイズを混入して質劣化させている複数の質劣化コンテンツ情報を、それら複数の質劣化コンテンツ情報に生成する前の上記複数のコンテンツ情報の識別情報と同じ内容の複数の質劣化コンテンツ情報の識別情報とともに複数の質劣化識別情報付コンテンツ情報とし、且つ上記複数のコンテンツ情報を、それら複数のコンテンツ情報の識別情報とともに、複数の識別情報付コンテンツ情報となされ、(i)′放送装置から順次放送される、上記複数の識別情報付コンテンツ情報と上記複数の質劣化識別情報付コンテンツ情報とを有する複数の付加情報付コンテンツ情報を、放送受信手段を用いて、受信し得るようになされ、(ii)上記複数の付加情報付コンテンツ情報を受信すれば、それに基づき、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の質劣化識別情報付コンテンツ情報を、質劣化識別情報付コンテンツ情報蓄積手段に蓄積し得るようになされ、(ii)′上記複数の質劣化識別情報付コンテンツ情報を蓄積すれば、それに基づき、その蓄積された複数の質劣化識別情報付コンテンツ情報の識別情報を適時読み出し、その読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、(v)当該受信装置が上記コンテンツ情報購入要求情報を送信することによって、上記放送装置が、上記コンテンツ情報購入要求情報を、当該放送装置の送受信手段の受信部によって受信したことに基づき、上記放送装置からその上記送受信手段の送信部または上記放送手段によって当該受信装置に向け送信される、上記放送装置が受信したコンテンツ情報購入要求情報の購入希望コンテンツ情報識別情報を有するコンテンツ情報販売許諾情報を、当該受信装置の送受信手段の受信部によってまたは放送受信手段によって、受信し得るようになされ、(vi)上記コンテンツ情報販売許諾情報を受信すれば、それに基づき、上記質劣化識別情報付コンテンツ情報蓄積手段から、それに蓄積されている上記複数の質劣化識別情報付コンテンツ情報中の上記コンテンツ情���販売許諾情報の購入希望コンテンツ情報識別情報が表している質劣化コンテンツ情報を、コンテンツ情報読出手段によって、上記コンテンツ情報販売許諾情報の購入希望コンテンツ情報識別情報と上記質劣化識別情報付コンテンツ情報蓄積手段に蓄積されている上記複数の質劣化識別情報付コンテンツ情報の識別情報とを用いて、読み出し、その読み出した質劣化コンテンツ情報を、購入コンテンツ情報として、購入コンテンツ情報再生手段によって、上記ノイズを除去して再生し、その再生した購入コンテンツ情報を、コンテンツ情報表示手段によって表示するか又は上記質劣化識別情報付コンテンツ情報蓄積手段に蓄積するかの一又はそれらの組み合わせで構成され得るようになされている。
【００３７】
本願第３３番目の発明によるコンテンツ情報放送・受信システムは、(i)放送装置において、複数のコンテンツ情報から、それらをそれぞれノイズを混入して質劣化させている複数の質劣化コンテンツ情報を、質劣化コンテンツ情報生成手段によって、生成し、(i)′上記放送装置において、上記複数の質劣化コンテンツ情報に生成される前の上記複数のコンテンツ情報を、それら複数のコンテンツ情報の識別情報とともに、複数の識別情報付コンテンツ情報とし、且つ上記生成された複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、(i)″上記放送装置から、上記複数の識別情報付コンテンツ情報を、上記複数の質劣化識別情報付コンテンツ情報とともに、複数の付加情報付コンテンツ情報として放送手段によって、受信装置へ向け、順次放送し、(ii)上記受信装置が、上記放送装置から順次放送される複数の付加情報付コンテンツ情報を、放送受信手段を用いて、受信し、(iii) 上記複数の付加情報を受信した受信装置において、上記受信した複数の付加情報付コンテンツ情報から、上記複数の質劣化識別情報付コンテンツ情報を、質劣化識別情報付コンテンツ情報蓄積手段に蓄積し、且つ上記受信した複数の付加情報付コンテンツ情報の識別情報付コンテンツ情報から、上記複数のコンテンツ情報を、コンテンツ情報表示手段によって、順次表示し、且つ上記複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iii)′上記複数の質劣化識別情報付コンテンツ情報を蓄積した、上記質劣化識別情報付コンテンツ情報蓄積手段から、上記複数の質劣化識別情報付コンテンツ情報を、コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、上記識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iii)″上記複数の付加情報付コンテンツ情報の質劣化識別情報付コンテンツ情報を蓄積した、上記質劣化識別情報付コンテンツ情報蓄積手段から、上記複数の質劣化識別情報付コンテンツ情報を、コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定���の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(v)上記コンテンツ情報購入要求情報を生成した受信装置から、上記コンテンツ情報購入要求情報を、当該受信装置の送受信手段の送信部によって、上記放送装置に向け、送信し、(vi)上記放送装置が、上記コンテンツ情報購入要求情報を送信した受信装置から送信されたコンテンツ情報購入要求情報を、当該放送装置の送受信手段の受信部によって、受信し、(vii)上記放送装置において、上記コンテンツ情報購入要求情報を受信したことに基づき、当該受信したコンテンツ情報購入要求情報の購入希望コンテンツ情報識別情報を有するコンテンツ情報販売許諾情報を、コンテンツ情報販売許諾情報生成手段によって、上記受信したコンテンツ情報購入要求情報の購入希望コンテンツ情報識別情報と別途予め得ている課金情報とを用いて、生成し、そのコンテンツ情報販売許諾情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(viii)上記コンテンツ情報購入要求情報を送信した受信装置が、上記放送装置から送信されたまたは放送手段から放送されたコンテンツ情報販売許諾情報を、上記コンテンツ情報販売許諾情報が上記放送装置の送受信手段の送信部によって送信されたか放送手段によって放送されたかに応じて、当該受信装置の送受信手段の受信部によってまたは放送受信手段によって、受信し、(ix) 上記コンテンツ情報販売許諾情報を受信した受信装置において、上記コンテンツ情報販売許諾情報を受信したことに基づき、上記質劣化識別情報付コンテンツ情報蓄積手段に蓄積されている上記複数の質劣化識別情報付コンテンツ情報中の上記コンテンツ情報販売許諾情報の購入希望コンテンツ情報識別情報が表している質劣化コンテンツ情報を、コンテンツ情報読出手段によって、上記コンテンツ情報販売許諾情報の購入希望コンテンツ情報識別情報と上記質劣化識別情報付コンテンツ情報蓄積手段に蓄積されている上記複数の質劣化識別情報付コンテンツ情報の識別情報とを用いて、読み出し、その読み出した質劣化コンテンツ情報から、上記放送装置における質劣化コンテンツ情報に生成される前のコンテンツ情報を、購入コンテンツ情報として、購入コンテンツ情報再生手段によって、上記ノイズを除去して再生し、その再生した購入コンテンツ情報を、上記コンテンツ表示手段によって表示するか又は上記質劣化識別情報付コンテンツ情報蓄積手段に蓄積するかの一又はそれらの組み合わせで構成されるようになされている。
【００３８】
本願第３４番目の発明によるコンテンツ情報放送・受信システムは、(i)放送装置において、複数のコンテンツ情報から、それらをそれぞれ質劣化させている複数の質劣化コンテンツ情報を、質劣化コンテンツ情報生成手段によって生成し、(i)′上記放送装置において、上記複数の質劣化コンテンツ情報に生成される前の上記複数のコンテンツ情報を、それら複数のコンテンツ情報の識別情報とともに、複数の識別情報付コンテンツ情報とし、且つ上記生成された複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、(i)″上記放送装置において、上記複数の識別情報付コンテンツ情報は、識別情報付コンテンツ情報蓄積手段に蓄積されており、(i)″′上記放送装置から、上記複数の識別情報付コンテンツ情報を、上記複数の質劣化識別情報付コンテンツ情報とともに、複数の付加情報付コンテンツ情報として放送手段によって、受信装置へ向け、順次放送し、(ii)上記受信装置が、上記放送装置から順次放送される複数の付加情報付コンテンツ情報を、放送受信手段を用いて、受信し、(iii)上記複数の付加情報付コンテンツ情報を受信した受信装置において、上記受信した複数の付加情報付コンテンツ情報の識別情報付コンテンツ情報から、上記複数のコンテンツ情報を、コンテンツ情報表示手段によって、順次表示するとともに、上記受信した複数の付加情報付コンテンツ情報の質劣化識別情報付コンテンツ情報を、質劣化識別情報付コンテンツ情報蓄積手段に蓄積し、(iii)′上記複数の質劣化識別情報付コンテンツ情報を蓄積した、上記質劣化識別情報付コンテンツ情報蓄積手段から、上記複数の質劣化識別情報付コンテンツ情報を、コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(v)上記コンテンツ情報購入要求情報を生成した受信装置から、上記コンテンツ情報購入要求情報を、当該受信装置の送受信手段の送信部によって、上記放送装置に向け、送信し、(vi)上記放送装置が、上記コンテンツ情報購入要求情報を送信した受信装置から送信されたコンテンツ情報購入要求情報を、当該放送装置の送受信手段の受信部によって、受信し、(vii)上記���送装置において、上記コンテンツ情報購入要求情報を受信したことに基づき、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(viii)上記コンテンツ情報購入要求情報を送信した受信装置が、上記放送装置から送信された販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し、(ix)上記購入コンテンツ情報を受信した受信装置において、上記受信した購入コンテンツ情報を、購入コンテンツ情報蓄積手段に蓄積するようになされている。
【００３９】
本願第３５番目の発明によるコンテンツ情報放送・受信システムは、(i)放送装置において、複数のコンテンツ情報から、それらをそれぞれ質劣化させている複数の質劣化コンテンツ情報を、質劣化コンテンツ情報生成手段によって生成し、(i)′上記放送装置において、上記複数の質劣化コンテンツ情報に生成される前の上記複数のコンテンツ情報を、それら複数のコンテンツ情報の識別情報とともに、複数の識別情報付コンテンツ情報とし、且つ上記生成された複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、(i)″上記放送装置において、上記複数の識別情報付コンテンツ情報は、識別情報付コンテンツ情報蓄積手段に蓄積されており、(i)″′上記放送装置から、上記複数の識別情報付コンテンツ情報を、上記複数の質劣化識別情報付コンテンツ情報とともに、複数の付加情報付コンテンツ情報として放送手段によって、受信装置へ向け、順次放送し、(ii)上記受信装置が、上記放送装置から順次放送される複数の付加情報付コンテンツ情報を、放送受信手段を用いて、受信し、(iii) 上記複数の付加情報を受信した受信装置において、上記受信した複数の付加情報付コンテンツ情報から、上記複数の質劣化識別情報付コンテンツ情報を、質劣化識別情報付コンテンツ情報蓄積手段に蓄積し、且つ上記受信した複数の付加情報付コンテンツ情報の識別情報付コンテンツ情報から、上記複数のコンテンツ情報を、コンテンツ情報表示手段によって、順次表示し、且つ上記複数の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iii)′上記複数の質劣化識別情報付コンテンツ情報を蓄積した、上記質劣化識別情報付コンテンツ情報蓄積手段から、上記複数の質劣化識別情報付コンテンツ情報を、コンテンツ情報読出手段によって、適時順次読み出し、その読み出した複数の質劣化識別情報付コンテンツ情報の質劣化コンテンツ情報を、上記コンテンツ情報表示手段によって、順次表示し、且つ上記読み出した複数の質劣化識別情報付コンテンツ情報の識別情報を、上記識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し、(iv)上記予定数の識別情報を表示している受信装置において、上記予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し、(v)上記コンテンツ情報購入要求情報を生成した受信装置から、上記コンテンツ情報購入要求情報を、当該受信装置の送受信手段の送信部によって、上記放送装置に向け、送信し、(vi)上記放送装置が、上記コンテンツ情報購入要求情報を送信した受信装置から送信されたコンテンツ情報購入要求情報を、当該放送装置の送受信手段の受信部によって、受信し、(vii)上記放送装置において、上記コンテンツ情報購入要求情報を受信したことに基づき、上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と上記識別情報付コンテンツ情報蓄積手段に蓄積されている上記複数の識別情報付コンテンツ情報の識別情報と別途予め得ている課金情報とを用いて、読み出し、その読み出した販売コンテンツ情報を、当該放送装置の送受信手段の送信部または放送手段によって、上記受信したコンテンツ情報購入要求情報の受信装置表示情報を用いて、上記コンテンツ情報購入要求情報を送信した受信装置に向け、送信または放送し、(viii)上記コンテンツ情報購入要求情報を送信した受信装置が、上記放送装置から送信された販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し、(ix)上記購入コンテンツ情報を受信した受信装置において、上記受信した購入コンテンツ情報を、購入コンテンツ情報蓄積手段に蓄積するようになされている。
【００４０】
本願第３６番目の発明によるコンテンツ情報放送装置は、(i)複数のコンテンツ情報から、それらをそれぞれノイズを混入して質劣化させている複数の質劣化コンテンツ情報を質劣化コンテンツ情報生成手段によって、生成し、上記複数の質劣化コンテンツ情報を、それら複数の質劣化コンテンツ情報に生成する前の上記複数のコンテンツ情報の識別情報と同じ内容の複数の質劣化コンテンツ情報の識別情報とともに、複数の質劣化識別情報付コンテンツ情報とし、且つ上記複数のコンテンツ情報を、それら複数のコンテンツ情報の識別情報とともに、複数の識別情報付コンテンツ情報となされ、(i)′上記複数の識別情報付コンテンツ情報を、上記複数の質劣化識別情報付コンテンツ情報とともに、複数の付加情報付コンテンツ情報として、放送手段によって、受信装置へ向け、順次放送するようになされ、(i)″上記複数の識別情報付コンテンツ情報は、当該放送装置の識別情報付コンテンツ情報蓄積手段に蓄積されているようになされ、(ii)当該放送装置が上記複数の付加情報付コンテンツ情報を順次放送することによって上記受信装置が、上記複数の付加情報付コンテンツ情報を、受信し、上記受信した複数の付加情報付コンテンツ情報の質劣化識別情報付コンテンツ情報を、当該受信装置の質劣化識別情報付コンテンツ情報蓄積手段に蓄積し、上記質劣化識別情報付コンテンツ情報蓄積手段からそれに蓄積された質劣化識別情報付コンテンツ情報の識別情報を適時順次読み出したことに基づき、当該受信装置からその送受信手段の送信部によって送信される、当該受信装置を表している受信装置表示情報と当該受信装置が上記質劣化識別情報付コンテンツ情報蓄積手段から読み出した複数の質劣化識別情報付コンテンツ情報の識別情報中から選択された一の識別情報である購入したいコンテンツ情報の識別情報(以下購入希望コンテンツ情報識別情報という)とを有するコンテンツ情報購入要求情報、及び当該放送装置が上記複数の付加情報付コンテンツ情報を順次放送することによって上記受信装置が、上記複数の付加情報付コンテンツ情報を、受信したことに基づき、当該受信装置からその送受信手段の送信部によって送信される、当該受信装置を表している受信装置表示情報と上記複数の付加情報付コンテンツ情報の識別情報付コンテンツ情報の識別情報中から選択された一の識別情報である購入したいコンテンツ情報の識別情報(以下購入希望コンテンツ情報識別情報という)とを有するコンテンツ情報購入要求情報を、各別に、当該放送装置の送受信手段の受信部によって、受信し得るようになされ、(iii)上記コンテンツ情報購入要求情報を受信すれば、それに基づき、当該放送装置の上記識別情報付コンテンツ情報蓄積手段から、それに蓄積されている上記複数の識別情報付コンテンツ情報中の上記コンテンツ情報購入要求情報の購入希望コンテンツ情報識別情報が表しているコンテンツ情報を、販売コンテンツ情報として、販売コンテンツ情報読出手段によって、上記受信したコンテンツ情報購入要求情報の購入希望コンテンツ情報識別情報と当該放送装置の上記識別情報付コンテンツ情報蓄積手段に蓄積されている上記複数の識別情報付コンテンツ情報の識別情報と別途予め得ている課金情報とを用いて、読み出し、そ��読み出した販売コンテンツ情報を、当該放送装置の上記送受信手段の送信部または上記放送手段によって、上記受信したコンテンツ情報購入要求情報の受信装置表示情報を用いて、上記コンテンツ情報購入要求情報を送信した受信装置に向け、当該受信装置の上記質劣化コンテンツ情報蓄積手段に蓄積され得べく、送信または放送し得るようになされている。
【００４１】
本願第３７番目の発明によるコンテンツ情報受信装置は、(i)放送装置において、複数のコンテンツ情報をそれぞれノイズを混入して質劣化させている複数の質劣化コンテンツ情報を、それら複数の質劣化コンテンツ情報に生成する前の上記複数のコンテンツ情報の識別情報と同じ内容の複数の質劣化コンテンツ情報の識別情報とともに複数の質劣化識別情報付コンテンツ情報とし、且つ上記複数のコンテンツ情報を、それら複数のコンテンツ情報の識別情報とともに、複数の識別情報付コンテンツ情報となされ、(i)′放送装置から順次放送される、上記複数の識別情報付コンテンツ情報と上記複数の質劣化識別情報付コンテンツ情報とを有する複数の付加情報付コンテンツ情報を、放送受信手段を用いて、受信し得るようになされ、(ii)上記複数の付加情報付コンテンツ情報を受信すれば、それに基づき、上記受信した複数の付加情報付コンテンツ情報の質劣化識別情報付コンテンツ情報を、質劣化識別情報付コンテンツ情報蓄積手段に蓄積するとともに、上記受信した複数の付加情報付コンテンツ情報の識別情報付コンテンツ情報から、上記複数のコンテンツ情報を、コンテンツ情報表示手段によって、順次表示し、且つ上記受信した複数の付加情報付コンテンツ情報の識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(ii)′上記複数の質劣化識別情報付コンテンツ情報を蓄積すれば、それに基づき、その蓄積された上記複数の質劣化識別情報付コンテンツ情報を、コンテンツ情報読出手段によって、適時順次読み出し、その読み出した複数の質劣化識別情報付コンテンツ情報の質劣化コンテンツ情報を、コンテンツ情報表示手段によって、順次表示し、且つその読み出した複数の質劣化識別情報付コンテンツ情報の識別情報を、識別情報表示手段によって、順次表示するとともに、その順次表示された複数の識別情報中のいま表示した識別情報の表示以前に予定数表示したその予定数の識別情報を、それら予定数の識別情報中から一の識別情報を選択可能な状態に表示し得るようになされ、(iii)上記予定数の識別情報を表示し、その表示した予定数の識別情報中から一の識別情報が、購入したいコンテンツ情報の識別情報(以下購入希望コンテンツ情報識別情報という)として、識別情報選択手段によって選択されれば、それに応じて、コンテンツ情報購入要求情報生成手段によって、当該受信装置を表している受信装置表示情報と上記購入希望コンテンツ情報識別情報とを有するコンテンツ情報購入要求情報を生成し得るようになされ、(iv)上記コンテンツ情報購入要求情報を生成すれば、それに基づき、そのコンテンツ情報購入要求情報を、当該受信装置の送受信手段の送信部によって、上記放送装置に向け、送信し得るようになされ、(v)当該受信装置が上記コンテンツ情報購入要求情報を送信することによって、上記放送装置が上記コンテンツ情報購入要求情報を受信したことに基づき、当該放送装置の送受信手段の送信部から送信されまたは放送手段から放送される、上記��数のコンテンツ情報中の上記コンテンツ情報購入要求情報の購入希望コンテンツ情報識別情報が表しているコンテンツ情報である販売コンテンツ情報を、購入コンテンツ情報として、上記販売コンテンツ情報が上記放送装置の送受信手段の送信部によって送信されたか放送手段によって放送されたかに応じて、当該受信装置の送受信手段の受信部によってまたは放送受信手段によって、受信し得るようになされ、(vi)上記購入コンテンツ情報を受信すれば、それに基づき、その購入コンテンツ情報を、上記質劣化コンテンツ情報蓄積手段に蓄積し得るようになされている。
【００４２】
本願第３８番目の発明によるコンテンツ情報放送・受信システムは、本願第４、９、１４、１５、１６、１７、２０、２２、２４、３０、及び３３番目の発明中の一の発明であるコンテンツ情報放送・受信システムにおいて、上記放送装置が、上記コンテンツ情報販売許諾情報を上記受信装置に向け送信または放送することで課金するとする、その課金管理を当該放送装置が受信した上記コンテンツ情報購入要求情報の受信装置表示情報を用いて行うようにした課金管理手段を有するようになされている。
【００４３】
本願第３９番目の発明によるコンテンツ情報放送・受信システムは、本願第４、９、１４、１５、１６、１７、２０、２２、２４、３０、及び３３番目の発明中の一の発明であるコンテンツ情報放送・受信システムにおいて、上記放送装置が、上記コンテンツ情報販売許諾情報の販売管理を当該放送装置が受信した上記コンテンツ情報購入要求情報の識別情報を用いて行うようにしたコンテンツ情報販売管理手段を有するようになされている。
【００４４】
本願第４０番目の発明によるコンテンツ情報放送・受信システムは、本願第４、９、１４、１５、１６、１７、２０、２２、２４、３０、及び３３番目の発明中の一の発明であるコンテンツ情報放送・受信システムにおいて、上記放送装置が、上記コンテンツ情報販売許諾情報を上記受信装置に向け送信または放送することで課金するとする、その課金管理を当該放送装置が受信した上記コンテンツ情報購入要求情報の受信装置表示情報を用いて行うようにした課金管理手段と、上記コンテンツ情報販売許諾情報の販売管理を当該放送装置が受信した上記コンテンツ情報購入要求情報の識別情報を用いて行うようにしたコンテンツ情報販売管理手段とを有するようになされている。
【００４５】
本願第４１番目の発明によるコンテンツ情報放送装置は、本願第１８及び３１番目の発明中の一の発明であるコンテンツ情報放送装置において、上記放送装置が、上記コンテンツ情報販売許諾情報を上記受信装置に向け送信または放送することで課金するとする、その課金管理を当該放送装置が受信した上記コンテンツ情報購入要求情報の受信装置表示情報を用いて行うようにした課金管理手段を有するようになされている。
【００４６】
本願第４２番目の発明によるコンテンツ情報放送装置は、本願第１８及び３１番目の発明中の一の発明であるコンテンツ情報放送装置において、上記放送装置が、上記コンテンツ情報販売許諾情報の販売管理を当該放送装置が受信した上記コンテンツ情報購入要求情報の識別情報を用いて行うようにしたコンテンツ情報販売管理手段を有するようになされている。
【００４７】
本願第４３番目の発明によるコンテンツ情報放送装置は、本願第１８及び３１番目の発明中の一の発明であるコンテンツ情報放送装置において、上記放送装置が、上記コンテンツ情報販売許諾情報を上記受信装置に向け送信または放送することで課金するとする、その課金管理を当該放送装置が受信した上記コンテンツ情報購入要求情報の受信装置表示情報を用いて行うようにした課金管理手段と、上記コンテンツ情報販売許諾情報の販売管理を当該放送装置が受信した上記コンテンツ情報購入要求情報の識別情報を用いて行うようにしたコンテンツ情報販売管理手段とを有するようになされている。
【００４８】
本願第４４番目の発明によるコンテンツ情報放送・受信システムは、本願第１、６、１１、１２、１３、２６、２７、３４及び３５番目の発明中の一の発明であるコンテンツ情報放送・受信システムにおいて、上記放送装置が、上記販売コンテンツ情報を上記受信装置に向け送信または放送することで課金するとする、その課金管理を当該放送装置が受信した上記コンテンツ情報購入要求情報の受信装置表示情報を用いて行うようにした課金管理手段を有するようになされている。
【００４９】
本願第４５番目の発明によるコンテンツ情報放送・受信システムは、本願第１、６、１１、１２、１３、２６、２７、３４及び３５番目の発明中の一の発明であるコンテンツ情報放送・受信システムにおいて、上記放送装置が、上記販売コンテンツ情報の販売管理を当該放送装置が受信した上記コンテンツ情報購入要求情報の識別情報を用いて行うようにしたコンテンツ情報販売管理手段を有するようになされている。
【００５０】
本願第４６番目の発明によるコンテンツ情報放送・受信システムは、本願第１、６、１１、１２、１３、２６、２７、３４及び３５番目の発明中の一の発明であるコンテンツ情報放送・受信システムにおいて、上記放送装置が、上記販売コンテンツ情報を上記受信装置に向け送信または放送することで課金するとする、その課金管理を当該放送装置が受信した上記コンテンツ情報購入要求情報の受信装置表示情報を用いて行うようにした課金管理手段と、上記販売コンテンツ情報の販売管理を当該放送装置が受信した上記コンテンツ情報購入要求情報の識別情報を用いて行うようにしたコンテンツ情報販売管理手段とを有するようになされている。
【００５１】
本願第４７番目の発明によるコンテンツ情報放送装置は、本願第２、７、２８及び３６番目の発明中の一の発明であるコンテンツ情報放送装置において、上記放送装置が、上記販売コンテンツ情報を上記受信装置に向け送信または放送することで課金するとする、その課金管理を当該放送装置が受信した上記コンテンツ情報購入要求情報の受信装置表示情報を用いて行うようにした課金管理手段を有するようになされている。
【００５２】
本願第４８番目の発明によるコンテンツ情報放送装置は、本願第２、７、２８及び３６番目の発明中の一の発明であるコンテンツ情報放送装置において、上記放送装置が、上記販売コンテンツ情報の販売管理を当該放送装置が受信した上記コンテンツ情報購入要求情報の識別情報を用いて行うようにしたコンテンツ情報販売管理手段を有するようになされている。
【００５３】
本願第４９番目の発明によるコンテンツ情報放送装置は、本願第２、７、２８及び３６番目の発明中の一の発明であるコンテンツ情報放送装置において、上記放送装置が、上記販売コンテンツ情報を上記受信装置に向け送信または放送することで課金するとする、その課金管理を当該放送装置が受信した上記コンテンツ情報購入要求情報の受信装置表示情報を用いて行うようにした課金管理手段と、上記販売コンテンツ情報の販売管理を当該放送装置が受信した上記コンテンツ情報購入要求情報の識別情報を用いて行うようにしたコンテンツ情報販売管理手段とを有するようになされている。
【発明を実施するための最良の形態】
【００５４】
本発明による放送装置の第１の実施の形態においては、販売することができる音楽／映像を番組として放送し、前記放送を受信する受信装置である前記放送を視聴する複数の視聴装置において前記音楽／映像を販売することができる放送装置であって、前記音楽／映像を記憶する蓄積手段と、前記音楽／映像を放送する放送手段と、前記複数の視聴装置に前記音楽／映像の識別情報および前記音楽／映像の配信方法を知らせるための識別分類データを生成する識別分類データ生成手段と、前記複数の視聴装置から送信されてくる購入要求データを受信する受信手段と、前記購入要求データに基づき前記視聴装置で決定された前記音楽／映像の配信方法（取得方法）の識別および購入要求のあった前記音楽／映像を前記蓄積手段から選択する購入要求データ認識手段と、購入要求のあった前記音楽／映像を前記複数の視聴装置へ配信（送信）するためのコンテンツ配信手段とを含み、番組として放送する前記音楽／映像のコンテンツそのものを前記放送を視聴する前記複数の視聴装置において販売できるようになされている。
【００５５】
このような本発明による放送装置の第１の実施の形態によれば、蓄積手段が販売することができる音楽／映像を記憶し、放送手段が蓄積手段に記憶している音楽／映像を番組として放送する。蓄積手段に記憶している音楽／映像それぞれには個々の音楽／映像を識別する識別情報が付され、識別分類データ生成手段で生成する識別分類データには蓄積手段に記憶されている音楽／映像それぞれに付されている識別情報と同一の識別情報と音楽／映像を複数の視聴装置へ配信販売するための音楽／映像の配信方法に関する情報とが含まれ、識別分類データが放送手段から放送する音楽／映像に付して放送される。受信手段は放送する音楽／映像を視聴している複数の視聴装置それぞれから識別分類データを含む購入要求データを受信する。購入要求データ認識手段は、受信した購入要求データに基づき、蓄積手段に記憶している音楽／映像の中から、購入要求のあった音楽／映像を選択し、視聴装置で決定された音楽／映像の配信方法（取得方法）を識別する。コンテンツ配信手段は購入要求データに基づき選択された音楽／映像と識別された配信方法により、それぞれの視聴装置に音楽／映像を配信する。これにより複数の視聴装置へ販売することができる音楽／映像とその識別分類データを放送（送信）し、複数の視聴装置それぞれから識別分類データを含んだ購入要求データを受信し、購入要求のあった音楽／映像を購入要求データに基づき複数の視聴装置それぞれへ配信し販売することができるので、放送する音楽／映像を販売する際に音楽／映像のタイトルやアーティスト名などを記憶してもらう必要がなく販売することができる。また、レコードショップやビデオショップへ行く時間を作ってもらう必要もなく、購入意欲が起きた購入者（ユーザ）に対し、即、放送する音楽／映像を販売することができるので、音楽／映像の著作権者、並びに音楽／映像の制作者、並びに音楽／映像の購入者に対し大いに貢献することができる、という作用・効果が得られる。
【００５６】
本発明による放送装置の第２の実施の形態においては、販売することができる音楽／映像を記憶する蓄積手段と、販売することができる音楽／映像を放送する放送手段と、複数の視聴装置に音楽／映像の識別情報および音楽／映像の配信方法を知らせるための識別分類データを生成する識別分類データ生成手段と、複数の視聴装置から送信されてくる購入要求データを受信する受信手段と、購入要求データに基づき視聴装置で決定された音楽／映像の配信方法（取得方法）の識別および購入要求のあった音楽／映像を蓄積手段から選択する購入要求データ認識手段と、購入要求のあった音楽／映像を複数の視聴装置へ配信（送信）するためのコンテンツ配信手段とを含んでいる。
【００５７】
本発明による放送装置の第３の実施の形態においては、本発明による放送装置の第１の実施の形態において、前記放送手段が、前記音楽／映像を前記複数の視聴装置へ一斉同報が可能な同報ネットワークを介し番組として放送（送信）するようになされている。
【００５８】
本発明による放送装置の第４の実施の形態においては、本発明による放送装置の第１の実施の形態において、前記受信手段が、双方向の通信が可能な双方向ネットワークを介して、前記複数の視聴装置それぞれから、前記購入要求データを受信するようになされている。
【００５９】
本発明による放送装置の第５の実施の形態においては、本発明による放送装置の第１の実施の形態において、前記コンテンツ配信手段が、一斉同報が可能な同報ネットワーク又は双方向の通信が可能な双方向ネットワークのうちの一方を介して、前記蓄積手段に記憶する前記音楽／映像を前記複数の視聴装置へ配信（送信）するようになされている。
【００６０】
本発明による放送装置の第６の実施の形態においては、本発明による放送装置の第１の実施の形態において、前記蓄積手段に記憶されている前記音楽／映像それぞれに、個々の音楽／映像を識別するための識別情報が付されている。
【００６１】
本発明による放送装置の第７の実施の形態においては、本発明による放送装置の第１の実施の形態において、前記識別分類データ生成手段で生成する前記識別分類データが、前記蓄積手段に記憶されている前記音楽／映像それぞれに付されている前記識別情報と同一の識別情報と、前記コンテンツ配信手段が前記同報ネットワークを介して前記音楽／映像を配信する第一の情報及び／又は前記コンテンツ配信手段が前記双方向ネットワークを介して前記音楽／映像を配信する第二の情報とを含んでいる。
【００６２】
本発明による放送装置の第８の実施の形態においては、本発明による放送装置の第１の実施の形態において、前記放送手段が、前記音楽／映像を放送する際に、前記識別分類データを、それに放送する前記音楽／映像に付して放送（送信）するようになされている。
【００６３】
本発明による放送装置の第９の実施の形態においては、本発明による放送装置の第１の実施の形態において、前記放送手段から番組として放送する前記音楽／映像が、前記蓄積手段に記憶されている前記音楽／映像の中から選択されるようになされている。
【００６４】
本発明による放送装置の第１０の実施の形態においては、本発明による放送装置の第１の実施の形態において、前記放送手段が、前記音楽／映像をデジタル放送による高音質高画質で放送する場合に前記高音質高画質で放送する前記音楽／映像の著作権が無断複製されることによる被害から保護するための、放送する前記音楽／映像に混入する暗号化したノイズを生成するノイズ生成手段をさらに含んでいる。
【００６５】
本発明による放送装置の第１０の実施の形態によれば、放送手段が音楽／映像をデジタル放送による高音質高画質で放送する場合において、販売することができる音楽／映像を複数の視聴装置に放送する際し、放送する音楽／映像にノイズ生成手段が生成する暗号化したノイズを混入し放送し、高音質高画質の音楽／映像を音質及び／又は画質を幾分低下させて放送することができる。また、暗号化したノイズが、暗号化したノイズを混入した音楽／映像から暗号化したノイズを除去するための暗号鍵と対をなすように生成され、複数の視聴装置が、暗号鍵を有していて、放送手段が放送する暗号化したノイズを混入した音楽／映像から暗号化したノイズを除去して、高音質高画質の音楽／映像を視聴することができる。さらに、複数の視聴装置以外の不特定多数の人々が、放送手段が放送する暗号化したノイズを混入した音楽／映像を受信する場合、音質及び／又は画質が幾分低下した音楽／映像を視聴し楽しめ、複数の視聴装置以外の不特定多数の人々が、高音質高画質放送の音楽／映像を無断複製するのを防ぐ、という作用・効果を有する。
【００６６】
本発明による放送装置の第１１の実施の形態においては、本発明による放送装置の第１０の実施の形態において、前記ノイズ生成手段が生成する前記暗号化したノイズが、前記暗号化したノイズを混入した前記音楽／映像から前記暗号化したノイズを除去するための暗号鍵と対になるように生成され、前記複数の視聴装置が前記暗号鍵を有していて、前記複数の視聴装置が、前記暗号化したノイズを混入した前記音楽／映像を受信した場合、前記暗号鍵により前記暗号化したノイズを除去し、前記高音質高画質の前記音楽／映像に戻して視聴できるようになされている。
【００６７】
本発明による放送装置の第１２の実施の形態においては、本発明による放送装置の第１０の実施の形態において、前記ノイズ生成手段で生成する前記暗号化したノイズを前記音楽／映像に混入することで前記デジタル放送による前記高音質高画質放送の音質及び／又は画質をＡＭ（ＡｍｐｌｉｔｕｄｅＭｏｄｕｌａｔｉｏｎ）、またはＦＭ（ＦｒｅｑｕｅｎｃｙＭｏｄｕｌａｔｉｏｎ）に準ずる音質及び／又は画質に低下させて、前記音楽／映像を前記放送手段から放送するようになされている。
【００６８】
本発明による放送装置の第１３の実施の形態においては、本発明による放送装置の第１０の実施の形態において、前記蓄積手段に記憶されている前記音楽／映像それぞれに付されている識別情報が、放送する前記音楽／映像に前記暗号化したノイズを混入するという第一の情報または放送する前記音楽／映像に前記暗号化したノイズを混入しないという第二の情報を含んでいる。
【００６９】
本発明による放送装置の第１４の実施の形態においては、本発明による放送装置の第１の実施の形態において、前記音楽／映像を販売するのと同様に前記放送手段から番組として放送して、前記複数の視聴装置において販売できる前記音楽／映像以外のコンテンツを、前記同報ネットワークを介して、前記放送手段から前記複数の視聴装置へ放送することができるようになされ、且つ前記同報ネットワークまたは前記双方向ネットワークを介して、前記コンテンツ配信手段から前記複数の視聴装置へ配信（送信）することで販売できるようになされている。
【００７０】
本発明による放送装置の第１５の実施の形態においては、本発明による放送装置の第１の実施の形態において、前記購入要求データに含まれる情報の一つである前記購入要求データを送信した視聴装置が有するユニークなＩＤ（Ｉｄｅｎｔｉｆｉｃａｔｉｏｎ）を管理して、前記音楽／映像を販売する際に課金を行う課金管理手段と、前記購入要求データに含まれる情報の一つである前記音楽／映像の識別情報を集積して、前記音楽／映像の販売データを作成するコンテンツ販売管理手段とをさらに含んでいる。
【００７１】
本発明による放送装置の第１６の実施の形態においては、販売することができる音楽／映像を番組として放送し、前記放送を視聴する複数の視聴装置において前記音楽／映像を販売することができる放送装置であって、前記音楽／映像を記憶する蓄積手段と、前記音楽／映像を放送する放送手段と、前記複数の視聴装置から送信されてくる購入要求データを受信する受信手段と、前記購入要求データに基づき購入要求のあった前記音楽／映像を識別し前記複数の視聴装置へ前記音楽／映像の販売許諾を行うための販売許諾データを生成する販売許諾データ生成手段と、前記販売許諾データを前記複数の視聴装置それぞれへ送信する送信手段とを含み、前記放送する前記音楽／映像を前記複数の視聴装置へ販売する際に、前記販売許諾データを送信することで、前記複数の視聴装置へ前記音楽／映像を配信（送信）する必要が無く、前記音楽／映像を販売することができるようになされている。
【００７２】
本発明による放送装置の第１７の実施の形態においては、本発明による放送装置の第１６の実施の形態において、前記放送手段が、一斉同報が可能な同報ネットワークを介し、前記複数の視聴装置へ前記音楽／映像を番組として放送（送信）するようになされている。
【００７３】
本発明による放送装置の第１８の実施の形態においては、本発明による放送装置の第１６の実施の形態において、前記受信手段が、前記購入要求データを前記複数の視聴装置から双方向の通信が可能な双方向ネットワークを介して受信し、前記送信手段が、前記販売許諾データを前記双方向ネットワークを介して前記複数の視聴装置それぞれへ送信するようになされている。
【００７４】
本発明による放送装置の第１９の実施の形態においては、本発明による放送装置の第１６の実施の形態において、前記蓄積手段に記憶されている前記音楽／映像それぞれに個々の音楽／映像を識別するための識別情報が付され、前記放送手段が、前記音楽／映像を放送する際に、前記識別情報を、放送する前記音楽／映像に付して放送（送信）するようになされている。
【００７５】
本発明による放送装置の第２０の実施の形態においては、本発明による放送装置の第１６の実施の形態において、前記複数の視聴装置が、前記放送手段が放送する前記音楽／映像を受信しその受信した前記音楽／映像を順次自動的に記憶していく自動蓄積手段と前記音楽／映像を購入する際などに音楽／映像を記憶する蓄積手段とを含み、前記販売許諾データ生成手段で生成する前記販売許諾データが、少なくとも、前記視聴装置から購入要求のあった前記音楽／映像の識別情報および前記視聴装置の前記自動蓄積手段から前記視聴装置の前記蓄積手段へ購入要求のあった前記音楽／映像の供給を許可する供給許可データを含んでいる。
【００７６】
本発明による放送装置の第２１の実施の形態においては、本発明による放送装置の第２０の実施の形態において、前記供給許可データを生成する供給許可データ生成手段をさらに含んでいる。
【００７７】
本発明による放送装置の第２２の実施の形態においては、本発明による放送装置の第１６の実施の形態において、前記放送手段から番組として放送する前記音楽／映像が、前記蓄積手段に記憶されている前記音楽／映像の中から選択されるようになされている。
【００７８】
本発明による放送装置の第２３の実施の形態においては、本発明による放送装置の第１６の実施の形態において、前記放送手段が、前記音楽／映像をデジタル放送による高音質高画質で放送する場合に、その音楽／映像の著作権が、無断複製されることによる被害から保護するための、放送する前記音楽／映像に混入する暗号化したノイズを生成するノイズ生成手段をさらに含んでいる。
【００７９】
本発明による放送装置の第２４の実施の形態においては、本発明による放送装置の第２３の実施の形態において、前記ノイズ生成手段が生成する前記暗号化したノイズが、前記暗号化したノイズを混入した前記音楽／映像から前記暗号化したノイズを除去するための暗号鍵と対になるように生成され、前記複数の視聴装置が前記暗号鍵を有し、前記複数の視聴装置が、前記暗号化したノイズを混入した前記音楽／映像を受信した場合、前記暗号鍵により前記暗号化したノイズを除去して、前記高音質高画質の前記音楽／映像に戻し、その音楽／映像を視聴できるようになされている。
【００８０】
本発明による放送装置の第２５の実施の形態においては、本発明による放送装置の第２３の実施の形態において、前記ノイズ生成手段で生成する前記暗号化したノイズを前記音楽／映像に混入することで、前記デジタル放送による前記高音質高画質放送の音質及び／又は画質をＡＭ（ＡｍｐｌｉｔｕｄｅＭｏｄｕｌａｔｉｏｎ）、またはＦＭ（ＦｒｅｑｕｅｎｃｙＭｏｄｕｌａｔｉｏｎ）に準ずる音質及び／又は画質に低下させ、その音質及び／又は画質の低下した前記音楽／映像を前記放送手段から放送するようになされている。
【００８１】
本発明による放送装置の第２６の実施の形態においては、本発明による放送装置の第２３の実施の形態において、前記蓄積手段に記憶されている前記音楽／映像それぞれに付されている識別情報に、放送する前記音楽／映像に前記暗号化したノイズを混入するという第一の情報または放送する前記音楽／映像に前記暗号化したノイズを混入しないという第二の情報を含んでいる。
【００８２】
本発明による放送装置の第２７の実施の形態においては、本発明による放送装置の第１６の実施の形態において、前記音楽／映像を販売するのと同様に前記放送手段から番組として放送して、前記複数の視聴装置において販売できる前記音楽／映像以外のコンテンツを、前記同報ネットワークを介して、前記放送手段から前記複数の視聴装置へ放送することができるようになされ、且つ前記複数の視聴装置へ前記双方向ネットワークを介して、前記販売許諾手段により前記コンテンツの販売許諾データを送信できうる限りにおいて販売できるようになされている。
【００８３】
本発明による放送装置の第２８の実施の形態においては、本発明による放送装置の第１６の実施の形態において、前記購入要求データに含まれる情報の一つである前記購入要求データを送信する送信元を特定するためのＩＤ（Ｉｄｅｎｔｉｆｉｃａｔｉｏｎ）を管理して、前記音楽／映像を販売する際に課金管理を行う課金管理手段と、前記購入要求データに含まれる情報の一つである前記音楽／映像の識別情報を管理して、前記音楽／映像の販売データを管理するコンテンツ販売管理手段とをさらに含んでいる。
【００８４】
本発明による放送方法の第１の実施の形態においては、販売することができる音楽／映像を番組として放送し、前記放送を視聴する複数の視聴装置において前記音楽／映像を販売することができる放送方法であって、前記音楽／映像を記憶する蓄積ステップと、前記音楽／映像を放送する放送ステップと、前記複数の視聴装置に前記音楽／映像の識別情報および前記音楽／映像の配信方法を知らせるための識別分類データを生成する識別分類データ生成ステップと、前記複数の視聴装置から送信されてくる購入要求データを受信する受信ステップと、前記購入要求データに基づき前記視聴装置で決定された前記音楽／映像の配信方法（取得方法）の識別および購入要求のあった前記音楽／映像を前記蓄積手段から選択する購入要求データ認識ステップと、購入要求のあった前記音楽／映像を前記複数の視聴装置へ配信（送信）するためのコンテンツ配信ステップとを含み、番組として放送する前記音楽／映像のコンテンツそのものを前記放送を視聴する前記複数の視聴装置において販売できるようになされている。
このような本発明による放送方法の第１の実施の形態によれば、本発明による放送装置の場合と同様の作用・効果が得られる。
【００８５】
本発明による放送方法の第２の実施の形態においては、販売することができる音楽／映像を記憶する蓄積ステップと、販売することができる音楽／映像を放送する放送ステップと、複数の視聴装置に音楽／映像の識別情報および音楽／映像の配信方法を知らせるための識別分類データを生成する識別分類データ生成ステップと、複数の視聴装置から送信されてくる購入要求データを受信する受信ステップと、購入要求データに基づき視聴装置で決定された音楽／映像の配信方法（取得方法）の識別および購入要求のあった音楽／映像を蓄積手段から選択する購入要求データ認識ステップと、購入要求のあった音楽／映像を複数の視聴装置へ配信（送信）するためのコンテンツ配信ステップとを含んでいる。
【００８６】
本発明による放送方法の第３の実施の形態においては、本発明による放送方法の第１の実施の形態において、前記放送手段が、前記音楽／映像をデジタル放送による高音質高画質で放送する場合にその音楽／映像の著作権が無断複製されることによる被害から保護するための、放送する前記音楽／映像に混入する暗号化したノイズを生成するノイズ生成ステップをさらに含んでいる。
【００８７】
本発明による放送方法の第３の実施の形態によれば、本発明による放送装置の第１０の実施の形態で述べたと同様の作用・効果が得られる。
【００８８】
本発明による放送方法の第４の実施の形態においては、販売することができる音楽／映像を番組として放送し、前記放送を視聴する複数の視聴装置において前記音楽／映像を販売することができる放送方法であって、前記音楽／映像を記憶する蓄積ステップと、前記音楽／映像を放送する放送ステップと、前記複数の視聴装置から送信されてくる購入要求データを受信する受信ステップと、前記購入要求データに基づき購入要求のあった前記音楽／映像を識別し前記複数の視聴装置へ前記音楽／映像の販売許諾を行うための販売許諾データを生成する販売許諾データ生成ステップと、前記販売許諾データを前記複数の視聴装置それぞれへ送信する送信ステップとを含み、前記放送する前記音楽／映像を前記複数の視聴装置へ販売する際に前記販売許諾データを送信することで、前記複数の視聴装置へ前記音楽／映像を配信（送信）する必要無しに、前記音楽／映像を販売することができるようになされている。
【００８９】
本発明による放送方法の第５の実施の形態においては、本発明による放送方法の第４の実施の形態において、前記放送手段が、前記音楽／映像をデジタル放送による高音質高画質で放送する場合にその音楽／映像の著作権が無断複製されることによる被害から保護するための、放送する前記音楽／映像に混入する暗号化したノイズを生成するノイズ生成ステップをさらに含んでいる。
【００９０】
本発明による視聴装置（受信装置）の第１の実施の形態においては、販売することができる音楽／映像をそれに個々の前記音楽／映像を識別するための識別情報および前記音楽／映像の取得方法に関する情報とを含む識別分類データを付して番組として放送する放送装置からの放送を受信して視聴し、視聴する前記音楽／映像を前記放送装置から購入することができる視聴装置であって、前記放送装置からの放送を受信する放送受信手段と、前記放送受信手段で受信した前記音楽／映像を再生する再生手段と、前記放送装置からの放送を視聴して前記音楽／映像の購入要求をする際に、購入要求をする前記音楽／映像の前記識別分類データを確定し選択するための購入選定データを生成する購入選定データ生成手段と、前記音楽／映像の購入を要求する購入要求データを生成する購入要求データ生成手段と、前記購入要求データを前記放送装置へ送信する送信手段と、前記放送装置から前記音楽／映像を購入する際に前記音楽／映像を取得するコンテンツ取得手段と、音楽／映像を記憶する蓄積手段とを含み、視聴する前記音楽／映像のコンテンツそのものを前記放送装置から購入できるようになされている。
【００９１】
このような本発明による視聴装置の第１の実施の形態によれば、放送受信手段が販売することができる音楽／映像を個々の音楽／映像を識別する識別情報と音楽／映像の配信方法（取得方法）に関する情報とを含む識別分類データを付して番組として放送する放送装置からの放送を受信し、再生手段が受信した放送を再生する。購入選定データ生成手段が、購入選定データを生成し、それに放送受信手段が受信する音楽／映像に付されて送信された識別分類データを配置する。識別分類データを配置した購入選定データが表示される。放送を視聴し、視聴する音楽／映像を気に入り、その気に入った音楽／映像を購入する場合、購入を希望する音楽／映像の識別分類データを購入選定データにより確定し選択する。購入要求データ生成手段が、購入要求データを生成し、それに、購入選定データで選択した識別分類データから読み出された購入する音楽／映像の識別情報と音楽／映像の取得方法（配信方法）とを配置し、送信手段が購入要求データを放送装置へ送信する。放送装置から配信される購入要求をした音楽／映像をコンテンツ取得手段により取得し、取得した音楽／映像を蓄積手段に記憶する。これにより、販売できる音楽／映像を番組として放送する放送装置からの放送を視聴し、視聴している音楽／映像が気に入った場合、識別分類データを含んだ購入要求データを放送装置へ送信し、購入要求を出した音楽／映像を放送装置から配信してもらい、それを購入することができるので、放送を視聴する音楽／映像を、購入する際に音楽／映像のタイトルやアーティスト名などを記憶する必要無しに、購入することができる。また、視聴する音楽／映像を、レコードショップやビデオショップへ行く時間を作る必要無しに、購入意欲が起きた時に、即、購入することができるので、音楽／映像の著作権者、制作者、購入者に対し、大いに貢献することができる。
【００９２】
本発明による視聴装置の第２の実施の形態においては、販売することができる音楽／映像をそれに個々の音楽／映像を識別するための識別情報および音楽／映像の取得方法に関する情報とを含む識別分類データを付して番組として放送する放送装置からの放送を受信する放送受信手段と、放送受信手段で受信した音楽／映像を再生する再生手段と、放送装置からの放送を視聴して、音楽／映像の購入要求をする際に購入要求をする音楽／映像の識別分類データを確定し選択するための購入選定データを生成する購入選定データ生成手段と、音楽／映像の購入を要求する購入要求データを生成する購入要求データ生成手段と、購入要求データを放送装置へ送信する送信手段と、放送装置から音楽／映像を購入する際に音楽／映像を取得するコンテンツ取得手段と、音楽／映像を記憶する蓄積手段とを含んでいる。
【００９３】
本発明による視聴装置の第３の実施の形態においては、本発明による視聴装置の第１の実施の形態において、前記放送受信手段が、一斉同報が可能な同報ネットワークを介して、前記音楽／映像を番組として放送（送信）する前記放送装置からの放送を受信するようになされている。
【００９４】
本発明による視聴装置の第４の実施の形態においては、前記コンテンツ取得手段が、一斉同報が可能な同報ネットワーク又は双方向の通信が可能な双方向ネットワークのうちの一方を介して前記放送装置から配信される前記音楽／映像を取得するようになされている。
【００９５】
本発明による視聴装置の第５の実施の形態においては、本発明による視聴装置の第１の実施の形態において、前記送信手段が、前記双方向ネットワークを介し、前記放送装置へ、前記購入要求データを送信するようになされている。
【００９６】
本発明による視聴装置の第６の実施の形態においては、本発明による視聴装置の第１の実施の形態において、前記購入要求データ生成手段で生成する前記購入要求データが、少なくとも、購入要求をする前記音楽／映像の識別情報と、前記コンテンツ取得手段が前記同報ネットワークを介して前記音楽／映像を取得する第一の情報または前記コンテンツ取得手段が前記双方向ネットワークを介して前記音楽／映像を取得する第二の情報と前記購入要求データを送信する送信元を特定するためのＩＤ（Ｉｄｅｎｔｉｆｉｃａｔｉｏｎ）とを含んでいる。
【００９７】
本発明による視聴装置の第７の実施の形態においては、本発明による視聴装置の第１の実施の形態において、前記購入選定データ生成手段が、前記放送受信手段が受信している前記音楽／映像の前記識別分類データを読み出し、それを生成する前記購入選定データに配置すると共に、一つ前に前記放送受信手段が受信した音楽／映像の識別分類データと二つ前に前記放送受信手段が受信した音楽／映像の識別分類データとｎ個前に前記放送受信手段が受信した音楽／映像の識別分類データとを記憶し且つ前記購入選定データに配置するようになされている。
【００９８】
本発明による視聴装置の第８の実施の形態においては、本発明による視聴装置の第１の実施の形態において、前記放送装置が前記音楽／映像をデジタル放送による高音質高画質で放送する場合に、前記音楽／映像を視聴する不特定多数の人々が前記高音質高画質の前記音楽／映像を無断複製するのを防ぐために、前記放送装置が、放送する前記音楽／映像に暗号化したノイズを混入して放送しているものとして、前記放送受信手段で受信した前記暗号化したノイズの混入された前記音楽／映像から前記暗号化したノイズを除去するノイズ除去手段と、前記放送受信手段が受信した前記暗号化したノイズの混入された前記音楽／映像および前記音楽／映像に付されて送信された前記識別分類データをユーザの希望に応じて前記蓄積手段に供給して複製するための無断複製防止手段とをさらに含んでいる。
【００９９】
本発明による視聴装置の第８の実施の形態によれば、放送装置が音楽／映像を、デジタル放送による高音質高画質で放送する場合に、放送装置が放送する音楽／映像に暗号化したノイズを混入することで高音質高画質の音楽／映像を音質及び／又は画質を幾分低下させて放送しているものとして、ノイズ除去手段が、暗号化したノイズを混入された音楽／映像から暗号化したノイズを除去するための暗号鍵を有していて、放送受信手段が受信する暗号化したノイズを混入された音楽／映像から暗号化したノイズを除去することで、高音質高画質の音楽／映像を視聴することができるようになされ、これにより、複数の視聴装置以外の不特定多数の人々が高音質高画質放送の音楽／映像を無断複製するのを防ぐことができる。また、無断複製防止手段が、放送受信手段が受信する暗号化したノイズを混入された音楽／映像およびその音楽／映像に付されて送信された識別分類データを蓄積手段へ供給する。従って、ユーザの希望に応じて、暗号化したノイズを混入された音楽／映像およびその音楽／映像に付されて送信された識別分類データを蓄積手段へ複製記憶することができ、これにより、複数の視聴装置においても高音質高画質放送の音楽／映像を無断複製するのを防ぐことができ、他方、ユーザが音楽／映像を購入する前に蓄積手段に複製してユーザが音楽／映像を何度か視聴したいというユーザの要求に応えることができ、また、ユーザが蓄積手段に複製した音楽／映像を視聴し確認した後にその音楽／映像を購入を要求する場合、ユーザが音楽／映像に付加して蓄積手段に複製した識別分類データに基づき簡便に放送装置へ購入要求を出すことができる。
【０１００】
本発明による視聴装置の第９の実施の形態においては、本発明による視聴装置の第８の実施の形態において、前記放送装置が放送する前記音楽／映像に混入する前記暗号化したノイズが前記暗号化したノイズを除去するための暗号鍵と対になるように生成されているものとして、前記ノイズ除去手段が、前記暗号鍵を有していてその前記暗号鍵により前記暗号化したノイズを混入された前記音楽／映像から前記暗号化したノイズを除去することで前記高音質高画質の前記音楽／映像を視聴することができるようになされている。
【０１０１】
本発明による視聴装置の第１０の実施の形態においては、本発明による視聴装置の第８の実施の形態において、前記放送装置からの放送を視聴するユーザが視聴する前記音楽／映像を購入する前に前記音楽／映像を何度か視聴し確かめたい場合に、前記無断複製防止手段が前記暗号化したノイズを混入された前記音楽／映像および前記音楽／映像に付して送信された前記識別分類データを前記蓄積手段に供給し複製することで、前記高音質高画質の前記音楽／映像の放送を無断複製されることから保護し、ユーザが前記蓄積手段に複製した前記音楽／映像を視聴し、それが気に入り、それを購入する場合、前記蓄積手段に前記音楽／映像に付して記憶されている前記識別分類データに基づき前記購入要求データを生成（構成）し、前記音楽／映像を購入することができるようになされている。
【０１０２】
本発明による視聴装置の第１１の実施の形態においては、本発明による視聴装置の第８の実施の形態において、前記無断複製防止手段が、前記放送受信手段により受信した前記暗号化したノイズを混入された前記音楽／映像の音質及び／又は画質を、ＡＭ（ＡｍｐｌｉｔｕｄｅＭｏｄｕｌａｔｉｏｎ）、またはＦＭ（ＦｒｅｑｕｅｎｃｙＭｏｄｕｌａｔｉｏｎ）に準ずる音質及び／又は画質にして、前記蓄積手段に供給するようになされている。
【０１０３】
本発明による視聴装置の第１２の実施の形態においては、本発明による視聴装置の第１の実施の形態において、前記音楽／映像を購入するのと同様に購入できる前記音楽／映像以外のコンテンツを番組として放送する前記放送装置からの放送を前記同報ネットワークを介して、前記放送受信手段により受信し、前記コンテンツを、前記同報ネットワークまたは前記双方向ネットワークを介して、前記コンテンツ取得手段で取得できうる限りにおいて、前記放送装置から購入できるようになされている。
【０１０４】
本発明による視聴装置の第１３の実施の形態においては、販売することができる音楽／映像をそれに個々の前記音楽／映像を識別するための識別情報を付して番組として放送する放送装置からの放送を受信し視聴し、前記音楽／映像を販売する前記放送装置の販売許諾を得て、視聴する前記音楽／映像を購入することができる視聴装置であって、前記放送装置からの放送を受信する放送受信手段と、前記放送を再生する再生手段と、前記放送受信手段が受信する前記音楽／映像を順次自動的に記憶していく自動蓄積手段と、前記放送装置からの放送を視聴して、前記音楽／映像の購入要求をする際に購入要求をする前記音楽／映像の前記識別情報を確定し選択するための購入選定データを生成する購入選定データ生成手段と、前記音楽／映像の購入要求データを生成する購入要求データ生成手段と、前記購入要求データを前記放送装置へ送信する送信手段と、前記放送装置から送信される販売許諾データを受信する受信手段と、購入した前記音楽／映像を記憶する蓄積手段と、前記販売許諾データの許諾内容に基づき購入要求をした前記音楽／映像を前記自動蓄積手段から前記蓄積手段へ供給する販売許諾データ認識手段とを含んでいる。
【０１０５】
本発明による視聴装置の第１４の実施の形態においては、本発明による視聴装置の第１３の実施の形態において、前記放送受信手段が、一斉同報が可能な同報ネットワークを介し、前記音楽／映像を番組として放送（送信）する放送装置からの放送を受信するようになされている。
【０１０６】
本発明による視聴装置の第１５の実施の形態においては、本発明による視聴装置の第１３の実施の形態において、前記送信手段が、双方向の通信が可能な双方向ネットワークを介して、前記購入要求データを前記放送装置へ送信し、前記受信手段が、前記双方向ネットワークを介して、前記放送装置から送信される前記販売許諾データを受信するようになされている。
【０１０７】
本発明による視聴装置の第１６の実施の形態においては、本発明による視聴装置の第１３の実施の形態において、前記購入要求データ生成手段で生成する前記購入要求データが、少なくとも、購入要求をする前記音楽／映像の識別情報および前記購入要求データを送信する送信元を特定するためのＩＤ（Ｉｄｅｎｔｉｆｉｃａｔｉｏｎ）を含んでいる。
【０１０８】
本発明による視聴装置の第１７の実施の形態においては、本発明による視聴装置の第１３の実施の形態において、前記購入選定データ生成手段が、前記放送受信手段が受信している前記音楽／映像の前記識別情報を読み出し、それを生成する前記購入選定データに配置すると共に、一つ前に前記放送受信手段が受信した音楽／映像の識別情報と二つ前に前記放送受信手段が受信した音楽／映像の識別情報とｎ個前に前記放送受信手段が受信した音楽／映像の識別情報とを記憶し、且つ前記購入選定データに配置するようになされている。
【０１０９】
本発明による視聴装置の第１８の実施の形態においては、本発明による視聴装置の第１３の実施の形態において、前記放送装置が前記音楽／映像をデジタル放送による高音質高画質で放送する場合に、前記音楽／映像を視聴する不特定多数の人々が前記高音質高画質の前記音楽／映像を無断複製するのを防ぐために、前記放送装置が放送する前記音楽／映像に暗号化したノイズを混入して放送しているものとして、前記放送受信手段で受信した前記暗号化したノイズを混入された前記音楽／映像から前記暗号化したノイズを除去するノイズ除去手段と、前記放送受信手段が受信した前記暗号化したノイズを混入された前記音楽／映像および前記音楽／映像に付されて送信された前記識別情報をユーザの希望に応じて前記蓄積手段に供給し複製するための無断複製防止手段とをさらに含んでいる。
【０１１０】
本発明による視聴装置の第１９の実施の形態においては、本発明による視聴装置の第１８の実施の形態において、前記放送装置が放送する前記音楽／映像に混入する前記暗号化したノイズが前記暗号化したノイズを除去するための暗号鍵と対になるように生成されているものとして、前記ノイズ除去手段が、前記暗号鍵を有していて、前記暗号鍵により前記暗号化したノイズを混入された前記音楽／映像から前記暗号化したノイズを除去し、前記高音質高画質の前記音楽／映像を視聴することができるようになされている。
【０１１１】
本発明による視聴装置の第２０の実施の形態においては、本発明による視聴装置の第１８の実施の形態において、前記放送装置からの放送を視聴するユーザが視聴する前記音楽／映像を購入する前に前記音楽／映像を何度か視聴し確かめたい場合に、前記無断複製防止手段が前記暗号化したノイズを混入された前記音楽／映像および前記音楽／映像に付して送信された前記識別情報を前記蓄積手段に供給し複製することで、前記高音質高画質の前記音楽／映像の放送を無断複製されることから保護し、ユーザが前記蓄積手段に複製した前記音楽／映像を視聴し、それが気に入り、それを購入する場合、前記蓄積手段に前記音楽／映像に付して記憶されている前記識別情報に基づき前記購入要求データを生成（構成）し、前記音楽／映像を購入することができるようになされている。
【０１１２】
本発明による視聴装置の第２１の実施の形態においては、本発明による視聴装置の第１８の実施の形態において、前記無断複製防止手段が、前記放送受信手段により受信した前記暗号化したノイズを混入された前記音楽／映像の音質及び／又は画質を、ＡＭ（ＡｍｐｌｉｔｕｄｅＭｏｄｕｌａｔｉｏｎ）、またはＦＭ（ＦｒｅｑｕｅｎｃｙＭｏｄｕｌａｔｉｏｎ）に準ずる音質及び／又は画質にして、前記蓄積手段に供給するようになされている。
【０１１３】
本発明による視聴装置の第２２の実施の形態においては、本発明による視聴装置の第１３の実施の形態において、前記音楽／映像を購入するのと同様に購入できる前記音楽／映像以外のコンテンツを番組として放送する前記放送装置からの放送を前記同報ネットワークを介して、前記放送受信手段により受信し、前記コンテンツを、前記受信手段が前記コンテンツの前記販売許諾データを得ることができ得る限りにおいて、前記放送装置から前記双方向ネットワークを介して、購入することができるようになされている。
【０１１４】
本発明による視聴方法の第１の実施の形態においては、販売することができる音楽／映像をそれに個々の前記音楽／映像を識別するための識別情報および前記音楽／映像の取得方法に関する情報とを含む識別分類データを付して番組として放送する放送装置からの放送を受信し視聴し、視聴する前記音楽／映像を、前記放送装置から購入することができる視聴方法であって、前記放送装置からの放送を受信する放送受信ステップと、前記放送受信手段で受信した前記音楽／映像を再生する再生ステップと、前記放送装置からの放送を視聴して、前記音楽／映像の購入要求をする際に購入要求をする前記音楽／映像の前記識別分類データを確定し選択するための購入選定データを生成する購入選定データ生成ステップと、前記音楽／映像の購入を要求する購入要求データを生成する購入要求データ生成ステップと、前記購入要求データを前記放送装置へ送信する送信ステップと、前記放送装置から前記音楽／映像を購入する際に前記音楽／映像を取得するコンテンツ取得ステップと、音楽／映像を記憶する蓄積ステップとを含み、視聴する前記音楽／映像のコンテンツそのものを前記放送装置から購入できるようになされている。
本発明による視聴方法の第１の実施の形態によれば、本発明による視聴装置の第１の実施の形態の場合と同様の作用・効果が得られる。
【０１１５】
本発明による視聴方法の第２の実施の形態においては、販売することができる音楽／映像をそれに個々の音楽／映像を識別するための識別情報および音楽／映像の取得方法に関する情報とを含む識別分類データを付して番組として放送する放送装置からの放送を受信する放送受信ステップと、放送受信手段で受信した音楽／映像を再生する再生ステップと、放送装置からの放送を視聴して、音楽／映像の購入要求をする際に購入要求をする音楽／映像の識別分類データを確定し選択するための購入選定データを生成する購入選定データ生成ステップと、音楽／映像の購入を要求する購入要求データを生成する購入要求データ生成ステップと、購入要求データを放送装置へ送信する送信ステップと、放送装置から音楽／映像を購入する際に音楽／映像を取得するコンテンツ取得ステップと、音楽／映像を記憶する蓄積ステップとを含んでいる。
【０１１６】
本発明による視聴方法の第３の実施の形態においては、本発明による視聴方法の第１の実施の形態において、前記放送装置が前記音楽／映像をデジタル放送による高音質高画質で放送する場合に、前記音楽／映像を視聴する不特定多数の人々が前記高音質高画質の前記音楽／映像を無断複製するのを防ぐために、前記放送装置が放送する前記音楽／映像に暗号化したノイズを混入して放送しているものとして、前記放送受信手段で受信した前記暗号化したノイズを混入された前記音楽／映像の前記暗号化したノイズを除去するノイズ除去ステップと、前記放送受信手段が受信した前記暗号化したノイズを混入された前記音楽／映像および前記音楽／映像に付されて送信された前記識別分類データを、ユーザの希望に応じて前記蓄積手段に供給し複製するための無断複製防止ステップとをさらに含んでいる。
【０１１７】
本発明による視聴方法の第３の実施の形態によれば、本発明による視聴装置の第８の実施の形態で述べたと同様の作用・効果が得られる。
【０１１８】
本発明による視聴方法の第４の実施の形態においては、販売することができる音楽／映像をそれに個々の前記音楽／映像を識別するための識別情報を付して番組として放送する放送装置からの放送を受信し視聴し、前記音楽／映像を販売する前記放送装置の販売許諾を得て視聴する前記音楽／映像を購入することができる視聴方法であって、前記放送装置からの放送を受信する放送受信ステップと、前記放送を再生する再生ステップと、前記放送受信手段が受信する前記音楽／映像を順次自動的に記憶していく自動蓄積ステップと、前記放送装置からの放送を視聴し、前記音楽／映像の購入要求をする際に購入要求をする前記音楽／映像の前記識別情報を確定し選択するための購入選定データを生成する購入選定データ生成ステップと、前記音楽／映像の購入要求データを生成する購入要求データ生成ステップと、前記購入要求データを前記放送装置へ送信する送信ステップと、前記放送装置から送信される販売許諾データを受信する受信ステップと、購入した前記音楽／映像を記憶する蓄積ステップと、前記販売許諾データの許諾内容に基づき購入要求をした前記音楽／映像を前記自動蓄積手段から前記蓄積手段へ供給する販売許諾データ認識ステップとを含んでいる。
【０１１９】
本発明による視聴方法の第５の実施の形態においては、本発明による視聴方法の第４の実施の形態において、前記音楽／映像をデジタル放送による高音質高画質で放送する場合に前記音楽／映像を視聴する不特定多数の人々が前記高音質高画質の前記音楽／映像を無断複製するのを防ぐために、前記放送装置が放送する前記音楽／映像に暗号化したノイズを混入して放送しているものとして、前記放送受信手段で受信した前記暗号化したノイズの混入された前記音楽／映像の前記暗号化したノイズを除去するノイズ除去ステップと、前記放送受信手段が受信した前記暗号化したノイズを混入された前記音楽／映像および前記音楽／映像に付されて送信された前記識別情報をユーザの希望に応じて前記蓄積手段に供給し複製するための無断複製防止ステップとをさらに含んでいる。
【０１２０】
本発明による放送・受信システムを用いた販売システムの第１の実施の形態においては、販売することができる音楽／映像を番組として放送し前記放送を視聴する複数の視聴装置において前記音楽／映像を販売することができる放送装置と、前記放送装置からの放送を受信し視聴し視聴する前記音楽／映像を前記放送装置から購入することができる複数の視聴装置とからなる販売システムであって、前記放送装置が、前記音楽／映像を記憶する蓄積手段と、前記音楽／映像を放送する放送手段と、前記複数の視聴装置に前記音楽／映像の識別情報および前記音楽／映像の配信方法を知らせるための識別分類データを生成する識別分類データ生成手段と、前記複数の視聴装置から送信されてくる購入要求データを受信する受信手段と、前記購入要求データに基づき前記視聴装置で決定された前記音楽／映像の配信方法（取得方法）の識別および購入要求のあった前記音楽／映像を前記蓄積手段から選択する購入要求データ認識手段と、購入要求のあった前記音楽／映像を前記複数の視聴装置へ配信（送信）するためのコンテンツ配信手段とを含み、前記放送装置が、個々の前記音楽／映像を識別するための識別情報および前記音楽／映像の取得方法に関する情報とを含む識別分類データを放送する前記音楽／映像それぞれに付して放送し、前記視聴装置が、前記放送装置からの放送を受信する放送受信手段と、前記放送受信手段で受信した前記音楽／映像を再生する再生手段と、前記放送装置からの放送を視聴し、前記音楽／映像の購入要求をする際に購入要求をする前記音楽／映像の前記識別分類データを確定し選択するための購入選定データを生成する購入選定データ生成手段と、前記音楽／映像の購入を要求する購入要求データを生成する購入要求データ生成手段と、前記購入要求データを前記放送装置へ送信する送信手段と、前記放送装置から前記音楽／映像を購入する際に前記音楽／映像を取得するコンテンツ取得手段と、音楽／映像を記憶する蓄積手段とを含み、前記放送装置から、番組として放送する前記音楽／映像のコンテンツそのものを、放送を視聴する複数の前記視聴装置において販売できるようになされている。
【０１２１】
本発明による販売システムの第１の実施の形態によれば、放送装置において、蓄積手段が、販売することができる音楽／映像を記憶し、放送手段が、蓄積手段に記憶している音楽／映像を番組として放送する。蓄積手段に記憶している音楽／映像それぞれには、個々の音楽／映像を識別する識別情報が付され、識別分類データ生成手段で生成する識別分類データには、蓄積手段に記憶されている音楽／映像それぞれに付されている識別情報と同一の識別情報と音楽／映像を複数の視聴装置へ配信販売するための音楽／映像の配信方法に関する情報とが含まれ、識別分類データが、放送手段から放送する音楽／映像に付して放送（送信）される。受信手段が、放送する音楽／映像を視聴している複数の視聴装置それぞれから、識別分類データを含む購入要求データを受信する。購入要求データ認識手段が、受信した購入要求データに基づき蓄積手段に記憶している音楽／映像の中から購入要求のあった音楽／映像を選択し、視聴装置で決定された音楽／映像の配信方法（取得方法）を識別する。コンテンツ配信手段が、購入要求データに基づき選択された音楽／映像と識別された配信方法により、それぞれの視聴装置に音楽／映像を配信する。これにより、放送装置が、複数の視聴装置へ販売することができる音楽／映像とその識別分類データを放送（送信）し、複数の視聴装置それぞれから識別分類データを含んだ購入要求データを受信し、購入要求のあった音楽／映像を購入要求データに基づき複数の視聴装置それぞれへ配信し販売することができるので、放送する音楽／映像を、販売する際に音楽／映像のタイトルやアーティスト名などを記憶してもらう必要無しに販売することができる。また、放送する音楽／映像をレコードショップやビデオショップへ行く時間を作ってもらう必要無しに購入意欲が起きた購入者（ユーザ）に対し、即、販売することができるので、音楽／映像の著作権者、制作者、購入者に対し大いに貢献することができる。一方、視聴装置において、放送受信手段が販売することができる音楽／映像を番組として放送する放送装置からの放送を受信し、再生手段が受信した放送を再生する。放送装置は、個々の音楽／映像を識別する識別情報と音楽／映像の配信方法（取得方法）に関する情報とを含む識別分類データを、放送する音楽／映像に付して放送（送信）し、購入選定データ生成手段が、購入選定データを生成し、それに放送受信手段が受信する音楽／映像に付されて送信された識別分類データを配置する。識別分類データを配置した購入選定データが表示される。放送を視聴し、視聴する音楽／映像を気に入り、その気に入った音楽／映像を購入する場合、購入を希望する音楽／映像の識別分類データを購入選定データにより確定し選択する。購入要求データ生成手段が、購入要求データを生成し、それに、購入選定データで選択した識別分類データから読み出された購入する音楽／映像の識別情報と音楽／映像の取得方法（配信方法）とを配置し、送信手段が購入要求データを放送装置へ送信する。放送装置から配信される購入要求をした音楽／映像をコンテンツ取得手段により取得し、取得した音楽／映像を蓄積手段に記憶する。これにより、販売できる音楽／映像を番組として放送する放送装置からの放送を視聴し、視聴している音楽／映像が気に入った場合、識別分類データを含んだ購入要求データを放送装置へ送信し、購入要求を出した音楽／映像を放送装置から配信してもらい、それを購入することができるので、放送を視聴する音楽／映像を、購入する際に音楽／映像のタイトルやアーティスト名などを記憶する必要無しに購入することができる。また、視聴する音楽／映像をレコードショップやビデオショップへ行く時間を作る必要無しに、購入意欲が起きた時に、即、購入することができるので、音楽／映像の著作権者、制作者、購入者に対し、大いに貢献することができる、という作用・効果が得られる。
【０１２２】
本発明による販売システムの第２の実施の形態においては、放送装置において、販売することができる音楽／映像を記憶する蓄積手段と、販売することができる音楽／映像を放送する放送手段と、複数の視聴装置に音楽／映像の識別情報および音楽／映像の配信方法を知らせるための識別分類データを生成する識別分類データ生成手段と、複数の視聴装置から送信されてくる購入要求データを受信する受信手段と、購入要求データに基づき視聴装置で決定された音楽／映像の配信方法（取得方法）の識別および購入要求のあった音楽／映像を蓄積手段から選択する購入要求データ認識手段と、購入要求のあった音楽／映像を、複数の視聴装置へ配信（送信）するためのコンテンツ配信手段とを含み、放送装置が、個々の音楽／映像を識別するための識別情報および音楽／映像の取得方法に関する情報とを含む識別分類データを放送する音楽／映像それぞれに付して放送し、一方、視聴装置において、販売することができる音楽／映像を番組として放送する放送装置からの放送を受信する放送受信手段と、放送受信手段で受信した音楽／映像を再生する再生手段と、放送装置からの放送を視聴して、音楽／映像の購入要求をする際に購入要求をする音楽／映像の識別分類データを確定し選択するための購入選定データを生成する購入選定データ生成手段と、音楽／映像の購入を要求する購入要求データを生成する購入要求データ生成手段と、購入要求データを放送装置へ送信する送信手段と、放送装置から音楽／映像を購入する際に音楽／映像を取得するコンテンツ取得手段と、音楽／映像を記憶する蓄積手段とを含んでいる。
【０１２３】
本発明による販売システムの第３の実施の形態においては、本発明による販売システムの第１の実施の形態において、前記放送装置の前記放送手段が、一斉同報が可能な同報ネットワークを介し、前記音楽／映像を番組として放送し、前記視聴装置の前記放送受信手段が、前記同報ネットワークを介し、前記音楽／映像の放送を受信するようになされている。
【０１２４】
本発明による販売システムの第４の実施の形態においては、前記放送装置の前記受信手段が、双方向の通信が可能な双方向ネットワークを介して、前記購入要求データを受信し、前記視聴装置の前記送信手段が、前記双方向ネットワークを介し、前記購入要求データを送信するようになされている。
【０１２５】
本発明による販売システムの第５の実施の形態においては、本発明による販売システムの第１の実施の形態において、前記放送装置の前記コンテンツ配信手段が、一斉同報が可能な同報ネットワークまたは双方向の通信が可能な双方向ネットワークを介して、前記音楽／映像を、配信（送信）し、前記視聴装置において、前記コンテンツ取得手段が、前記同報ネットワークまたは前記双方向ネットワークを介して、前記音楽／映像を取得するようになされている。
【０１２６】
本発明による販売システムの第６の実施の形態においては、本発明による販売システムの第１の実施の形態において、前記放送装置の前記蓄積手段に記憶されている前記音楽／映像それぞれに、個々の音楽／映像を識別するための識別情報が付され、前記識別分類データ生成手段で生成する前記識別分類データが、前記放送装置の前記蓄積手段に記憶されている前記音楽／映像それぞれに付されている前記識別情報と同一の識別情報と、前記コンテンツ配信手段が前記同報ネットワークを介して前記音楽／映像を配信する第一の情報及び／又は前記コンテンツ配信手段が前記双方向ネットワークを介して前記音楽／映像を配信する第二の情報とを含んでいる。
【０１２７】
本発明による販売システムの第７の実施の形態においては、本発明による販売システムの第１の実施の形態において、前記放送装置の前記放送手段が、前記識別分類データ生成手段で生成する前記識別分類データを放送する前記音楽／映像に付して放送（送信）し、前記購入要求データ生成手段が生成する前記購入要求データが、少なくとも、前記放送受信手段で受信する前記識別分類データに記述されている前記識別情報と、前記コンテンツ取得手段が前記同報ネットワークを介して前記音楽／映像を取得する第一の情報または前記コンテンツ取得手段が前記双方向ネットワークを介して前記音楽／映像を取得する第二の情報と、前記購入要求データを送信する送信元を特定するためのＩＤ（Ｉｄｅｎｔｉｆｉｃａｔｉｏｎ）とを含んでいる。
【０１２８】
本発明による販売システムの第８の実施の形態においては、本発明による販売システムの第１の実施の形態において、前記視聴装置の前記購入選定データ生成手段が、前記放送受信手段が受信している前記音楽／映像の前記識別分類データを読み出し、それを生成する前記購入選定データに配置すると共に、一つ前に前記放送受信手段が受信した音楽／映像の識別分類データと二つ前に前記放送受信手段が受信した音楽／映像の識別分類データとｎ個前に前記放送受信手段が受信した音楽／映像の識別分類データとを記憶し且つ前記購入選定データに配置するようになされている。
【０１２９】
本発明による販売システムの第９の実施の形態においては、本発明による販売システムの第１の実施の形態において、前記放送装置の前記放送手段から番組として放送する前記音楽／映像が前記放送装置の前記蓄積手段に記憶されている前記音楽／映像の中から選択され、前記放送受信手段が受信する前記音楽／映像が前記放送装置が前記放送装置の前記蓄積手段に記憶されている前記音楽／映像の中から選択し放送する前記音楽／映像であるようになされている。
【０１３０】
本発明による販売システムの第１０の実施の形態においては、本発明による販売システムの第１の実施の形態において、前記放送装置の前記放送手段が前記音楽／映像をデジタル放送による高音質高画質で放送する場合に、前記高音質高画質で放送する前記音楽／映像の著作権が無断複製されることによる被害から保護するために、前記放送装置が、放送する前記音楽／映像に混入する暗号化したノイズを生成するノイズ生成手段をさらに含み、前記放送装置が、前記音楽／映像をデジタル放送による高音質高画質で放送する場合に放送する前記音楽／映像に暗号化したノイズを混入して放送し、前記視聴装置が、前記放送受信手段で受信した前記暗号化したノイズの混入された前記音楽／映像から前記暗号化したノイズを除去するノイズ除去手段と、前記放送受信手段が受信した前記暗号化したノイズの混入された前記音楽／映像および前記音楽／映像に付されて送信された前記識別分類データをユーザの希望に応じて前記視聴装置の前記蓄積手段に供給し複製するための無断複製防止手段とをさらに含んでいる。
【０１３１】
本発明による販売システムの第１０の実施の形態によれば、放送装置において、放送手段が、音楽／映像をデジタル放送による高音質高画質で放送する場合に、販売することができる音楽／映像を複数の視聴装置に放送する際し、音楽／映像を、それにノイズ生成手段が生成する暗号化したノイズを混入し放送し、高音質高画質の音楽／映像を、音質及び／又は画質を幾分低下させて放送する。暗号化したノイズが、暗号化したノイズを混入した音楽／映像から、暗号化したノイズを除去するための暗号鍵と対をなすように生成され、複数の視聴装置が、暗号鍵を有していて、放送手段が放送する暗号化したノイズを混入した音楽／映像から暗号化したノイズを除去し、高音質高画質の音楽／映像を視聴することができるようになされている。複数の視聴装置以外の不特定多数の人々が、放送手段が放送する暗号化したノイズを混入した音楽／映像を受信する場合、音質及び／又は画質が幾分低下した音楽／映像を視聴し楽しめるようにすることで、複数の視聴装置以外の不特定多数の人々が高音質高画質放送の音楽／映像を無断複製するのを防ぐようになされている。一方、視聴装置において、ノイズ除去手段が、暗号化したノイズを混入された音楽／映像から暗号化したノイズを除去するための暗号鍵を有していて、放送受信手段が受信する暗号化したノイズを混入された音楽／映像から暗号化したノイズを除去し、高音質高画質の音楽／映像を視聴することができ、これにより、複数の視聴装置以外の不特定多数の人々が高音質高画質放送の音楽／映像を無断複製するのを防ぐことができる。また、無断複製防止手段が、放送受信手段が受信する暗号化したノイズを混入された音楽／映像およびその音楽／映像に付されて送信された識別分類データを、蓄積手段へ供給する。従って、ユーザの希望に応じて、暗号化したノイズを混入された音楽／映像およびその音楽／映像に付されて送信された識別分類データを蓄積手段へ複製記憶することができ、これにより、複数の視聴装置においても、高音質高画質放送の音楽／映像が無断複製されるのを防ぎ、他方、ユーザが音楽／映像を購入する前に音楽／映像を蓄積手段に複製して何度か視聴したいという、ユーザの要求に応えることができ、また、ユーザが蓄積手段に複製した音楽／映像を視聴し確認した後にその音楽／映像の購入を要求する場合、音楽／映像に付加して蓄積手段に複製した識別分類データに基づき、簡便に、放送装置へ購入要求を出すことができる。
【０１３２】
本発明による販売システムの第１１の実施の形態においては、本発明による販売システムの第１０の実施の形態において、前記放送装置の前記ノイズ生成手段が生成する前記暗号化したノイズが、前記暗号化したノイズを混入した前記音楽／映像から前記暗号化したノイズを除去するための暗号鍵と対になるように生成され、前記視聴装置の前記ノイズ除去手段が、前記暗号鍵を有していて、前記暗号鍵により前記暗号化したノイズを混入した前記音楽／映像から前記暗号化したノイズを除去し、前記高音質高画質の前記音楽／映像を視聴することができるようになされている。
【０１３３】
本発明による販売システム（送信・受信システム）の第１２の実施の形態においては、本発明による販売システムの第１０の実施の形態において、前記視聴装置において、前記放送装置からの放送を視聴するユーザが視聴する前記音楽／映像を購入する前に前記音楽／映像を何度か視聴し確かめたい場合に、前記無断複製防止手段が、前記暗号化したノイズを混入された前記音楽／映像および前記音楽／映像に付されて送信された前記識別分類データを前記視聴装置の前記蓄積手段に供給し複製することで、前記高音質高画質の前記音楽／映像の放送を無断複製されることから保護し、ユーザが前記蓄積手段に複製した前記音楽／映像を視聴し、それが気に入り、それを購入する場合、前記視聴装置の前記蓄積手段に前記音楽／映像に付して記憶されている前記識別分類データに基づき前記購入要求データを生成（構成）し、前記音楽／映像を購入することができるようになされている。
【０１３４】
本発明による販売システムの第１３の実施の形態においては、本発明による販売システムの第１０の実施の形態において、前記放送装置において、前記放送手段が、前記高音質高画質放送の前記音楽／映像の音質及び／又は画質を前記暗号化したノイズを前記音楽／映像に混入することで、ＡＭ（ＡｍｐｌｉｔｕｄｅＭｏｄｕｌａｔｉｏｎ）またはＦＭ（ＦｒｅｑｕｅｎｃｙＭｏｄｕｌａｔｉｏｎ）に準ずる音質及び／又は画質に低下させ、前記音楽／映像を放送するようになされ、前記視聴装置において、前記無断複製防止手段が、前記放送受信手段により受信する前記暗号化したノイズを混入された前記音楽／映像の音質及び／又は画質をＡＭ（ＡｍｐｌｉｔｕｄｅＭｏｄｕｌａｔｉｏｎ）またはＦＭ（ＦｒｅｑｕｅｎｃｙＭｏｄｕｌａｔｉｏｎ）に準ずる音質及び／又は画質で前記視聴装置の前記蓄積手段に供給するようになされている。
【０１３５】
本発明による販売システムの第１４の実施の形態においては、本発明による販売システムの第１０の実施の形態において、前記放送装置の前記蓄積手段に記憶されている前記音楽／映像それぞれに付されている識別情報が、放送する前記音楽／映像に前記暗号化したノイズを混入するという第一の情報または放送する前記音楽／映像に前記暗号化したノイズを混入しないという第二の情報を含んでいる。
【０１３６】
本発明による販売システムの第１５の実施の形態においては、本発明による販売システムの第１の実施の形態において、前記放送装置において、前記放送手段から番組として放送し前記複数の視聴装置に販売できる前記音楽／映像以外のコンテンツを、前記同報ネットワークを介し、前記放送手段から前記複数の視聴装置へ放送することができ、且つ、前記同報ネットワークまたは前記双方向ネットワークの一方を介し、前記コンテンツ配信手段から、前記コンテンツを前記複数の視聴装置へ配信（送信）でき得る限りにおいて販売することができ、前記視聴装置において、前記放送受信手段が受信し前記放送装置から購入できる前記音楽／映像以外のコンテンツを番組として放送する前記放送装置からの放送を、前記同報ネットワークを介し、前記放送受信手段により受信でき、且つ、前記放送装置から前記コンテンツを前記同報ネットワークまたは前記双方向ネットワークの一方を介し前記コンテンツ取得手段で取得できうる限りにおいて、購入できるようになされている。
【０１３７】
本発明による販売システムの第１６の実施の形態においては、本発明による販売システムの第１の実施の形態において、前記放送装置の前記受信手段で受信する前記購入要求データには複数の情報が含まれ、前記放送装置が、前記購入要求データに含まれる情報の一つである前記購入要求データを送信する送信元を特定するためのＩＤ（Ｉｄｅｎｔｉｆｉｃａｔｉｏｎ）を管理し且つ前記音楽／映像を販売する際に課金管理を行う課金管理手段と、前記購入要求データに含まれる情報の一つである前記音楽／映像の前記識別情報を管理し且つ前記音楽／映像の販売データを管理するコンテンツ販売管理手段とをさらに含んでいる。
【０１３８】
本発明による販売システムの第１７の実施の形態においては、販売することができる音楽／映像を番組として放送し、前記放送を視聴する複数の視聴装置に前記音楽／映像を販売することができる放送装置と、前記放送装置からの放送を受信し視聴し、視聴する前記音楽／映像を購入することができる視聴装置とからなる販売システムであって、前記放送装置が、前記音楽／映像を記憶する蓄積手段と、前記音楽／映像を放送する放送手段と、前記複数の視聴装置から送信されてくる購入要求データを受信する受信手段と、前記購入要求データに基づき購入要求のあった前記音楽／映像を識別し前記複数の視聴装置へ前記音楽／映像の販売許諾を行うための販売許諾データを生成する販売許諾データ生成手段と、前記販売許諾データを前記複数の視聴装置それぞれへ送信する送信手段とを含み、前記放送装置が個々の前記音楽／映像を識別するための識別情報を放送する前記音楽／映像それぞれに付して放送し、前記視聴装置が、前記放送装置からの放送を受信する放送受信手段と、前記放送を再生する再生手段と、前記放送受信手段が受信する前記音楽／映像を順次自動的に記憶していく自動蓄積手段と、前記放送装置からの放送を視聴し前記音楽／映像の購入要求をする際に購入要求をする前記音楽／映像の前記識別情報を確定し選択するための購入選定データを生成する購入選定データ生成手段と、前記音楽／映像の購入要求データを生成する購入要求データ生成手段と、前記購入要求データを前記放送装置へ送信する送信手段と、前記放送装置から送信される販売許諾データを受信する受信手段と、購入した前記音楽／映像を記憶する蓄積手段と、前記販売許諾データの許諾内容に基づき購入要求をした前記音楽／映像を前記自動蓄積手段から前記蓄積手段へ供給する販売許諾データ認識手段とを含み、前記放送装置が放送する前記音楽／映像を前記複数の視聴装置へ販売する際に前記複数の視聴装置へ前記音楽／映像を配信（送信）する必要なしに販売することができるようになされている。
【０１３９】
本発明による販売システムの第１８の実施の形態においては、本発明による販売システムの第１７の実施の形態において、前記放送装置の前記放送手段が、一斉同報が可能な同報ネットワークを介し、前記音楽／映像を番組として放送し、前記視聴装置の前記放送受信手段が、前記同報ネットワークを介し、前記音楽／映像の放送を受信するようになされている。
【０１４０】
本発明による販売システムの第１９の実施の形態においては、本発明による販売システムの第１７の実施の形態において、前記放送装置の前記受信手段が、双方向の通信が可能な双方向ネットワークを介して、前記購入要求データを前記複数の視聴装置から受信し、前記放送装置の前記送信手段が、前記双方向ネットワークを介して、前記販売許諾データを前記複数の視聴装置それぞれへ送信し、前記視聴装置において、前記送信手段が、前記双方向ネットワークを介して、前記購入要求データを前記放送装置へ送信し、前記視聴装置の前記受信手段が、前記双方向ネットワークを介して、前記放送装置から送信される前記販売許諾データを受信するようになされている。
【０１４１】
本発明による販売システムの第２０の実施の形態においては、本発明による販売システムの第１７の実施の形態において、前記放送装置の前記蓄積手段に記憶されている前記音楽／映像それぞれには個々の音楽／映像を識別するための識別情報が付され、前記放送装置の前記放送手段が前記識別情報を放送する前記音楽／映像に付して放送（送信）し、前記視聴装置において、前記放送受信手段が前記識別情報を受信して、前記音楽／映像の購入を要求する際に、前記音楽／映像の前記識別情報が、前記放送装置へ送信する前記購入要求データに含まれている。
【０１４２】
本発明による販売システムの第２１の実施の形態においては、本発明による販売システムの第１７の実施の形態において、前記購入要求データ生成手段で生成する前記購入要求データが、少なくとも、購入要求をする前記音楽／映像の識別情報および前記購入要求データを送信する送信元を特定するためのＩＤ（Ｉｄｅｎｔｉｆｉｃａｔｉｏｎ）を含んでいる。
【０１４３】
本発明による販売システムの第２２の実施の形態においては、本発明による販売システムの第１７の実施の形態において、前記販売許諾データ生成手段が生成する前記販売許諾データが、少なくとも、前記視聴装置から購入要求のあった前記音楽／映像の識別情報と前記自動蓄積手段から前記視聴装置の前記蓄積手段への購入要求のあった前記音楽／映像の供給を許可する供給許可データとを含んでいる。
【０１４４】
本発明による販売システムの第２３の実施の形態においては、本発明による販売システムの第２２の実施の形態において、前記放送装置が、前記供給許可データを生成する供給許可データ生成手段をさらに含んでいる。
【０１４５】
本発明による販売システムの第２４の実施の形態においては、本発明による販売システムの第１７の実施の形態において、前記視聴装置において、前記購入選定データ生成手段が、前記放送受信手段が受信している前記音楽／映像の前記識別情報を読み出し、それを前記購入選定データに配置すると共に、一つ前に前記放送受信手段が受信した音楽／映像の識別情報と、二つ前に前記放送受信手段が受信した音楽／映像の識別情報と、ｎ個前に前記放送受信手段が受信した音楽／映像の識別情報とを記憶し且つ前記購入選定データに配置するようになされている。
【０１４６】
本発明による販売システムの第２５の実施の形態においては、本発明による販売システムの第１７の実施の形態において、前記放送装置において、前記放送手段から番組として放送する前記音楽／映像が前記放送装置の前記蓄積手段に記憶されている前記音楽／映像の中から選択され、前記放送受信手段が受信する前記音楽／映像が前記放送装置が前記放送装置の前記蓄積手段に記憶されている前記音楽／映像の中から選択し放送する前記音楽／映像であるようになされている。
【０１４７】
本発明による販売システムの第２６の実施の形態においては、本発明による販売システムの第１７の実施の形態において、前記放送装置の前記放送手段が前記音楽／映像をデジタル放送による高音質高画質で放送する場合に前記高音質高画質で放送する前記音楽／映像の著作権が無断複製されることによる被害から保護するために、前記放送装置が、放送する前記音楽／映像に混入する暗号化したノイズを生成するノイズ生成手段をさらに含み、前記放送装置が、前記音楽／映像をデジタル放送による高音質高画質で放送する場合に、放送する前記音楽／映像に暗号化したノイズを混入して放送し、前記視聴装置が、前記放送受信手段で受信した前記暗号化したノイズを混入された前記音楽／映像から前記暗号化したノイズを除去するノイズ除去手段と、前記放送受信手段が受信した前記暗号化したノイズを混入された前記音楽／映像と前記音楽／映像に付されて送信された前記識別情報とをユーザの希望に応じて前記視聴装置の前記蓄積手段に供給し複製するための無断複製防止手段とをさらに含んでいる。
【０１４８】
本発明による販売システムの第２７の実施の形態においては、本発明による販売システムの第２６の実施の形態において、前記放送装置の前記ノイズ生成手段が生成する前記暗号化したノイズが、前記暗号化したノイズを混入した前記音楽／映像から前記暗号化したノイズを除去するための暗号鍵と対になるように生成され、前記視聴装置の前記ノイズ除去手段が、前記暗号鍵を有していて、前記暗号鍵により前記暗号化したノイズを混入された前記音楽／映像から前記暗号化したノイズを除去し、前記高音質高画質の前記音楽／映像を視聴することができるようになされている。
【０１４９】
本発明による販売システムの第２８の実施の形態においては、本発明による販売システムの第２６の実施の形態において、前記視聴装置において、前記放送装置からの放送を視聴するユーザが視聴する前記音楽／映像を購入する前に前記音楽／映像を何度か視聴し確かめたい場合、前記無断複製防止手段が、前記暗号化したノイズを混入された前記音楽／映像および前記音楽／映像に付して送信された前記識別情報を前記視聴装置の前記蓄積手段に供給し複製することで、前記高音質高画質の前記音楽／映像の放送を無断複製されることから保護し、ユーザが前記蓄積手段に複製した前記音楽／映像を視聴した結果、それが気に入り、それを購入する場合、前記蓄積手段に前記音楽／映像に付して記憶されている前記識別情報に基づき前記購入要求データを生成（構成）し、前記音楽／映像を購入することができるようになされている。
【０１５０】
本発明による販売システムの第２９の実施の形態においては、本発明による販売システムの第２６の実施の形態において、前記放送装置において、前記放送手段が、前記高音質高画質放送の前記音楽／映像の音質及び／又は画質を、前記音楽／映像に前記暗号化したノイズを混入することで、ＡＭ（ＡｍｐｌｉｔｕｄｅＭｏｄｕｌａｔｉｏｎ）またはＦＭ（ＦｒｅｑｕｅｎｃｙＭｏｄｕｌａｔｉｏｎ）に準ずる音質及び／又は画質に低下させ、前記視聴装置において、前記無断複製防止手段が、前記放送受信手段により受信する前記暗号化したノイズを混入された前記音楽／映像の音質及び／又は画質を、ＡＭ（ＡｍｐｌｉｔｕｄｅＭｏｄｕｌａｔｉｏｎ）またはＦＭ（ＦｒｅｑｕｅｎｃｙＭｏｄｕｌａｔｉｏｎ）に準ずる音質及び／又は画質で、前記視聴装置の前記蓄積手段に供給するようになされている。
【０１５１】
本発明による販売システムの第３０の実施の形態においては、本発明による販売システムの第２６の実施の形態において、前記放送装置の前記蓄積手段に記憶されている前記音楽／映像それぞれに付されている識別情報が、放送する前記音楽／映像に前記暗号化したノイズを混入するという第一の情報または放送する前記音楽／映像に前記暗号化したノイズを混入しないという第二の情報を含んでいる。
【０１５２】
本発明による販売システムの第３１の実施の形態においては、本発明による販売システムの第１７の実施の形態において、前記放送装置において、前記放送手段から番組として放送し前記複数の視聴装置において販売できる前記音楽／映像以外のコンテンツを、前記同報ネットワークを介し、前記放送手段から前記複数の視聴装置へ放送することができ、且つ、前記複数の視聴装置へ、前記双方向ネットワークを介し、前記販売許諾手段により前記コンテンツの販売許諾データを送信できうる限りにおいて、販売することができ、前記視聴装置において、前記放送受信手段により受信し前記放送装置から購入できる前記音楽／映像以外のコンテンツを番組として放送する前記放送装置からの放送を、前記同報ネットワークを介し、前記放送受信手段により受信でき、且つ、前記コンテンツを販売する前記放送装置から前記コンテンツを前記双方向ネットワークを介し、前記受信手段が前記コンテンツの前記販売許諾データを得ることができ得る限りにおいて、購入することができるようになされている。
【０１５３】
本発明による販売システムの第３２の実施の形態においては、本発明による販売システムの第１７の実施の形態において、前記放送装置の前記受信手段で受信する前記購入要求データには複数の情報が含まれ、前記放送装置が、前記購入要求データに含まれる情報の一つである前記購入要求データを送信する送信元を特定するためのＩＤ（Ｉｄｅｎｔｉｆｉｃａｔｉｏｎ）を管理し且つ前記音楽／映像を販売する際に課金管理を行う課金管理手段と、前記購入要求データに含まれる情報の一つである前記音楽／映像の前記識別情報を管理し且つ前記音楽／映像の販売データを管理するコンテンツ販売管理手段とをさらに含んでいる。
【０１５４】
本発明による販売方法の第１の実施の形態においては、販売することができる音楽／映像を番組として放送し、前記放送を視聴する複数の視聴装置において前記音楽／映像を販売することができる放送装置と、前記放送装置からの放送を受信し視聴し、視聴する前記音楽／映像を前記放送装置から購入することができる複数の視聴装置とからなる販売方法であって、前記放送装置は、前記音楽／映像を記憶する蓄積ステップと、前記音楽／映像を放送する放送ステップと、前記複数の視聴装置に前記音楽／映像の識別情報および前記音楽／映像の配信方法を知らせるための識別分類データを生成する識別分類データ生成ステップと、前記複数の視聴装置から送信されてくる購入要求データを受信する受信ステップと、前記購入要求データに基づき前記視聴装置で決定された前記音楽／映像の配信方法（取得方法）の識別および購入要求のあった前記音楽／映像を前記蓄積手段から選択する購入要求データ認識ステップと、購入要求のあった前記音楽／映像を、前記複数の視聴装置へ配信（送信）するためのコンテンツ配信ステップとを含み、前記放送装置が、個々の前記音楽／映像を識別するための識別情報および前記音楽／映像の取得方法に関する情報とを含む識別分類データを放送する前記音楽／映像それぞれに付して放送し、前記視聴装置は、前記放送装置からの放送を受信する放送受信ステップと、前記放送受信手段で受信した前記音楽／映像を再生する再生ステップと、前記放送装置からの放送を視聴して、前記音楽／映像の購入要求をする際に購入要求をする前記音楽／映像の前記識別分類データを確定し選択するための購入選定データを生成する購入選定データ生成ステップと、前記音楽／映像の購入を要求する購入要求データを生成する購入要求データ生成ステップと、前記購入要求データを前記放送装置へ送信する送信ステップと、前記放送装置から前記音楽／映像を購入する際に前記音楽／映像を取得するコンテンツ取得ステップと、音楽／映像を記憶する蓄積ステップとを含み、前記放送装置から、番組として放送する前記音楽／映像のコンテンツそのものを、放送を視聴する複数の前記視聴装置において販売できるようになされている。
【０１５５】
本発明による販売方法の第１の実施の形態によれば、本発明による販売システムの第１の実施の形態で述べたと同様の作用・効果を得ることができる。
【０１５６】
本発明による販売方法の第２の実施の形態においては、放送装置において、販売することができる音楽／映像を記憶する蓄積ステップと、販売することができる音楽／映像を放送する放送ステップと、複数の視聴装置に音楽／映像の識別情報および音楽／映像の配信方法を知らせるための識別分類データを生成する識別分類データ生成ステップと、複数の視聴装置から送信されてくる購入要求データを受信する受信ステップと、購入要求データに基づき視聴装置で決定された音楽／映像の配信方法（取得方法）の識別および購入要求のあった音楽／映像を蓄積手段から選択する購入要求データ認識ステップと、購入要求のあった音楽／映像を複数の視聴装置へ配信（送信）するためのコンテンツ配信ステップとを含み、放送装置が、個々の音楽／映像を識別するための識別情報および音楽／映像の取得方法に関する情報とを含む識別分類データを放送する音楽／映像それぞれに付して放送し、一方、視聴装置において、販売することができる音楽／映像を番組として放送する放送装置からの放送を受信する放送受信ステップと、放送受信手段で受信した音楽／映像を再生する再生ステップと、放送装置からの放送を視聴して、音楽／映像の購入要求をする際に購入要求をする音楽／映像の識別分類データを確定し選択するための購入選定データを生成する購入選定データ生成ステップと、音楽／映像の購入を要求する購入要求データを生成する購入要求データ生成ステップと、購入要求データを放送装置へ送信する送信ステップと、放送装置から音楽／映像を購入する際に音楽／映像を取得するコンテンツ取得ステップと、音楽／映像を記憶する蓄積ステップとを含んでいる。
【０１５７】
本発明による販売方法の第３の実施の形態においては、本発明による販売方法の第１の実施の形態において、前記放送装置が、前記音楽／映像をデジタル放送による高音質高画質で放送する場合に、前記高音質高画質で放送する前記音楽／映像の著作権が無断複製されることによる被害から保護するために、放送する前記音楽／映像に混入する暗号化したノイズを生成するノイズ生成ステップをさらに含み、前記放送装置が前記音楽／映像をデジタル放送による高音質高画質で放送する場合に放送する前記音楽／映像に暗号化したノイズを混入して放送しているものとして、前記視聴装置が、前記放送受信手段で受信した前記暗号化したノイズの混入された前記音楽／映像から前記暗号化したノイズを除去するノイズ除去ステップと、前記放送受信手段が受信した前記暗号化したノイズの混入された前記音楽／映像および前記音楽／映像に付されて送信された前記識別分類データをユーザの希望に応じて前記視聴装置の前記蓄積手段に供給し複製するための無断複製防止ステップとをさらに含んでいる。
【０１５８】
本発明による販売方法の第３の実施の形態によれば、本発明による販売システムの第１０の実施の形態で述べたと同様の作用・効果が得られる。
【０１５９】
本発明による販売方法の第４の実施の形態においては、販売することができる音楽／映像を番組として放送する放送装置と、前記放送装置からの放送を受信し視聴し、視聴する前記音楽／映像を購入することができる視聴装置とからなる販売方法であって、前記放送装置が、前記音楽／映像を記憶する蓄積ステップと、前記音楽／映像を放送する放送ステップと、前記複数の視聴装置から送信されてくる購入要求データを受信する受信ステップと、前記購入要求データに基づき購入要求のあった前記音楽／映像を識別して、前記複数の視聴装置へ前記音楽／映像の販売許諾を行うための販売許諾データを生成する販売許諾データ生成ステップと、前記販売許諾データを前記複数の視聴装置それぞれへ送信する送信ステップとを含み、前記放送装置が、個々の前記音楽／映像を識別するための識別情報を放送する前記音楽／映像それぞれに付して放送し、前記視聴装置が、前記放送装置からの放送を受信する放送受信ステップと、前記放送を再生する再生ステップと、前記放送受信手段が受信する前記音楽／映像を順次自動的に記憶していく自動蓄積ステップと、前記放送装置からの放送を視聴して、前記音楽／映像の購入要求をする際に購入要求をする前記音楽／映像の前記識別情報を確定し選択するための購入選定データを生成する購入選定データ生成ステップと、前記音楽／映像の購入要求データを生成する購入要求データ生成ステップと、前記購入要求データを前記放送装置へ送信する送信ステップと、前記放送装置から送信される販売許諾データを受信する受信ステップと、購入した前記音楽/映像を記憶する蓄積ステップと、前記販売許諾データの許諾内容に基づき購入要求をした前記音楽／映像を前記自動蓄積手段から前記蓄積手段へ供給する販売許諾データ認識ステップとを含み、前記放送装置が放送する前記音楽／映像を、前記複数の視聴装置へ販売する際に前記複数の視聴装置へ前記音楽／映像を配信（送信）する必要無しに、販売することができるようになされている。
【０１６０】
本発明による販売方法の第５の実施の形態においては、本発明による販売方法の第４の実施の形態において、前記放送手段が前記音楽／映像を、デジタル放送による高音質高画質で放送する場合に、前記高音質高画質で放送する前記音楽／映像の著作権が無断複製されることによる被害から保護するために、前記放送装置が、放送する前記音楽／映像に混入する暗号化したノイズを生成するノイズ生成ステップをさらに含み、前記放送装置が、前記音楽／映像を、デジタル放送による高音質高画質で放送する場合に放送する前記音楽／映像に暗号化したノイズを混入して放送し、前記視聴装置が、前記放送受信手段で受信した前記暗号化したノイズの混入された前記音楽／映像から前記暗号化したノイズを除去するノイズ除去ステップと、前記放送受信手段が受信した前記暗号化したノイズを混入された前記音楽／映像および前記音楽／映像に付されて送信された前記識別情報をユーザの希望に応じて前記視聴装置の前記蓄積手段に供給し複製するための無断複製防止ステップとをさらに含んでいる。
【実施例１】
【０１６１】
図１は、本発明を適用した販売システムの一実施の形態（Ａ）のブロック図を示している。
【０１６２】
本実施の形態（Ａ）の販売システムは、放送装置１００と、複数の視聴装置４００とを含み、放送装置１００において、蓄積部１０５は、販売することができる音楽／映像データを記憶する。
【０１６３】
放送部１０１は、蓄積部１０５に記憶している音楽／映像データを、放送網２００を介し、複数の視聴装置４００へ放送する。
【０１６４】
蓄積部１０５に記憶している音楽／映像データそれぞれには、個々の音楽／映像を識別するための識別情報が付されている。
【０１６５】
識別分類データ構成部１０３は、識別分類データを生成する。識別分類データには、蓄積部１０５に記憶されている音楽／映像それぞれに付されている識別情報と同一の識別情報と、音楽／映像を複数の視聴装置４００へ配信販売するための、音楽／映像の配信方法に関する情報、即ち、音楽／映像を一斉同報が可能な同報ネットワークである放送網２００を介し配信するという第一の情報、及び／又は、配信する音楽／映像を双方向の通信が可能な双方向ネットワークである通信網３００を介し配信するという第二の情報とが含まれる。その識別分類データは、放送部１０１から放送する音楽／映像に付して放送（送信）される。
【０１６６】
ノイズ生成部１０４は、高音質高画質で放送する音楽／映像の著作権を、無断複製されることによって起こる被害から保護するために、暗号化したノイズを生成する。ノイズ生成部１０４が生成する暗号化したノイズは、放送部１０１が放送する音楽／映像に混入される（後述するように、放送部１０１が放送する音楽／映像に、暗号化したノイズを混入しない場合もある）。ノイズ生成部１０４が生成する暗号化したノイズは、暗号化したノイズを混入した音楽／映像から、暗号化したノイズを除去するための暗号鍵と、対をなすように生成され、複数の視聴装置４００が暗号鍵を有していて、複数の視聴装置４００は、放送部１０１が放送する暗号化したノイズを混入した音楽／映像から暗号化したノイズを除去して高音質高画質の音楽／映像に戻し、それを視聴することができる。
【０１６７】
通信部１０２は、放送する音楽／映像を視聴している複数の視聴装置４００それぞれから、識別情報を含む購入要求データを、通信網３００を介し受信する。
【０１６８】
購入要求データ認識部１０７は、通信部１０２が受信した購入要求データを読み出し、購入要求データに記述されている識別情報や、音楽／映像の取得方法（配信方法）を認識し、蓄積部１０５に記憶している音楽／映像の中から、購入要求のあった音楽／映像を選択し、視聴装置４００で決定された音楽／映像の取得方法、即ち、配信方法を認識し、認識した配信方法即ち放送部１０１から、一斉同報が可能な同報ネットワークである放送網２００を介し配信する方法、または通信部１０２から、双方向の通信が可能な双方向ネットワークである通信網３００を介し配信する方法のうちの一方の方法により、それぞれの視聴装置に音楽／映像を配信する。
【０１６９】
一方、視聴装置４００において、放送受信部４０１は、販売することができる音楽／映像を番組として放送する放送装置１００からの放送を、放送網２００を介し受信する。
【０１７０】
放送装置１００が放送する音楽／映像に暗号化したノイズを混入して放送する場合、ノイズ除去部４０３は、放送する音楽／映像に混入した暗号化したノイズを除去するための暗号鍵を有し、放送受信部４０１が受信する暗号化したノイズを混入された音楽／映像を読み出し、暗号鍵により、暗号化したノイズを混入された音楽／映像から、暗号化したノイズを除去し、読み出し部４０４へ供給する。
【０１７１】
また、放送装置１００は、放送する音楽／映像に暗号化したノイズを混入せずに放送する場合があり、その場合、ノイズ除去部４０３は、放送受信部４０１が受信した音楽／映像をそのまま読み出し部４０４へ供給する。
【０１７２】
読み出し部４０４は、操作部４１１の操作に対応し、ノイズ除去部４０３から供給される音楽／映像を読み出し、出力部４０５へ出力する。
【０１７３】
出力部４０５は、例えば、ディスプレイやスピーカーなどで構成され、読み出し部４０４が読み出した情報に対応する画像を表示し、また音声を出力する。
【０１７４】
また、放送装置１００は、個々の音楽／映像を識別する識別情報と、音楽／映像を配信販売するための音楽／映像の配信方法（取得方法）に関する情報、即ち、音楽／映像を一斉同報が可能な同報ネットワークである放送網２００を介し配信するという第一の情報、及び／又は配信する音楽／映像を双方向の通信が可能な双方向ネットワークである通信網３００を介し配信するという第二の情報とを含む識別分類データを、放送する音楽／映像に付して放送（送信）し、購入選定データ構成部４０６は、購入選定データを生成し、生成した購入選定データに、放送受信部４０１が受信する識別分類データを読み出し、配置し、購入選定データを構成（生成）し、読み出し部４０４に供給し、出力部４０５に表示する。
【０１７５】
視聴装置４００で、放送を視聴し、視聴する音楽／映像を気に入り購入する場合、購入を希望する音楽／映像の識別分類データを、出力部４０５に表示している購入選定データにより確定し選択する。
【０１７６】
購入要求データ構成部４０７は、購入要求データを生成し、生成した購入要求データに、購入選定データで選択した識別分類データを読み出し、購入する音楽／映像の識別情報と音楽／映像の取得方法（配信方法）とを購入要求データに配置する。
【０１７７】
購入要求データ構成部４０７は、生成（構成）した購入要求データを、通信部４０２より、通信網３００を介し、放送装置１００へ送信する。購入要求をした音楽／映像データは、放送装置１００から、購入要求データに配置した取得方法、即ち一斉同報が可能な同報ネットワークである放送網２００を介して放送受信部４０１により受信する方法、または双方向の通信が可能な双方向ネットワークである通信網３００を介して通信部４０２より受信する方法のうちの一方の方法により、音楽／映像を受信し、取得する。
【０１７８】
蓄積部４０９は、取得した音楽／映像を記憶する。
【０１７９】
まず、図１を参照し、放送装置１００の各部について説明する。
【０１８０】
蓄積部１０５は、例えば、大容量のハードディスクや光磁気ディスクなどの記憶（記録）媒体で構成され、放送装置１００が販売することができる音楽／映像データを記憶（記録）するようになされている。
【０１８１】
販売することができる音楽／映像データを蓄積部１０５に記憶する際には、音楽／映像データに識別情報を付加して記憶する。
【０１８２】
また、放送部１０１は、後述するように、蓄積部１０５に記憶している音楽／映像の中から放送する音楽／映像を選択し、その音楽／映像を放送するようになされ、蓄積部１０５は、放送するために選択された音楽／映像を、放送部１０１に供給するようになされている。
【０１８３】
さらに、蓄積部１０５は、後述するように、識別分類データを生成（構成）する識別分類データ構成部１０３に、識別分類データの一つの情報となる音楽／映像の識別情報を供給するようになされている。
【０１８４】
ここで、識別情報は、例えば、図２のようなフォーマットで供給されるようになされている。
【０１８５】
また、蓄積部１０５に記憶し、放送装置１００から放送し、販売する音楽／映像の販売形態は、いくつかあり、例えば、音楽番組であれば、一曲ごとに販売することもできるし、アルバムごとに販売することもできるし、番組ごとに販売することもできる。
【０１８６】
従って、音楽／映像データに識別情報を付加するにあたっては、例えば、個々の音楽／映像および一固まりの情報となっているファイルに対し、それぞれに割り当てられているユニークなＩＤ（Ｉｄｅｎｔｉｆｉｃａｔｉｏｎ）や、タイトル名や、アーティスト名や、また、後述するように、放送する音楽／映像にノイズ生成部１０４が生成するノイズを混入するかまたは混入しないかのデータであるノイズ混入判定データなどを、識別情報として付加するようになされている。
【０１８７】
なお、識別情報の一つであるＩＤは、ここでは、例えば、固定長とされていて、例えば、一方向ハッシュ関数を演算することにより得られるハッシュ値などを用いて表すことができる。
【０１８８】
また、ノイズ混入判定データは、放送する音楽／映像にノイズ生成部１０４が生成する暗号化したノイズを混入するかまたは混入しないかの例えば放送する音楽／映像それぞれの著作権者による判定結果のデータであり、後述するように、放送部１０１が、蓄積部１０５から音楽／映像を選択し放送する際に、この判定結果に基づき、放送する音楽／映像にノイズ生成部１０４が生成する暗号化したノイズを混入するか否かがなされる。
【０１８９】
さらに、蓄積部１０５は、記憶する音楽／映像データと識別情報の蓄積状況とを、蓄積（登録）データとして、放送部１０１に供給するようになされ、蓄積部１０５に新規に音楽／映像が記憶された場合、蓄積データを更新するようになされている。
【０１９０】
なお、蓄積部１０５に記憶し、放送装置１００から番組として放送し、視聴装置４００において販売することができるコンテンツは、例えば、娯楽番組（音楽や映画など）、教育番組、医学番組、健康番組、カルチャー番組、ニュース番組、などであり、音楽／映像に限らず、例えば、静止画像や文字による番組でも可能である。
【０１９１】
また、音楽／映像や上述した他のコンテンツを販売する他の販売元サーバのミラーサーバを構築することで、蓄積部１０５に、放送装置１００および他の販売元が蓄積している音楽／映像やその他の上述したコンテンツを販売することができる。
なお、音楽／映像を販売するとは、音楽／映像を視聴する権利を販売するのではなく、購入者が所有することができるものとして販売するものである。
放送部１０１は、制御部１０６の制御の下、蓄積部１０５に記憶している音楽／映像と、ノイズ生成部１０４で生成する暗号化したノイズと、識別分類データ構成部１０３で生成（構成）する識別分類データとを読み出し、蓄積部１０５から読み出した音楽／映像に、ノイズ生成部１０４から読み出した暗号化したノイズを混入し、暗号化したノイズを混入した音楽／映像に、識別分類データ構成部１０３から読み出した識別分類データを付して、放送網２００を介して、視聴装置４００へ放送（送信）するようになされている。
【０１９２】
また、放送部１０１は、複数の視聴装置４００へ音楽／映像を配信し販売する際に、放送網２００を介し、音楽／映像データを配信（送信）するようになされている。
【０１９３】
なお、放送部１０１から放送する音楽／映像に、ノイズ生成部１０４が生成する暗号化したノイズを混入せずに放送する場合があり、その場合、放送部１０１は、蓄積部１０５から読み出した音楽／映像に、識別分類データ構成部１０３から読み出した識別分類データを付して、放送網２００を介し、視聴装置４００へ放送（送信）するようになされている。
【０１９４】
また、放送部１０１は、例えば、衛星回線や、ＣＡＴＶ網、地上波、ＩＰマルチキャスト、インターネット放送、その他の多数のユーザに一斉同報通信が可能な一方向（双方向でもよい）のネットワークである放送網２００を介して、音楽／映像や、識別分類データなどを、複数の視聴装置４００へ放送（送信）するようになされている。
【０１９５】
識別分類データ構成部１０３は、制御部１０６の制御の下、放送する音楽／映像に付して放送（送信）する識別分類データを生成（構成）し、放送部１０１に供給するようになされている。
ここで、識別分類データは、例えば、図３のようなフォーマットで供給されるようになされている。
【０１９６】
また、識別分類データ構成部１０３により生成する識別分類データには、販売する音楽／映像を識別するための識別情報と、販売する音楽／映像データの配信（送信）方法に関する情報（以下、適宜、配信方法に関する情報と言う）とが配置され、音楽／映像の識別情報は、蓄積部１０５に記憶している音楽／映像それぞれに付されている識別情報を、識別分類データ構成部１０３が読み出すことで得られるようになされている。
【０１９７】
一方、配信方法に関する情報としては、アナログ公衆回線網や、ＩＳＤＮ（ＩｎｔｅｇｒａｔｅｄＳｅｒｖｉｃｅｓＤｉｇｉｔａｌＮｅｔｗｏｒｋ）、インターネット、その他の双方向通信が可能なネットワークである通信網３００を介して行う個別送信により音楽／映像データを配信（送信）し販売する場合の情報として、例えば、放送装置１００（販売することができる音楽／映像データを管理しているサーバでもある）のＩＰアドレスをドメイン名として有するＵＲＬ（ＵｎｉｆｏｒｍＲｅｓｏｒｃｅＬｏｃａｔｏｒ）を含み、一方、例えば、衛星回線や、ＣＡＴＶ網、地上波、ＩＰマルチキャスト、その他の多数のユーザに一斉同報通信が可能な一方向（双方向でもよい）のネットワークである放送網２００を介して行う同報送信により音楽／映像データを配信し販売する場合、例えば、放送部１０１から音楽／映像データを配信（送信）する日時を提示した情報や、例えば、チャンネルなど伝送方法に関する情報などが、識別分類データに含まれる。
【０１９８】
ここで、放送網２００を介しての音楽／映像データやその他のデータの送信を、以下、適宜、同報送信と言いう。また、通信網３００を介しての音楽／映像データやその他のデータの送信を個別送信という。
【０１９９】
販売する音楽／映像データの配信（送信）方法は、上述した個別送信による方法と同報送信による方法との二つの方法を併用し提供することもできるし、どちらか一方の方法で提供することもできる。なお、上述する二つの方法を併用し提供する場合、視聴装置４００において、個別送信または同報送信いずれか一方を指定し要求するようになされている。
【０２００】
ここで、識別分類データ構成部１０３が生成（構成）する識別分類データを放送部１０１より放送する音楽／映像に付して放送する目的は、主に５つあり、一つ目は、複数の視聴装置４００で放送を視聴するユーザが放送する音楽／映像を購入する際に購入したい音楽／映像を識別情報により確定し選択するためである。二つ目は、複数の視聴装置４００それぞれから識別情報を含んだ購入要求データを、放送装置１００へ送信し、放送装置１００の蓄積部１０５に蓄積している音楽／映像それぞれに付されている識別情報と一致させ、購入要求のあった音楽／映像データを配信するためである。三つ目は、販売する音楽／映像データの配信方法に関する情報を視聴装置４００へ提供するためである。四つ目は、後述するが、複数の視聴装置４００で放送を視聴するユーザが視聴する音楽／映像を複製し記憶する場合、識別分類データを付加して記憶するためである。五つ目は、販売する音楽／映像の課金管理や販売する音楽／映像に付帯する権利（著作権など）の管理をするためである。
【０２０１】
高音質高画質で放送する音楽／映像の著作権を放送が無断複製されることによって起こる被害から保護するために、ノイズ生成部１０４は、制御部１０６の制御の下、暗号化したノイズを生成する。ノイズ生成部１０４が生成する暗号化したノイズは、放送する音楽／映像に混入されるようになされている。
【０２０２】
ここで、暗号化したノイズとは、例えば、電子透かし技術、及び／又はデータハイディング技術、及び／又はウォーターマーク技術を利用して生成されるものである。
【０２０３】
音楽／映像に暗号化したノイズを混入する方法としては、例えば、生成したノイズを、音楽／映像データの実データ部に直接埋め込む方法や、パターン認識技術により音楽／映像データの中身を認識し、人間の視覚や聴覚の特性を考慮して適応的にノイズを埋め込む方法などがある。具体的には、例えば、放送する映像を、周波数成分データに加工した上でカオス拡散技術を用いてノイズを混入したり、また、例えば、放送する音楽に、量子化ノイズを利用し、ディザ信号に替えてノイズを混入させる方法などがある。
【０２０４】
また、ノイズ生成部１０４が生成する暗号化したノイズは、暗号化したノイズを混入した音楽／映像から、暗号化したノイズを除去するための暗号鍵と、対をなすように生成され、複数の視聴装置４００は、暗号鍵を有し、後述するように、放送部１０１が放送する暗号化したノイズを混入した音楽／映像から、暗号化したノイズを除去して高音質高画質の音楽／映像に戻して視聴できるようになされ、複数の視聴装置以外の不特定多数の人々が、放送部１０１が放送する音楽／映像を受信する場合、音質及び／又は画質が幾分低下している暗号化したノイズの混入した音楽／映像を視聴し楽しめるようにし、高音質高画質放送の音楽／映像を無断複製するのを防ぐようになされている。
【０２０５】
また、ノイズ生成部１０４が生成する暗号化したノイズの量（効力）を調整することで、例えば、複数の視聴装置以外では、まったく音楽／映像が視聴できなくすることもできるし、または、例えば、ＡＭ（ＡｍｐｌｉｔｕｄｅＭｏｄｕｌａｔｉｏｎ）、またはＦＭ（ＦｒｅｑｕｅｎｃｙＭｏｄｕｌａｔｉｏｎ）に準ずる音質や画質に低下した音楽／映像を視聴することができるようにすることもできる。
【０２０６】
また、ノイズ生成部１０４は、例えば、データハイディング技術を利用し、暗号化したノイズを生成する際に、暗号化したノイズの量を調整し、暗号化したノイズを音楽／映像に混入し放送しても、音質や画質の劣化が人間の視聴覚では判断できないような暗号化したノイズとし、しかも、その暗号化したノイズに複製を阻止する制御データを含ませることで、放送した音楽／映像を受信し無断複製しようとした場合、高音質高画質放送の無断複製を防止するようにもできる。なお、ノイズ生成部１０４が生成する暗号化したノイズは、例えば、すべての放送する音楽／映像に混入して送信することもできるし、例えば、選択された音楽／映像に混入して送信することもできる。
【０２０７】
通信部１０２は、例えば、アナログ公衆回線網や、ＩＳＤＮ（ＩｎｔｅｇｒａｔｅｄＳｅｒｖｉｃｅｓＤｉｇｉｔａｌＮｅｔｗｏｒｋ）、インターネット、その他の双方向通信が可能なネットワークである通信網３００を介し、複数の視聴装置４００の通信部４０２と通信を行うようになされ、複数の視聴装置４００から通信網３００を介し送信されてくる購入要求データを受信し、また、複数の視聴装置４００へ音楽／映像を販売するための音楽／映像データを個別送信、即ち、通信網３００を介し配信するようになされている。
【０２０８】
通信部１０２は、例えば、モデムや、ＴＡ（ＴｅｒｍｉｎａｌＡｄａｐｔｅｒ）などの通信制御機器により構成され、例えば、ＴＣＰ／ＩＰに基づくプロトコルにしたがってデータの送受信を行う。
【０２０９】
視聴装置４００は、視聴する音楽／映像の購入を要求するため、購入要求データを、通信網３００を介し、放送装置１００へ送信するが、購入要求データ認識部１０７は、制御部１０６の制御の下、通信部１０２が受信する購入要求データを読み出し、購入要求データに基づき、購入要求のあった音楽／映像データを視聴装置４００へ配信（送信）するようになされている。
【０２１０】
即ち、購入要求データには、後述するように、いくつかの情報が含まれ、購入要求データ認識部１０７は、例えば、購入要求を受けた音楽／映像の識別情報や音楽／映像の配信方法（取得方法）を読み出し、認識し、購入要求データの要求内容に基づき、購入要求を受けた音楽／映像データを配信するようになされている。
【０２１１】
制御部１０６は、放送部１０１と、通信部１０２と、識別分類データ構成部１０３と、ノイズ生成部１０４と、蓄積部１０５と、購入要求データ認識部１０７との各部を制御する。
【０２１２】
以上のように構成される放送装置１００では、蓄積部１０５に音楽／映像を記憶する蓄積処理、音楽／映像を放送部１０１により放送する音楽／映像の放送処理、および、複数の視聴装置へ音楽／映像を配信し販売する音楽／映像データの配信販売処理などが行われている。
【０２１３】
まず、図４のフローチャートを参照して、放送装置１００が行う蓄積処理について説明する。
【０２１４】
蓄積処理では、まず最初に、ステップＳ１において、放送装置１００で販売することができる音楽／映像データを蓄積部１０５に記憶するにあたりその音楽／映像データが蓄積部１０５に既に記憶されているかどうかが、蓄積部１０５の蓄積（登録）データを検索することで判定される。即ち、蓄積部１０５の蓄積（登録）データを、記憶を行おうとしている音楽／映像データのタイトル名やアーティスト名などで検索し、記憶を行おうとしている音楽／映像データが、既に、蓄積部１０５に記憶されていると判定された場合、ステップＳ１に戻る。また、記憶を行おうとしている音楽／映像データが、まだ、蓄積部１０５に記憶されていないと判定された場合、ステップＳ２に進む。
【０２１５】
ステップＳ２において、蓄積部１０５は、ステップＳ１で新規の音楽／映像データであると判定された音楽／映像データに、例えば、図２に示されるような識別情報を付加し、記憶し、ステップＳ３へ進む。
【０２１６】
ステップＳ３において、蓄積部１０５は、新規に記憶された音楽／映像データとその識別情報との蓄積（登録）データを更新し、ステップＳ１に戻る。
【０２１７】
次に、図５のフローチャートを参照して、販売することができる音楽／映像を放送する音楽／映像の放送処理について説明する。
【０２１８】
音楽／映像の放送処理では、まず最初に、ステップＳ４において、蓄積部１０５に記憶している販売することができる音楽／映像データの中から、放送する音楽／映像データを選択する。ステップＳ４において、放送部１０１は、例えば、蓄積部１０５が記憶している音楽／映像データの蓄積データを読み出し、読み出した蓄積データの中から、例えば、放送する音楽／映像データをランダムに選択し、ステップＳ５に進む。また、ステップＳ４において、音楽／映像データの選択を、人為的に選択することもできる。
【０２１９】
ステップＳ５において、識別分類データ構成部１０３が、制御部１０６の制御の下、ステップＳ４において選択された音楽／映像データの識別分類データを生成（構成）し、放送する音楽／映像に付して放送（送信）するようになされ、ステップＳ６に進む。
【０２２０】
即ち、識別分類データ構成部１０３は、選択された音楽／映像の識別情報を蓄積部１０５から読み出し識別分類データに配置し、また、配信方法に関する情報、即ち選択された音楽／映像を配信販売する場合の同報送信による配信方法及び／又は個別送信による配信方法を識別分類データに配置し、例えば、図３に示すような識別分類データを構成するようになされる。
【０２２１】
ここで、選択された音楽／映像の配信方法を配置する場合、例えば、同報送信の配信方法に関する情報および個別送信の配信方法に関する情報を配置し、視聴装置４００において音楽／映像を視聴し購入するユーザにいずれか一方の配信方法を選択してもらうこともできるし、または、例えば、情報量の多い音楽／映像を配信販売する場合の配信方法として同報送信の配信方法に関する情報を配置し、例えば、情報量の少ない音楽／映像を配信販売する場合の配信方法として、個別送信の配信方法に関する情報を配置することもできる。
【０２２２】
ステップＳ６において、ノイズ生成部１０４により暗号化したノイズを、選択された音楽／映像に混入するか否かを、識別情報に記述されているノイズ混入判定データに基づき、放送部１０１により、判定され、選択された音楽／映像に暗号化したノイズを混入しないで放送すると判定された場合、ステップＳ７をスキップし、ステップＳ８へ進む。また、暗号化したノイズを混入して放送すると判定された場合、ステップＳ７へ進む。
【０２２３】
ステップＳ６において、選択された音楽／映像を、それにノイズ生成部１０４が生成（構成）する暗号化したノイズを混入して放送すると判定された場合、ステップＳ７に進み、ノイズ生成部１０４は、暗号化したノイズを生成し、放送部１０１に供給するようになされる。
【０２２４】
ステップＳ７で、ノイズ生成部１０４が暗号化したノイズを生成し、放送部１０１に供給するようなされた場合、ステップＳ８に進み、放送部１０１は、制御部１０６の制御の下、伝送制御を行い、例えば、伝送方法などの伝送仕様が決定され、ノイズ生成部１０４からそれが生成した暗号化したノイズを読み出し、選択された音楽／映像に混入し、さらに、識別分類データ構成部１０３からそれが生成した識別分類データを読み出し、暗号化したノイズを混入した音楽／映像に付し、暗号化したノイズが混入され且つ識別分類データが付されている選択された音楽／映像を放送し、ステップＳ４に戻る。
【０２２５】
一方、ステップＳ６で、選択された音楽／映像に暗号化したノイズを混入しないで放送すると判定された場合、ステップＳ８に進み、放送部１０１は、制御部１０６の制御の下、伝送制御を行い、例えば、伝送方法などの伝送仕様が決定され、識別分類データ構成部１０３からそれが生成（構成）した識別分類データを読み出し、選択された音楽／映像に付し、識別分類データの付されている選択された音楽／映像を放送し、ステップＳ４に戻る。
【０２２６】
次に、図６のフローチャートを参照して、音楽／映像の配信販売処理について説明する。
【０２２７】
視聴装置４００は、通信網３００を介し、放送装置１００へ購入要求データを送信するが、音楽／映像データの配信販売処理では、まず、ステップＳ９において、その購入要求データを通信部１０２が受信したかどうかが判定される。購入要求データを受信していないと判定された場合、ステップＳ９へ戻る。また、購入要求データを受信したと判定された場合、その購入要求データが購入要求データ認識部１０７に供給され、ステップＳ１０に進む。
【０２２８】
ここで、購入要求データは、例えば、図７のようなフォーマットで供給されるようになされている。なお、視聴装置４００における購入要求データの生成（構成）方法に関しては、後述する。
【０２２９】
ステップＳ１０において、購入要求データ認識部１０７が、購入要求データを読み出し、購入要求データに記述されている識別情報を認識し、蓄積部１０５に記憶している音楽／映像データの中から、購入要求データに記述されている識別情報と同一の識別情報を付加されている音楽／映像データを選択し、その音楽／映像データを放送部１０１または通信部１０２のうちの一方から配信するようになされ、ステップＳ１１に進む。
【０２３０】
ステップＳ１１において、購入要求データ認識部１０７が、購入要求データに記述されている取得方法に関する情報を読み出し、音楽／映像の取得方法即ち放送装置１００からの配信方法について購入要求データ送信者が同報送信による配信方法を要求しているかどうかを判定する。同報送信による配信方法を要求していないと判定した場合、ステップＳ１２をスキップし、ステップＳ１３へ進む。また、同報送信による配信方法を要求していると判定した場合、ステップＳ１２へ進む。
【０２３１】
ここで、購入要求データに記述されている取得方法に関する情報には、後述するが、購入要求データ送信者が購入要求する音楽／映像を同報送信による配信方法により取得するかまたは個別送信による配信方法により取得するかのいずれか一方での配信方法を決定した結果が示され、購入要求データ認識部１０７がその示された結果を認識し、配信方法を判定するようになされている。
【０２３２】
ステップＳ１１において、購入要求のあった音楽／映像データを同報送信による配信方法で配信すると判定された場合、ステップＳ１２に進み、購入要求データ認識部１０７が、制御部１０６の制御の下、放送部１０１に対し、購入要求データに基づき選択した音楽／映像データを蓄積部１０５から読み出し配信（送信）するよう要求し、放送部１０１が、購入要求データ認識部１０７の要求に対応し、制御部１０６の制御の下、蓄積部１０５から、購入要求データに基づき選択した音楽／映像データを読み出し、伝送制御を行い、購入要求のあった音楽／映像データを放送時刻まで待って、放送網２００を介した同報送信により、複数の視聴装置４００へ配信（送信）し、ステップＳ１３に進む。
【０２３３】
ステップＳ１３において、購入要求データ認識部１０７が、購入要求データに記述されている取得方法に関する情報を読み出し、音楽／映像の取得方法即ち放送装置１００からの配信方法について購入要求データ送信者が個別送信による配信方法を要求しているかどうかが判定される。個別送信による配信方法を要求していないと判定された場合、ステップＳ１４をスキップし、音楽／映像の配信販売処理を終了する。また、個別送信による配信方法を要求していると判定された場合、ステップＳ１４へ進む。
【０２３４】
ここで、購入要求データ認識部１０７は、音楽／映像の購入要求者が個別送信による配信方法を要求しているかどうかの判定を、同報送信での配信方法を要求しているかどうかの判定をした場合と同様に、購入要求データに記述されている取得方法に関する情報を読み出し判定するようになされる。
【０２３５】
ステップＳ１４において、購入要求データ認識部１０７が、購入要求データに基づき選択した音楽／映像データを、蓄積部１０５から読み出し、通信部１０２を制御し、通信部１０２から、通信網３００を介した個別送信により、購入要求データを送信した視聴装置４００へ蓄積部１０５から読み出した音楽／映像データを配信（送信）し、音楽／映像の配信販売処理を終了する。
【０２３６】
次に、視聴装置４００の各部について図１を参照し説明する。ここで、視聴装置とは、例えば、音楽／映像（画像）を、聞くこと及び／又は見ることができる機能を含む装置である。
【０２３７】
放送受信部４０１は、放送装置１００から放送網２００を介して送信されてくる放送、すなわち、ここでは、音楽／映像、暗号化したノイズを混入された音楽／映像、およびそのいずれの音楽／映像にも付して送信されてくる識別分類データを受信するようになされている。
【０２３８】
また、放送受信部４０１は、放送装置１００から音楽／映像を購入する際に、放送装置１００から配信（送信）される音楽／映像データを、放送網２００を介し、受信するようになされている。
【０２３９】
ノイズ除去部４０３は、放送装置１００が放送する音楽／映像に混入した暗号化したノイズを除去するための暗号鍵を有し、制御部４１０の制御の下、放送受信部４０１が受信する暗号化したノイズを混入された音楽／映像を読み出し、暗号鍵により、暗号化したノイズを混入された音楽／映像から暗号化したノイズを除去し、読み出し部４０４へ供給するようになされている。
【０２４０】
また、放送装置１００は、放送する音楽／映像をそれに暗号化したノイズを混入せずに放送する場合があり、その場合、ノイズ除去部４０３は、放送受信部４０１が受信した音楽／映像をそのまま読み出し部４０４へ供給するようになされている。
【０２４１】
読み出し部４０４は、操作部４１１の操作に対応し、ノイズ除去部４０３から供給される音楽／映像を読み出し、出力部４０５へ出力する。
【０２４２】
また、読み出し部４０４は、例えば、購入選定データ構成部４０６から購入選定データを、また購入要求データ構成部４０７から購入要求データを、また蓄積部４０９から放送装置１００から購入した音楽／映像、および放送装置１００からの放送を複製した音楽／映像、ノイズが混入された音楽／映像、およびそのいずれの音楽／映像にも付されている識別分類データを読み出し、それら読み出した各情報を出力部４０５に出力し、出力部４０５の例えばディスプレイに表示し、またスピーカーに出力するようになされている。
【０２４３】
出力部４０５は、例えば、ディスプレイやスピーカーなどで構成され、読み出し部４０４が読み出した情報に対応する画像を表示し、また音声を出力するようになされている。
【０２４４】
購入選定データ構成部４０６は、制御部４１０の制御の下、購入選定データを生成（構成）するようになされている。
【０２４５】
即ち、放送装置１００は、放送網２００を介し、複数の視聴装置４００へ放送する音楽／映像に付して識別分類データを送信し、購入選定データ構成部４０６が、制御部４１０の制御の下、放送受信部４０１が放送装置１００から音楽／映像の放送を受信した時に、音楽／映像それぞれに付されて送信される識別分類データを、放送受信部４０１から読み出し、購入選定データ構成部４０６が生成する購入選定データに配置するようになされている。
【０２４６】
ここで、購入選定データは、例えば、図８のようなフォーマットで供給されるようになされている。
【０２４７】
図８に示すように、購入選定データ構成部４０６が、放送受信部４０１から読み出した複数の識別分類データを記憶し、配置し、購入選定データを構成するようになされ、即ち、放送受信部４０１が受信している音楽／映像の識別分類データを放送受信部４０１から読み出し、購入選定データに配置すると共に、一つ前に放送受信部４０１から読み出し購入選定データに配置した識別分類データ、および二つ前に放送受信部４０１から読み出し購入選定データに配置した識別分類データ、およびｎ個前に放送受信部４０１から読み出し購入選定データに配置した識別分類データを記憶し、購入選定データに配置し、購入選定データを構成（生成）するようになされている。
【０２４８】
また、購入選定データ構成部４０６は、複数の識別分類データを配置して生成（構成）した購入選定データを、読み出し部４０４に供給し、出力部４０５の例えばディスプレイに表示するようになされている。
【０２４９】
また、購入選定データ構成部４０６は、後述するように、ユーザが購入選定データに表示している識別分類データを利用して購入要求をする音楽／映像を確定し選択した場合、選択された音楽／映像の識別分類データを購入要求データ構成部４０７に供給するようになされている。
【０２５０】
無断複製防止部４０８は、放送受信部４０１で受信する音楽／映像、暗号化したノイズを混入された音楽／映像、およびそのいずれの音楽／映像にも付されて送信された識別分類データを読み出し、蓄積部４０９へ供給するようになされている。
【０２５１】
即ち、無断複製防止部４０８が蓄積部４０９へ供給する音楽／映像、暗号化したノイズを混入された音楽／映像、およびそのいずれの音楽／映像にも付されている識別分類データは、ユーザの希望に応じて、蓄積部４０９へ複製し記憶することができる。蓄積部４０９に記憶した音楽／映像や暗号化したノイズを混入された音楽／映像をユーザが視聴し、その結果、その音楽／映像を購入する場合、その音楽／映像に付加して蓄積部４０９に記憶した識別分類データに記述されている音楽／映像の識別情報および取得方法に基づき、簡便に放送装置１００へ購入要求データを送信し、購入したい音楽／映像を購入することができる。
【０２５２】
また、無断複製防止部４０８は、放送受信部４０１で受信した暗号化したノイズを混入された音楽／映像の暗号化したノイズを調整し、蓄積部４０９へ供給するためのノイズ調整を行うことができるようにすることも可能である。即ち、例えば、放送装置１００が音楽／映像をそれに暗号化したノイズをその量を多くして混入し、複数の視聴装置以外の不特定多数の人々が受信しても視聴できないように送信した場合、無断複製防止部４０８が、上記暗号化したノイズを調節するための暗号鍵を有することで、送信された音楽／映像から、ノイズ量をあらかじめ設定された量だけ除去し、例えばＡＭに準ずる音質及び／又は画質に変更された音楽／映像を得、その音楽／映像を蓄積部４０９に複製できるようにする、ということができる。
【０２５３】
これによって、高音質高画質で放送する音楽／映像の著作権を放送を無断複製されることの被害から保護し、且つ複数の視聴装置において、音楽／映像を購入する前に、複製して視聴し、確認する機会を与えることができる。
【０２５４】
購入要求データ構成部４０７は、視聴装置４００で放送装置１００からの放送を視聴するユーザが視聴する音楽／映像を気に入り放送装置１００へ購入要求を出す場合、操作部４１１の操作に対応し、購入要求データを生成（構成）するようになされている。
【０２５５】
即ち、購入要求データ構成部４０７は、操作部４１１の操作に対応し、購入要求データを生成し、制御部４１０の制御の下、生成した購入要求データを、それに購入選定データ構成部４０６から読み出した購入要求をする音楽／映像の識別分類データを配置して、読み出し部４０４へ供給し、出力部４０５の例えばディスプレイに表示するようになされている。
【０２５６】
また、購入要求データ構成部４０７は、生成（構成）した購入要求データに、後述するように、ユーザが操作部４１１を操作することにより、例えば音楽／映像データの取得方法、即ち配信方法に関する情報などを配置することができるようになされている。
【０２５７】
ここで、購入要求データ構成部４０７により生成（構成）される購入要求データは、例えば、図７に示すフォーマットで供給されるようになされている。
【０２５８】
なお、図７（１）の購入要求データに含まれる識別情報は、放送装置１００から購入選定データ構成部４０６が放送受信部４０１から読み出した放送する音楽／映像に付して送信される識別分類データに記述されている識別情報が購入要求データに配置されて得られているものである。
【０２５９】
また、放送装置１００が放送する音楽／映像に付して送信する識別分類データの中には、配信方法に関する情報が記述され、それにより、音楽／映像データの配信方法の提示、即ち、同報送信による配信方法、及び／又は、個別送信による配信方法の提示がなされている。図７（２）および図７（３）にある配信識別フラグは、識別分類データに記述されている配信方法に関する情報を基にユーザが決定する取得（配信）方法の結果が配置するようになされている。
【０２６０】
また、図７（２）の放送日時は、上述する配信識別フラグと同様に、識別分類データに含まれる配信方法に関する情報の中に提示されている、同報送信によって音楽／映像データを配信する日時のスケジュールを基にユーザが選択した放送日時を示している。なお、視聴装置ＩＤは、購入要求データを送信した視聴装置（送信元）を特定するための情報であり、購入要求データに配置される。
【０２６１】
通信部４０２は、例えば、アナログ公衆回線網やＩＳＤＮ（ＩｎｔｅｇｒａｔｅｄＳｅｒｖｉｃｅｓＤｉｇｉｔａｌＮｅｔｗｏｒｋ）、インターネット、その他の双方向通信が可能な通信網３００を介し、放送装置１００の通信部１０２と通信を行うようになされている。
【０２６２】
通信部４０２は、通信網３００を介し放送装置１００へ購入要求データを送信するようになされている。
【０２６３】
また、通信部４０２は、通信網３００を介し、放送装置１００から、購入する音楽／映像データを受信するようになされている。
【０２６４】
また、通信部４０２は、例えば、モデムやＴＡ（ＴｅｒｍｉｎａｌＡｄａｐｔｅｒ）などの通信制御機器により構成され、例えばＴＣＰ／ＩＰに基づくプロトコルにしたがってデータの送受信を行う。
【０２６５】
ここで、通信部４０２は、双方向通信が可能な通信網３００を介し、放送装置１００と通信するようになされ、その通信は有線通信でも良いし、また無線通信でも良い。
【０２６６】
蓄積部４０９は、例えば、ハードディスクや光磁気ディスクなどの記憶（記録）媒体で構成され、放送装置１００から音楽／映像データを購入する際に購入する音楽／映像データを記憶したり、無断複製防止部４０８が供給する音楽／映像、ノイズが混入された音楽／映像、およびその音楽／映像に付されて送信された識別分類データを記憶する。
蓄積部４０９は、例えば、取り外しができるようにすることもできる。
【０２６７】
操作部４１１は、例えば、出力部４０５により音楽／映像を出力する場合や、購入選定データに配置されている識別分類データを選択する場合などに、ユーザにより操作される。
【０２６８】
制御部４１０は、放送受信部４０１と、通信部４０２と、ノイズ除去部４０３と、読み出し部４０４と、購入選定データ構成部４０６と、購入要求データ構成部４０７と、無断複製防止部４０８と、蓄積部４０９との各部を制御する。
【０２６９】
以上のように構成される視聴装置４００では、放送装置１００からの暗号化したノイズを混入された音楽／映像を受信し、その音楽／映像からノイズを除去し再生する放送再生処理、視聴する音楽／映像の購入要求を処理する購入要求処理、および放送装置１００から配信販売される音楽／映像データの受信を処理する音楽／映像の取得処理などが行われるようになされている。
【０２７０】
まず、図９フローチャートを参照して、視聴装置４００が行う放送再生処理について説明する。
【０２７１】
放送再生処理では、まず、ステップＳ１５において、放送装置１００から放送網２００を介し送信される放送を、放送受信部４０１により受信する。
【０２７２】
ステップＳ１５において、放送装置１００から放送網２００を介し送信される放送を放送受信部４０１により受信した場合、ステップＳ１６に進み、ノイズ除去部４０３が、制御部４１０の制御の下、放送受信部４０１が受信した音楽／映像を読み出し、読み出した音楽／映像が暗号化したノイズを混入された音楽／映像であるか暗号化したノイズを混入されていない音楽／映像であるかどうかを、ノイズ除去部４０３が有する暗号鍵により、判定する。
【０２７３】
暗号化したノイズを混入されていない音楽／映像と判定された場合、ステップＳ１７をスキップし、ステップＳ１８に進む。また、暗号化したノイズを混入された音楽／映像であると判定された場合、ステップＳ１７に進む。
【０２７４】
ステップＳ１６において、暗号化したノイズを混入された音楽／映像であると判定された場合、ステップＳ１７に進み、ノイズ除去部４０３が、ノイズ除去部４０３が有する暗号鍵により、暗号化したノイズを混入された音楽／映像から、暗号化したノイズを除去し、そのノイズの除去された音楽／映像を読み出し部４０４へ供給するようになされる。
【０２７５】
ステップＳ１７において、ノイズ除去部４０３により暗号化したノイズを混入された音楽／映像から暗号化したノイズを除去し、そのノイズの除去された音楽／映像を読み出し部４０４へ供給するようになされた場合、ステップＳ１８に進み、読み出し部４０４が、ノイズ除去部４０３から、音楽／映像を読み出し、出力部４０５に出力するようになされる。
【０２７６】
ステップＳ１８において、読み出し部４０４により暗号化したノイズの除去された音楽／映像を出力部４０５に出力した場合、ステップＳ１９に進み、出力部４０５が、読み出し部４０４からの音楽／映像に対応する画像を表示し、また音声を出力し、ステップＳ１５へ戻る。
【０２７７】
一方、ステップＳ１６において、暗号化したノイズが混入されていない音楽／映像と判定された場合、ステップＳ１８に進み、読み出し部４０４が、ノイズ除去部４０３から、音楽／映像を読み出し、出力部４０５に出力するようになされ、ステップＳ１９に進む。
【０２７８】
ステップＳ１９において、出力部４０５が、読み出し部４０４からの音楽／映像に対応する画像を表示し、また音声を出力し、ステップＳ１５へ戻る。
【０２７９】
次に、図１０のフローチャートを参照して、視聴装置４００が行う購入要求処理について説明する。
【０２８０】
購入選定データ構成部４０６が生成（構成）する購入選定データは、例えば、出力部４０５に、図８に示すようなフォーマットで表示され、購入要求処理では、まず、ステップＳ２０において、購入選定データに表示している複数の識別分類データの中から、操作部４１１の操作により、購入したい音楽／映像の識別分類データが確定され、選択される。
【０２８１】
ここで、購入選定データ構成部４０６は、生成する購入選定データを、例えば、ＨＴＭＬ（ＨｙｐｅｒＴｅｘｔＭａｒｋｕｐＬａｎｇｕａｇｅ）の記述方式を利用して、記述し表示し、操作部４１１の操作に対応し、購入したい音楽／映像の識別分類データが選択された場合、購入選定データ構成部４０６が、制御部４１０の制御の下、購入要求データ構成部４０７に、購入要求データを生成するよう要求し、購入要求データ構成部４０７が、要求に対応して、購入要求データを生成し、購入選定データ構成部４０６から、操作部４１１の操作により選択された音楽／映像の識別分類データを読み出し、その識別分類データを生成した購入要求データに配置し、例えば、出力部４０５に表示するようになされる。
【０２８２】
ステップＳ２０において、購入選定データに表示している複数の識別分類データの中から操作部４１１の操作により購入したい音楽／映像の識別分類データが確定され選択された場合、ステップＳ２１に進み、購入要求データ構成部４０７が、操作部４１１の操作に対応し、購入要求データを生成し、購入選定データ構成部４０６から識別分類データを読み出し、その読み出した識別分類データを生成した購入要求データに配置し、識別分類データを配置した購入要求データを、読み出し部４０４に供給し、例えば、出力部４０５に表示するようになされ、ステップＳ２２に進む。
【０２８３】
購入要求データには、図７（１）に示すように、購入を要求する音楽／映像の識別情報と、その音楽／映像データの取得方法に関する情報と、視聴装置ＩＤに関する情報とが含まれる。音楽／映像データの取得に関する情報は、同報送信による配信方法の場合と、個別送信による配信方法の場合とで異なる情報が配置される。
【０２８４】
同報送信による音楽／映像データの配信を要求する購入要求データには、図７（２）に示すように、配信識別フラグ、放送日時、視聴装置ＩＤなどが配置される。
【０２８５】
配信識別フラグは、購入要求データが同報送信による配信方法または個別送信による配信方法のうちのいずれによる音楽／映像データの配信を要求するものであるかを識別するための情報である。
【０２８６】
購入要求データを送信した送信元（送信者）を特定するための個々の視聴装置にはユニークなＩＤが割り当てられており、そのＩＤを、視聴装置ＩＤとしている。なお、視聴装置ＩＤとしては、例えば、ＩＰアドレスや、携帯電話が有するＩＤと同様に、公衆回線網などの双方向ネットワークを介して、無線通信を行う機器に割り当てられるＩＤなどを利用することができる。
【０２８７】
一方、個別送信による配信方法によって、音楽／映像の取得を要求する購入要求データには、図７（３）に示すように、配信識別フラグ、視聴装置ＩＤなどが配置される。この場合、配信識別フラグには、個別送信による配信方法による音楽／映像データの配信を要求する購入要求データであることを示す情報が配置され、視聴装置ＩＤには、図７（２）における場合と同様に、購入要求データの送信元が分かるように、個々の視聴装置に割り当てられたユニークなＩＤが配置される。
【０２８８】
図１０に戻り、ステップＳ２２において、購入要求データに、購入する音楽／映像の取得方法に関する情報、すなわち例えば配信識別フラグ、放送日時、視聴装置ＩＤに関する情報などを配置し、ステップＳ２３に進む。
【０２８９】
放送装置１００から送信された識別分類データの中に含まれる、配信方法に関する情報に、購入する音楽／映像データの取得方法、即ち同報送信による配信方法、及び／又は個別送信による配信方法が記述されていて、その配信方法を基にユーザが配信方法を選択決定し、その結果が配信識別フラグに配置されるようになされている。なお、放送装置１００から送信されてくる識別分類データに含まれる配信方法の提示が、同報送信による配信方法または個別送信による配信方法のいずれか一方の配信方法しか提示されていない場合、提示されている方法だけが配信識別フラグに配置される。
【０２９０】
ステップＳ２３において、購入要求データ構成部４０７は、操作部４１１の操作に対応し、通信部４０２を制御し、購入要求データ構成部４０７により生成（構成）した購入要求データを、通信網３００を介し、放送装置１００へ送信し、購入要求処理を終了する。
【０２９１】
次に、図１１のフローチャートを参照して、視聴装置４００が行う音楽／映像の取得処理について説明する。
【０２９２】
購入要求データ構成部４０７によって生成（構成）した購入要求データを通信部４０２から通信網３００を介し放送装置１００へ送信した際に、送信した購入要求データに配置した購入する音楽／映像の取得方法、即ち同報送信による配信方法により取得するかまたは個別送信による配信方法により取得するかを、ユーザにより決定していて、音楽／映像の取得処理においては、まず最初に、ステップＳ２４において、送信した購入要求データに個別送信による音楽／映像データの取得方法を配置した場合、ステップＳ２７に進む。また、同報送信による音楽／映像データの取得方法を配置した場合、ステップＳ２５に進む。
【０２９３】
ステップＳ２５において、購入要求データに配置した放送日時に基づき、音楽／映像データの配信日時を待って、購入要求をした音楽／映像データを、放送装置１００から、放送網２００を介し、放送受信部４０１により、受信し、ステップＳ２６に進む。
【０２９４】
ステップＳ２６において、放送装置１００から、放送網２００を介し、同報配信された音楽／映像データを、放送受信部４０１により受信し、蓄積部４０９に記憶し、音楽／映像の取得処理を終了する。
【０２９５】
一方、ステップＳ２４において、購入要求データに、個別送信による音楽／映像データの配信方法を配置した場合、ステップＳ２７に進み、そのステップＳ２７において、受信装置４００を、通信部４０２によって読み出した識別分類データに含まれている配信方法に関する情報に記述されている放送装置１００（販売することができる音楽／映像データを管理しているサーバでもある）のＵＲＬに、通信網３００を介して接続し、購入要求を出した音楽／映像データを、放送装置１００から、通信網３００を介し、通信部４０２によって受信し、ステップＳ２６に進む。
【０２９６】
ステップＳ２６において、放送装置１００から、通信網３００を介した個別送信により配信された音楽／映像データを、通信部４０２により受信し、蓄積部４０９に記憶し、音楽／映像の取得処理を終了する。
【実施例２】
【０２９７】
図１２は、本発明を適用した販売システムの一実施の形態（Ｂ）のブロック図を示している。
【０２９８】
本実施の形態（Ｂ）の販売システムは、放送装置１００と、複数の、視聴装置４００とを含み、放送装置１００において、蓄積部１０５は、販売することができる音楽／映像を記憶する。
【０２９９】
放送部１０１は、蓄積部１０５に記憶している音楽／映像を、放送網２００を介し、複数の視聴装置４００へ放送する。
【０３００】
蓄積部１０５に記憶している音楽／映像それぞれには、個々の音楽／映像を識別するための識別情報が付されている。その識別情報は、放送部１０１から放送する音楽／映像に付して放送（送信）される。
【０３０１】
ノイズ生成部１０４は、高音質高画質で放送する音楽／映像の著作権を無断複製されることによって起こる被害から保護するために、暗号化したノイズを生成する。ノイズ生成部１０４が生成する暗号化したノイズは、放送部１０１により放送する音楽／映像に混入される（後述するように、放送部１０１が放送する音楽／映像に、暗号化したノイズを混入しない場合もある）。ノイズ生成部１０４が生成する暗号化したノイズは、暗号化したノイズを混入した音楽／映像から暗号化したノイズを除去するための暗号鍵と対をなすように生成され、複数の視聴装置４００が暗号鍵を有し、複数の視聴装置４００が、放送部１０１が放送する暗号化したノイズを混入した音楽／映像から暗号化したノイズを除去して高音質高画質の音楽／映像に戻し、その音楽／映像が視聴できるようになされている。
【０３０２】
通信部１０２は、放送する音楽／映像を視聴している複数の視聴装置４００それぞれから、識別情報を含む購入要求データを、通信網３００を介し受信する。
【０３０３】
供給許可データ生成部１０９は、視聴装置４００の自動蓄積部４１２から、視聴装置４００の蓄積部４０９へ、視聴装置４００が購入要求をする音楽／映像を供給することを許可する供給許可データを生成する。
【０３０４】
販売許諾データ構成部１０８は、通信部１０２が受信した購入要求データを読み出し、その購入要求データに基づき、視聴装置４００が購入要求をした音楽／映像の販売許諾を行うための販売許諾データを生成する。即ち、販売許諾データ構成部１０８は、販売許諾データを生成し、その生成した販売許諾データに、購入要求データに記述された識別情報を配置し、さらに、供給許可データ生成部１０９が生成する供給許可データを配置し、そのように識別情報と供給許可データとを配置した販売許諾データを、通信部１０２により、通信網３００を介し、購入要求データを送信した視聴装置４００へ送信する。
【０３０５】
一方、視聴装置４００において、放送受信部４０１は、販売することができる音楽／映像を番組として放送する放送装置１００からの放送を、放送網２００を介し受信する。
【０３０６】
ノイズ除去部４０３は、放送装置１００が放送する音楽／映像に混入した暗号化したノイズを除去するための暗号鍵を有し、放送受信部４０１が受信する暗号化したノイズを混入された音楽／映像を読み出し、暗号鍵により暗号化したノイズを混入された音楽／映像から暗号化したノイズを除去し、そのノイズを除去した音楽／映像を読み出し部４０４と自動蓄積部４１２とに供給する。
【０３０７】
また、放送装置１００は放送する音楽／映像に暗号化したノイズを混入せずに放送する場合があり、その場合、ノイズ除去部４０３は、放送受信部４０１が受信した音楽／映像をそのまま読み出し部４０４と自動蓄積部４１２とに供給する。
【０３０８】
読み出し部４０４は、操作部４１１の操作に対応し、ノイズ除去部４０３から供給される音楽／映像を読み出し、出力部４０５へ出力する。
【０３０９】
出力部４０５は、例えばディスプレイやスピーカーなどで構成され、読み出し部４０４が読み出した情報に対応する画像を表示し、また音声を出力する。
【０３１０】
自動蓄積部４１２は、ノイズ除去部４０３が供給する音楽／映像を、順次、自動的に、継続して記憶する。自動蓄積部４１２は、通常は、操作部４１１により操作できないようになっている。
【０３１１】
放送装置１００は、個々の音楽／映像を識別する識別情報を、放送する音楽／映像に付して放送（送信）し、購入選定データ構成部４０６は、購入選定データを生成し、その生成した購入選定データに放送受信部４０１が受信する識別情報を配置し、その識別情報を配置した購入選定データを、読み出し部４０４に供給し、例えば出力部４０５に表示する。
【０３１２】
視聴装置４００において、視聴する音楽／映像を気に入り購入する場合、例えば出力部４０５に表示している購入選定データの識別情報の中から、購入を希望する音楽／映像の識別情報を確定し選択する。
【０３１３】
購入要求データ構成部４０７は、購入要求データを生成し、その生成した購入要求データに、購入選定データで選択した購入する音楽／映像の識別情報を配置する。
【０３１４】
購入要求データ構成部４０７は、識別情報を配置した購入要求データを、通信部４０２により、通信網３００を介し、放送装置１００へ送信する。
【０３１５】
放送装置１００は、視聴装置４００から購入要求データを受信した場合、購入要求のあった音楽／映像の販売許諾を行う販売許諾データを、通信網３００を介し、視聴措置４００へ送信する。
【０３１６】
販売許諾データ認識部４１３は、通信部４０２が受信する販売許諾データを読み出し、販売許諾データに基づき、購入要求をした音楽／映像を、自動蓄積部４１２から選択し、その選択した音楽／映像を、自動蓄積部４１２から蓄積部４０９へ供給し記憶する。
【０３１７】
蓄積部４０９は、購入した音楽／映像を記憶する。
【０３１８】
無断複製防止部４０８は、高音質高画質で放送する音楽／映像の著作権を放送を無断複製される被害から保護するため、放送受信部４０１が受信する音楽／映像、および暗号化したノイズを混入された音楽／映像、およびそのいずれの音楽／映像にも付されて送信される識別情報とを読み出し、蓄積部４０９へ供給し、ユーザの希望に応じて、蓄積部４０９へ複製し、記憶する。
【０３１９】
まず、図１２を参照し、放送装置１００の各部について説明する。
蓄積部１０５は、例えば、大容量のハードディスクや光磁気ディスクなどの記憶（記録）媒体で構成され、放送装置１００が販売することができる音楽／映像データを記憶（記録）するようになされている。
【０３２０】
販売することができる音楽／映像データを蓄積部１０５に記憶する際には、音楽／映像データに識別情報を付加して記憶する。
【０３２１】
また、放送部１０１は、後述するように、蓄積部１０５に記憶している音楽／映像の中から放送する音楽／映像を選択し、放送するようになされ、蓄積部１０５は、放送するために選択された音楽／映像を、放送部１０１に供給するようになされている。
【０３２２】
さらに、放送部１０１は、後述するように、音楽／映像を放送する際に、放送する音楽／映像それぞれに識別情報を付して放送するようになされ、蓄積部１０５は、放送する音楽／映像の識別情報を、放送部１０１へ供給するようになされている。
ここで、識別情報は、例えば、図１３のようなフォーマットで供給されるようになされている。
ここで、蓄積部１０５に記憶し、放送装置１００から放送し、販売する音楽／映像の販売形態はいくつかあり、例えば、音楽番組であれば、一曲ごとに販売することもできるし、アルバムごとに販売することもできるし、番組ごとに販売することもできる。
【０３２３】
従って、音楽／映像データに識別情報を付加するにあたっては、例えば、個々の音楽／映像および一固まりの情報となっているファイルに対し、それぞれに割り当てられているユニークなＩＤ（Ｉｄｅｎｔｉｆｉｃａｔｉｏｎ）や、タイトル名や、アーティスト名や、放送する音楽／映像に、後述するように、ノイズ生成部１０４が生成するノイズを混入するかまたは混入しないかのデータであるノイズ混入判定データなどを、識別情報として付加するようになされている。
なお、識別情報の一つであるＩＤは、ここでは、例えば、固定長とされ、例えば、一方向ハッシュ関数を演算することにより得られるハッシュ値などを用いて表すことができる。
【０３２４】
また、ノイズ混入判定データは、放送する音楽／映像にノイズ生成部１０４が生成する暗号化したノイズを混入するかまたは混入しないかの例えば放送する音楽／映像それぞれの著作権者によって判定された結果のデータであり、後述するように、放送部１０１が、蓄積部１０５から音楽／映像を選択し放送する際に、この判定結果に基づき、放送する音楽／映像にノイズ生成部１０４が生成する暗号化したノイズを混入するか否かが判定されるようになされている。
【０３２５】
さらに、蓄積部１０５は、記憶する音楽／映像データと識別情報の蓄積状況とを、蓄積（登録）データとして、放送部１０１に供給するようになされ、新規に音楽／映像が記憶された場合、蓄積データを更新するようになされている。
【０３２６】
なお、蓄積部１０５に記憶し、放送装置１００から番組として放送し、視聴装置４００において販売することができるコンテンツには、例えば、娯楽番組（音楽や映画など）、教育番組、医学番組、健康番組、カルチャー番組、ニュース番組などがあり、音楽／映像に限らず、例えば静止画像や文字による番組であってもよい。
【０３２７】
また、蓄積部１０５に、音楽／映像や上述した他のコンテンツを販売する他の販売元サーバのミラーサーバを構築することで、放送装置１００および他の販売元が蓄積している音楽／映像やその他上述したコンテンツを販売することができる。
なお、音楽／映像を販売するとは、音楽／映像を視聴する権利を販売するのではなく、購入者が所有することができるものとして販売するものである。
【０３２８】
放送部１０１は、制御部１０６の制御の下、蓄積部１０５に記憶している音楽／映像および音楽／映像それぞれに付されている識別情報を読み出し、且つノイズ生成部１０４で生成する暗号化したノイズとを読み出し、蓄積部１０５から読み出した音楽／映像にノイズ生成部１０４から読み出した暗号化したノイズを混入し、その暗号化したノイズを混入した音楽／映像に蓄積部１０５から読み出した識別情報を付して得られた、暗号化したノイズが混入された音楽／映像に識別情報が付されている音楽／映像を、放送網２００を介して、視聴装置４００へ放送（送信）するようになされている。
【０３２９】
なお、放送部１０１から放送する音楽／映像にノイズ生成部１０４が生成する暗号化したノイズを混入せずに放送する場合があり、その場合、放送部１０１は、蓄積部１０５から音楽／映像とその識別情報とを読み出し、その読み出した音楽／映像に読み出した識別情報を付して得られた、識別情報が付されている音楽／映像を、放送網２００を介し、視聴装置４００へ放送（送信）するようになされている。
【０３３０】
また、放送部１０１は、例えば、衛星回線や、ＣＡＴＶ網、地上波、ＩＰマルチキャスト、インターネット放送、その他の多数のユーザに一斉同報通信が可能な一方向（双方向でもよい）のネットワークである放送網２００を介して、音楽／映像や識別情報を、複数の視聴装置４００へ放送（送信）するようになされている。
【０３３１】
ここで、放送する音楽／映像に識別情報を付して放送することの目的は、主に四つあり、一つ目は、複数の視聴装置４００で放送を視聴するユーザが放送する音楽／映像を購入する際に購入したい音楽／映像を識別情報により確定し選択するためである。二つ目は、複数の視聴装置４００それぞれから、放送装置１００へ送信する購入要求データを、それに購入したい音楽／映像の識別情報を含ませて送信させ、放送装置１００が、購入要求データで受け取った識別情報を販売許諾データに含ませて、視聴装置４００へ送信することで、自動蓄積部４１２に記憶している音楽／映像の中から、販売許諾データの識別情報即ち購入要求を出した音楽／映像の識別情報に基づき、購入要求を出した音楽／映像を読み出し、これを視聴装置４００の蓄積部４０９へ供給するためである。三つ目は、複数の視聴装置４００で放送を視聴するユーザが視聴する音楽／映像を蓄積部４０９へ複製する場合、その音楽／映像に識別情報を付加して複製することができるためである。四つ目は、販売する音楽／映像の課金管理や、販売する音楽／映像に付帯する権利（著作権など）の管理をするためである。
【０３３２】
高音質高画質で放送する音楽／映像の著作権を放送が無断複製されることによって起こる被害から保護するために、ノイズ生成部１０４は、制御部１０６の制御の下、暗号化したノイズを生成する。ノイズ生成部１０４が生成する暗号化したノイズは、放送する音楽／映像に混入されるようになされている。
【０３３３】
ここで、暗号化したノイズは、例えば、電子透かし技術、及び／又はデータハイディング技術、及び／又はウォーターマーク技術を利用して生成され、音楽／映像に暗号化したノイズを混入する方法としては、例えば、生成したノイズを音楽／映像データの実データ部に直接埋め込む方法や、パターン認識技術により音楽／映像データの中身を認識し人間の視覚や聴覚の特性を考慮して適応的にノイズを埋め込む方法などがある。具体的には、例えば、放送する映像に、それを周波数成分データに加工した上で、カオス拡散技術を用いてノイズを混入したり、また、例えば、放送する音楽に、それを量子化ノイズを利用してディザ信号に替えてノイズを混入させる方法などがある。
【０３３４】
また、ノイズ生成部１０４が生成する暗号化したノイズは、暗号化したノイズを混入した音楽／映像から暗号化したノイズを除去するための暗号鍵と対をなすように生成され、複数の視聴装置４００が、暗号鍵を有していて、後述するように、放送部１０１が放送する暗号化したノイズを混入した音楽／映像から、暗号化したノイズを除去して高音質高画質の音楽／映像に戻し、これを視聴できるようになされ、複数の視聴装置以外の不特定多数の人々が、放送部１０１が放送する音楽／映像を受信する場合、音質及び／又は画質が幾分低下した暗号化したノイズの混入した音楽／映像を視聴し楽しめるようにし、高音質高画質放送の音楽／映像を無断複製するのを防ぐようになされている。
【０３３５】
また、ノイズ生成部１０４が生成する暗号化したノイズの量（効力）を調整することで、例えば、複数の視聴装置以外では、まったく音楽／映像が視聴できなくすることもできるし、または、例えば、ＡＭ（ＡｍｐｌｉｔｕｄｅＭｏｄｕｌａｔｉｏｎ）またはＦＭ（ＦｒｅｑｕｅｎｃｙＭｏｄｕｌａｔｉｏｎ）に準ずる音質や画質に低下させ、音楽／映像を視聴することができるようにもできる。
【０３３６】
また、ノイズ生成部１０４は、例えば、データハイディング技術を利用して、暗号化したノイズを生成する際に暗号化したノイズの量を調整し、暗号化したノイズを音楽／映像に混入し放送しても、音質や画質の劣化が人間の視聴覚では判断できないような暗号化したノイズとし、しかも、その暗号化したノイズに複製を阻止する制御データを含ませることで、放送した音楽／映像を受信し無断複製しようとした場合、高音質高画質放送の無断複製を防止するようにもできる。なお、ノイズ生成部１０４が生成する暗号化したノイズは、例えばすべての放送する音楽／映像に混入して送信することもできるし、例えば選択された音楽／映像に混入して送信することもできる。
【０３３７】
供給許可データ生成部１０９は、制御部１０６の制御の下、視聴装置４００の自動蓄積部４１２から視聴装置４００の蓄積部４０９へ購入要求のあった音楽／映像の供給を許可する供給許可データを生成し、それを販売許諾データ構成部１０８に供給するようになされる。
【０３３８】
ここで、供給許可データは、暗号技術を利用した暗号データとして生成される。この暗号データは、放送装置１００から視聴装置４００へ単方向送信されるものであり、放送装置１００と複数の視聴装置４００との間のみでの決めごとで生成すれば良く、そこに、特別なプログラムや複雑な暗号処理を必要とするものではない。従って、供給許可データ生成部１０９は、例えば既存の暗号アルゴリズムを利用して、共有鍵方式または公開鍵方式の暗号を供給許可データとして生成する。
【０３３９】
また、供給許可データ生成部１０９が生成する供給許可データは、供給許可データの暗号を照合（複号化）する暗号鍵と対をなすように生成され、複数の視聴装置４００はその暗号鍵を有する。
【０３４０】
販売許諾データ構成部１０８は、通信部１０２が受信する購入要求データを読み出し、その購入要求データに基づき、購入要求のあった音楽／映像の販売を許諾するための販売許諾データを生成（構成）し、その販売許諾データが、通信部１０２から、通信網３００を介し購入要求データを送信した複数の視聴措置４００それぞれへ送信されるようになされている。
ここで、販売許諾データは、例えば図１４のようなフォーマットで供給されるようになされている。
【０３４１】
図１４に示すように、販売許諾データ構成部１０８は、制御部１０６の制御の下、少なくとも、購入要求データから読み出した識別情報と供給許可データ生成部１０９から読み出した供給許可データとを配置した販売許諾データを生成（構成）するようになされている。
【０３４２】
通信部１０２は、例えばアナログ公衆回線網やＩＳＤＮ（ＩｎｔｅｇｒａｔｅｄＳｅｒｖｉｃｅｓＤｉｇｉｔａｌＮｅｔｗｏｒｋ）、インターネット、その他の双方向通信が可能なネットワークである通信網３００を介し、複数の視聴装置４００の通信部４０２と通信を行うようになされている。通信部１０２は、複数の視聴装置４００から、通信網３００を介して送信されてくる購入要求データを受信するようになされている。また、販売許諾データ構成部１０８が生成する販売許諾データを、通信網３００を介し、複数の視聴装置４００へ送信するようになされている。
【０３４３】
通信部１０２は、例えばモデムやＴＡ（ＴｅｒｍｉｎａｌＡｄａｐｔｅｒ）などの通信制御機器により構成され、例えばＴＣＰ／ＩＰに基づくプロトコルにしたがってデータの送受信を行う。
【０３４４】
制御部１０６は、放送部１０１と、通信部１０２と、ノイズ生成部１０４と、蓄積部１０５と、販売許諾データ構成部１０８と、供給許可データ構成部１０９との各部を制御する。
【０３４５】
以上のように構成される放送装置１００では、蓄積部１０５に音楽／映像を記憶する蓄積処理、音楽／映像を放送部１０１により放送する音楽／映像の放送処理、および複数の視聴装置それぞれへ音楽／映像の販売許諾を行う販売許諾処理などが行われている。
【０３４６】
まず、図１５のフローチャートを参照して、放送装置１００が行う蓄積処理について説明する。
【０３４７】
蓄積処理では、まず最初に、ステップＳ２８において、放送装置１００で販売することができる音楽／映像データを蓄積部１０５に記憶するにあたり、その音楽／映像データが蓄積部１０５に既に記憶されているかどうかが、蓄積部１０５の蓄積（登録）データを検索することで判定される。即ち、蓄積部１０５の蓄積（登録）データを記憶を行おうとしている音楽／映像データのタイトル名やアーティスト名などで検索し、記憶を行おうとしている音楽／映像データが既に蓄積部１０５に記憶されていると判定された場合、ステップＳ２８に戻る。また、記憶を行おうとしている音楽／映像データがまだ蓄積部１０５に記憶されていないと判定された場合、ステップＳ２９に進む。
【０３４８】
ステップＳ２９において、蓄積部１０５が、ステップＳ２８で新規の音楽／映像データであると判定された音楽／映像データを、それに例えば図１３に示すような識別情報を付加して記憶し、ステップＳ３０へ進む。
【０３４９】
ステップＳ３０において、蓄積部１０５が、新規に記憶された音楽／映像データとその識別情報との蓄積（登録）データを更新し、ステップＳ２８に戻る。
【０３５０】
次に、図１６のフローチャートを参照し、販売することができる音楽／映像を放送する音楽／映像の放送処理について説明する。
【０３５１】
音楽／映像の放送処理では、まず最初に、ステップＳ３１において、蓄積部１０５に記憶している販売することができる音楽／映像データの中から、放送する音楽／映像データを選択する。ステップＳ３１において、例えば放送部１０１が蓄積部１０５から読み出した音楽／映像データの蓄積データの中から、放送する音楽／映像データを、例えばランダムに選択し、ステップＳ３２に進む。また、ステップＳ３１において、音楽／映像データの選択を、人為的な音楽／映像の選択とすることもできる。
【０３５２】
ステップＳ３２において、放送部１０１が、蓄積部１０５から選択した音楽／映像データに付加されている識別情報を読み出し、それをステップＳ３１において選択した音楽／映像に付し、その識別情報が付された音楽／映像を放送し、ステップＳ３３に進む。
【０３５３】
ステップＳ３３において、ノイズ生成部１０４により暗号化したノイズを選択した音楽／映像に混入するか否かが、例えば識別情報に記述されているノイズ混入判定データに基づき、放送部１０１により、判定され、選択した音楽／映像をそれに暗号化したノイズを混入しないで放送するとの判定がなされた場合、ステップＳ３４をスキップし、ステップＳ３５へ進む。また、暗号化したノイズを混入して放送するとの判定がなされた場合、ステップＳ３４へ進む。
【０３５４】
ステップＳ３３において、選択された音楽／映像にノイズ生成部１０４が生成する暗号化したノイズを混入して放送するとの判定がなされた場合、ステップＳ３４に進み、ノイズ生成部１０４が暗号化したノイズを生成し、そのノイズを放送部１０１に供給するようになされる。
【０３５５】
ステップＳ３４で、ノイズ生成部１０４が暗号化したノイズを生成し、そのノイズを放送部１０１に供給するようなされた場合、ステップＳ３５に進み、放送部１０１が、制御部１０６の制御の下、伝送制御を行い、例えば伝送方法などの伝送仕様を決定し、ノイズ生成部１０４から、ノイズ生成部１０４が生成した暗号化したノイズを読み出し、そのノイズを選択された音楽／映像に混入し、さらに、暗号化したノイズを混入した音楽／映像に蓄積部１０５から読み出した識別情報を付し、その識別情報の付された音楽／映像を放送部１０１より放送し、ステップＳ３１に戻る。
【０３５６】
一方、ステップＳ３３で、選択された音楽／映像に暗号化したノイズを混入しないで放送するとの判定がなされた場合、ステップＳ３５に進み、放送部１０１が、制御部１０６の制御の下、伝送制御を行い、例えば伝送方法などの伝送仕様を決定し、選択された音楽／映像に蓄積部１０５から読み出した識別情報を付し、その識別情報の付された音楽／映像を、放送部１０１から放送し、ステップＳ３１に戻る。
【０３５７】
次に、図１７のフローチャートを参照して、放送装置１００が行う販売許諾処理について説明する。
【０３５８】
販売許諾処理では、まず最初に、ステップＳ３６において、通信部１０２で、視聴装置４００から購入要求データを受信したかどうかが判定される。
【０３５９】
購入要求データを受信していないとの判定がなされた場合、ステップＳ３６に戻り、購入要求データを受信したとの判定がなされた場合、その購入要求データが販売許諾データ構成部１０８に供給され、ステップＳ３７に進む。
【０３６０】
ステップＳ３７において、販売許諾データ構成部１０８が、制御部１０６の制御の下、販売許諾データを生成し、その生成した販売許諾データに、供給許可データ生成部１０９から読み出した供給許可データを配置し、さらに、読み出した視聴装置４００から送信された購入要求データに記述されている識別情報を配置し、例えば図１４に示すような販売許諾データを生成（構成）し、ステップＳ３８へ進む。
【０３６１】
ここで、後述するように、視聴装置４００は、放送装置１００へ購入要求データを送信するにあたり、購入する音楽／映像の識別情報を購入要求データに含ませて送信し、販売許諾データ構成部１０８が、購入要求データに記述されている識別情報を読み出し、その識別情報を販売許諾データに配置するようになされる。
なお、視聴装置４００が放送装置１００へ送信する購入要求データは、例えば図１９のようなフォーマットで示される。
【０３６２】
ステップＳ３８において、販売許諾データ構成部１０８が、通信部１０２を制御し、販売許諾データ構成部１０８により生成（構成）した販売許諾データを、購入要求データを送信した視聴装置４００へ、通信網３００を介し送信し、販売許諾処理を終了する。
【０３６３】
次に、視聴装置４００の各部について図１２を参照し説明する。ここで、視聴装置とは、例えば、音楽／映像を聞くこと及び／又は見ることができる装置である。
【０３６４】
放送受信部４０１は、放送装置１００から、放送網２００を介して送信されてくる放送、即ち、ここでは音楽／映像、暗号化したノイズを混入された音楽／映像、およびそのいずれの音楽／映像にも付して送信されてくる識別情報を受信するようになされている。
【０３６５】
ノイズ除去部４０３は、放送装置１００が放送する音楽／映像からそれに混入した暗号化したノイズを除去するための、暗号鍵を有し、制御部４１０の制御の下、放送受信部４０１が受信する暗号化したノイズを混入された音楽／映像を読み出し、暗号鍵により、暗号化したノイズを混入された音楽／映像から、暗号化したノイズを除去し、そのノイズの除去された音楽／映像を、読み出し部４０４と自動蓄積部４１２とに供給するようになされている。
【０３６６】
また、放送装置１００は、放送する音楽／映像を、それに暗号化したノイズを混入せずに放送する場合があり、その場合、ノイズ除去部４０３は、放送受信部４０１が受信した音楽／映像をそのまま読み出し、その音楽／映像を読み出し部４０４と自動蓄積部４１２とに供給するようになされている。読み出し部４０４は、操作部４１１の操作に対応し、ノイズ除去部４０３から供給される音楽／映像を読み出し、その音楽／映像を出力部４０５へ出力する。
【０３６７】
また、読み出し部４０４は、例えば、購入選定データ構成部４０６から購入選定データを読み出し、また、購入要求データ構成部４０７から購入要求データを読み出し、また、蓄積部４０９から、放送装置１００から購入した音楽／映像および放送装置１００からの放送を複製した音楽／映像と、ノイズが混入された音楽／映像と、そのいずれの音楽／映像にも付されている識別情報とを読み出し、その読み出した各情報を、出力部４０５に出力し、出力部４０５の例えばディスプレイに表示し、またスピーカーに出力するようになされている。
【０３６８】
出力部４０５は、例えばディスプレイやスピーカーなどで構成され、読み出し部４０４が読み出した情報に対応する画像を表示し、また音声を出力するようになされている。
【０３６９】
購入選定データ構成部４０６は、制御部４１０の制御の下、購入選定データを生成（構成）するようになされている。
【０３７０】
即ち、放送装置１００が放送網２００を介し複数の視聴装置４００へ放送する音楽／映像に付して識別情報を送信し、購入選定データ構成部４０６が、制御部４１０の制御の下、放送受信部４０１が放送装置１００から音楽／映像の放送を受信した時に、音楽／映像それぞれに付されて送信される識別情報を、放送受信部４０１から読み出し、その識別情報を購入選定データ構成部４０６が生成する購入選定データに配置するようになされている。
ここで、購入選定データは、例えば、図１８のようなフォーマットで供給されるようになされている。
【０３７１】
図１８に示すように、購入選定データ構成部４０６は、放送受信部４０１から読み出した複数の識別情報を記憶し配置することで、購入選定データを構成するようになされている。即ち、放送受信部４０１が受信している音楽／映像の識別情報を、放送受信部４０１から読み出し、それを購入選定データに配置すると共に、一つ前に放送受信部４０１から読み出した購入選定データに配置した識別情報、および二つ前に放送受信部４０１から読み出した購入選定データに配置した識別情報、およびｎ個前に放送受信部４０１から読み出した購入選定データに配置した識別情報を、購入選定データに配置し、購入選定データを構成するようになされている。
【０３７２】
また、購入選定データ構成部４０６は、複数の識別情報を配置して生成（構成）した購入選定データを、読み出し部４０４に供給し、出力部４０５の例えばディスプレイに表示させるようになされている。
【０３７３】
また、購入選定データ構成部４０６は、後述するように、ユーザが購入選定データに表示している識別情報を利用して購入要求をする音楽／映像を確定し選択した場合、選択された音楽／映像の識別情報を、購入要求データ構成部４０７に供給するようになされている。
【０３７４】
無断複製防止部４０８は、放送受信部４０１が受信する音楽／映像、暗号化したノイズを混入された音楽／映像、およびそのいずれの音楽／映像にも付されて送信された識別情報とを読み出し、蓄積部４０９へ供給するようになされている。即ち、無断複製防止部４０８が蓄積部４０９へ供給する音楽／映像、暗号化したノイズを混入された音楽／映像、およびそのいずれの音楽／映像にも付加されている識別情報は、ユーザの希望に応じて、蓄積部４０９へ複製し記憶することができる。蓄積部４０９に記憶した音楽／映像や暗号化したノイズを混入された音楽／映像をユーザが視聴し視聴した結果、その音楽／映像を購入する場合、その音楽／映像に付加して蓄積部４０９に記憶した識別情報に基づき、簡便に放送装置１００へ、購入要求データを送信し、購入したい音楽／映像を購入することができる。
【０３７５】
また、無断複製防止部４０８は、放送受信部４０１で受信した暗号化したノイズを混入された音楽／映像の暗号化したノイズを調整し、蓄積部４０９へ供給するためのノイズ調整を行うことができるようにすることも可能である。即ち、例えば、放送装置１００が、音楽／映像を、それに暗号化したノイズを複数の視聴装置以外の不特定多数の人々が受信しても音楽／映像が視聴できないような多くの量で混入して送信した場合、無断複製防止部４０８が、上記暗号化したノイズを調節するための暗号鍵を有し、送信された音楽／映像を、それに混入されているノイズをあらかじめ設定された量だけ除去して、例えばＡＭに準ずる音質及び／又は画質の音楽／映像に変更し、蓄積部４０９に複製できるようになされている。これによって、高音質高画質で放送する音楽／映像の著作権を放送を無断複製されることの被害から保護し、且つ複数の視聴装置において、音楽／映像を、購入する前に複製して視聴し、確認する機会が与えられることになる。
【０３７６】
購入要求データ構成部４０７は、視聴装置４００で放送装置１００からの放送を視聴するユーザが視聴する音楽／映像を気に入り放送装置１００へ購入要求を出す場合、操作部４１１の操作に対応し、購入要求データを生成（構成）するようになされている。
【０３７７】
即ち、購入要求データ構成部４０７は、操作部４１１の操作に対応し、購入要求データを生成し、制御部４１０の制御の下、その生成した購入要求データに、購入選定データ構成部４０６から読み出した購入要求をする音楽／映像の識別情報を配置し、その識別情報を配置した購入要求データを、読み出し部４０４へ供給し、出力部４０５の例えばディスプレイに表示するようになされている。
【０３７８】
ここで、購入要求データ構成部４０７により生成（構成）される購入要求データは、例えば、図１９のようなフォーマットで供給されるようになされている。
即ち、購入要求データは、図１９に示すように、例えば、購入を要求する音楽／映像の識別情報、視聴装置ＩＤなどを含んで、出力部４０５に供給されるようになされている。
【０３７９】
なお、視聴装置ＩＤには、購入要求データを送信した視聴装置（送信元）を特定するための情報が配置されている。
【０３８０】
放送装置１００は、視聴装置４００から購入要求データを受信した場合、購入要求のあった音楽／映像の販売許諾を行う販売許諾データを、通信網３００を介し、視聴装置４００へ送信するが、販売許諾データ認識部４１３は、制御部４１０の制御の下、通信部４０２が受信する販売許諾データを読み出し、その販売許諾データに基づき、購入要求をした音楽／映像を、自動蓄積部４１２から選択し、選択した音楽／映像を、自動蓄積部４１２から蓄積部４０９へ供給して記憶するようになされている。
【０３８１】
販売許諾データには、例えば、図１４で示すように、いくつかの情報が含まれているが、そのうちの識別情報は、視聴装置４００が音楽／映像の購入要求をする際に放送装置１００に送信した購入要求データに記述したものである。
【０３８２】
また、販売許諾データの中の一つの情報である供給許可データは、放送装置１００の供給許可データ生成部１０９で生成された暗号データであり、販売許諾データ認識部４１３は、供給許可データの暗号鍵を有し、その暗号鍵により、通常はユーザが操作することができない自動蓄積部４１２から、購入要求をした音楽／映像を、蓄積部４０９へ供給し記憶するようになされている。
【０３８３】
即ち、販売許諾データ認識部４１３は、販売許諾データを読み出し、その販売許諾データに記述されている識別情報に基づき、自動蓄積部４１２に記憶している音楽／映像の中から購入する音楽／映像を選択し、販売許諾データ認識部４１３が有する暗号鍵で供給許可データを照合（復号化）し、その照合を以て、自動蓄積部４１２から選択した音楽／映像を、蓄積部４０９へ供給し記憶するようになされている。
【０３８４】
自動蓄積部４１２は、例えば表裏双方に音楽／映像を記憶蓄積できる大容量のハードディスクや光磁気ディスクなどの記憶（記録）媒体で構成され、ノイズ除去部４０３が供給する音楽／映像を、順次、自動的に、継続して記憶していくようになされている。なお、上述したように、この自動蓄積部４１２は、ユーザからは操作できないようになされている。
【０３８５】
ここで、自動蓄積部４１２が音楽／映像を継続して記憶するということは、自動蓄積部４１２が、表裏双方に音楽／映像を記憶し蓄積できる記憶媒体の、例えば、表側から、音楽／映像の自動的な記憶を順次開始し、表側の記憶媒体容量残が無くなった場合、自動的に、裏側へ音楽／映像の記憶を継続し行い、同様に、裏側の記憶媒体容量残が無くなった場合、自動的に、再度表側へ音楽／映像の記憶を継続し行う（この場合、以前に記憶した音楽／映像の上に上書きされる）ことで、ノイズ除去部４０３が供給する音楽／映像を継続して記憶するようになされている、ということである。即ち、切れ目無く継続的に一つの媒体の表裏双方に記憶をするために、一コンテンツを形成するのに必要なすべての情報を一括して記憶及び又は再生及び又は消去する手段を表裏それぞれに備えて音楽映像を記憶するようなされている。ここで、「一コンテンツを形成するに必要なすべての情報を一括して記憶する手段」とは、例えば、一コンテンツが動画コンテンツであれば、映像情報、音源情報、情報の位置を示すコントロール情報などすべてを一括して記憶すると言うことである。なお、自動蓄積部４１２の上述した記憶装置は、一つの媒体の表裏双方に視差のある二つの映像を同時に記憶し再生するので、立体映像を得るための記憶装置としても活用できる。
【０３８６】
蓄積部４０９は、例えばハードディスクや光磁気ディスクなどの記憶（記録）媒体で構成され、放送装置１００から音楽／映像データを購入する際に購入する音楽／映像データを記憶したり、無断複製防止部４０８が供給する音楽／映像、およびノイズが混入された音楽／映像、そのいずれの音楽／映像にも付されて送信された識別情報を記憶する。蓄積部４０９は、例えば、視聴装置４００の本体外に取り外しができるようにすることもできる。
【０３８７】
通信部４０２は、例えばアナログ公衆回線網や、ＩＳＤＮ（ＩｎｔｅｇｒａｔｅｄＳｅｒｖｉｃｅｓＤｉｇｉｔａｌＮｅｔｗｏｒｋ）、インターネット、その他の双方向通信が可能な通信網３００を介し、放送装置１００の通信部１０２と通信を行うようになされている。通信部４０２は、通信網３００を介し放送装置１００へ購入要求データを送信するようになされている。また、通信部４０２は、通信網３００を介し、放送装置１００から、販売許諾データを受信するようになされている。
【０３８８】
また、通信部４０２は、例えばモデムや、ＴＡ（ＴｅｒｍｉｎａｌＡｄａｐｔｅｒ）などの通信制御機器により構成され、例えばＴＣＰ／ＩＰに基づくプロトコルにしたがってデータの送受信を行う。
ここで、通信部４０２は、双方向通信が可能な通信網３００を介し、放送装置１００と通信するにあたり、有線通信による通信でも良いし、また無線通信による通信でも良い。
【０３８９】
操作部４１１は、例えば出力部４０５により音楽／映像を出力する場合や、購入選定データに配置されている識別情報を選択する場合などに、ユーザにより操作される。
【０３９０】
制御部４１０は、放送受信部４０１と、通信部４０２と、ノイズ除去部４０３と、読み出し部４０４と、購入選定データ構成部４０６と、購入要求データ構成部４０７と、無断複製防止部４０８と、自動蓄積部４１２と、蓄積部４０９と、販売許諾データ認識部４１３との各部を制御する。
【０３９１】
以上のように構成される視聴装置４００では、暗号化したノイズの混入された音楽／映像を受信しその音楽／映像からノイズを除去し再生する放送再生処理、視聴する音楽／映像の購入要求を処理する購入要求処理、受信した音楽／映像を自動的に自動蓄積部４１２へ記憶する自動蓄積処理、および放送装置１００から販売される音楽／映像データの取得を処理する音楽／映像の取得処理などが行われるようになされている。
【０３９２】
まず、図２０フローチャートを参照して、視聴装置４００が行う放送再生処理について説明する。
【０３９３】
放送再生処理では、まず、ステップＳ３９において、放送装置１００から放送網２００を介し送信される放送を、放送受信部４０１により受信する。
【０３９４】
ステップＳ３９において、放送装置１００から放送網２００を介し送信される放送を放送受信部４０１により受信した場合、ステップＳ４０に進み、ノイズ除去部４０３が、制御部４１０の制御の下、放送受信部４０１が受信した音楽／映像を読み出し、その読み出した音楽／映像が暗号化したノイズの混入された音楽／映像か暗号化したノイズの混入されていない音楽／映像かどうかを判定する。
【０３９５】
読み出した音楽／映像が暗号化したノイズの混入されていない音楽／映像であると判定された場合、ステップＳ４１をスキップし、ステップＳ４２に進む。また、読み出した音楽／映像が暗号化したノイズの混入された音楽／映像であると判定された場合、ステップＳ４１に進む。
【０３９６】
ステップＳ４０において、読み出した音楽／映像が暗号化したノイズの混入された音楽／映像であると判定された場合、ステップＳ４１に進み、ノイズ除去部４０３が、それが有する暗号鍵により、暗号化したノイズの混入された音楽／映像から暗号化したノイズを除去し、そのノイズの除去された音楽／映像を読み出し部４０４へ供給するようになされる。
【０３９７】
ステップＳ４１において、ノイズ除去部４０３により暗号化したノイズを混入された音楽／映像から暗号化したノイズを除去し、そのノイズの除去された音楽／映像を読み出し部４０４へ供給するようになされた場合、ステップＳ４２に進み、読み出し部４０４は、ノイズ除去部４０３から音楽／映像を読み出し、その音楽／映像を出力部４０５に出力するようになされる。
【０３９８】
ステップＳ４２において、読み出し部４０４から暗号化したノイズの除去された音楽／映像が出力部４０５に出力された場合、ステップＳ４３に進み、出力部４０５が、読み出し部４０４からの音楽／映像に対応する画像を表示し、また音声を出力し、ステップＳ３９へ戻る。
【０３９９】
一方、ステップＳ４０において、読み出された音楽／映像が暗号化したノイズの混入されていない音楽／映像であると判定された場合、ステップＳ４２に進み、読み出し部４０４が、ノイズ除去部４０３から音楽／映像を読み出し、出力部４０５に出力するようになされ、ステップＳ４３に進む。
【０４００】
ステップＳ４３において、出力部４０５が、読み出し部４０４からの音楽／映像に対応する画像を表示し、また音声を出力し、ステップＳ３９へ戻る。
【０４０１】
次に、図２１のフローチャートを参照し、視聴装置４００が行う購入要求処理について説明する。
【０４０２】
購入選定データ構成部４０６が生成（構成）する購入選定データは、例えば、出力部４０５に、例えば、図１８に示すようなフォーマットで表示され、購入要求処理では、まず、ステップＳ４４において、購入選定データが表示している複数の識別情報の中から、操作部４１１の操作により、購入したい音楽／映像の識別情報が、確定選択される。
【０４０３】
ここで、購入選定データ構成部４０６は、生成する識別情報を例えばＨＴＭＬ（ＨｙｐｅｒＴｅｘｔＭａｒｋｕｐＬａｎｇｕａｇｅ）の記述方式を利用して記述表示し、操作部４１１の操作により購入したい音楽／映像の識別情報が選択された場合、購入選定データ構成部４０６が、制御部４１０の制御の下、購入要求データ構成部４０７に対し、購入要求データを生成するよう要求し、購入要求データ構成部４０７が、要求に対応して、購入要求データを生成し、それに、購入選定データ構成部４０６から読み出された操作部４１１の操作により選択された音楽／映像の識別情報を配置し、例えばその識別情報を配置した購入要求データを出力部４０５で表示するようになされる。
【０４０４】
ステップＳ４４において、購入選定データに表示している複数の識別情報の中から操作部４１１の操作により購入したい音楽／映像の識別情報が確定選択された場合、ステップＳ４５に進み、購入要求データ構成部４０７が、操作部４１１の操作に対応し、購入要求データを生成し、それに購入選定データ構成部４０６から読み出した識別情報を配置し、その識別情報を配置した購入要求データを、読み出し部４０４に供給し、例えば出力部４０５で表示するようになされ、ステップＳ４６に進む。
【０４０５】
購入要求データは、例えば図１９で示すように、購入を要求する音楽／映像の識別情報、視聴装置ＩＤなどを配置するようになされている。
【０４０６】
視聴装置ＩＤには、購入要求データを送信した視聴装置を特定するための情報が配置される。ここでは、購入要求データを送信した送信元（送信者）を特定するため、個々の視聴装置に、ユニークなＩＤが割り当てられており、そのＩＤが視聴装置ＩＤに配置されることで、購入要求データを送信した送信元を特定するようになされている。なお、視聴装置ＩＤとしては、例えばＩＰアドレスや、携帯電話が有するＩＤと同様に、公衆回線網などの双方向通信が可能な双方向ネットワークを介して無線通信を行う機器に割り当てられるＩＤなどを利用することができる。
【０４０７】
図２１に戻り、ステップＳ４６において、例えば操作部４１１の操作に対応し、購入要求データに、視聴装置ＩＤなどを配置し、ステップＳ４７へ進む。
【０４０８】
ステップＳ４７において、購入要求データ構成部４０７が、操作部４１１の操作に対応し、通信部４０２を制御し、購入要求データ構成部４０７により生成（構成）した購入要求データを、通信網３００を介し、放送装置１００へ送信することで、購入要求処理を終了する。
【０４０９】
次に、図２２のフローチャートを参照し、視聴装置４００が行う自動蓄積処理について説明する。
【０４１０】
自動記録処理は、まず最初に、ステップＳ４８において、放送装置１００から放送網２００を介し送信される放送を、放送受信部４０１により受信し、その受信した音楽／映像をノイズ除去部４０３に供給するようになされ、ステップＳ４９に進む。
【０４１１】
ステップＳ４９において、ノイズ除去部４０３が、制御部４１０の制御の下、放送受信部４０１が受信した音楽／映像を読み出し、その読み出した音楽／映像が暗号化したノイズの混入された音楽／映像であるか、暗号化したノイズの混入されていない音楽／映像であるかどうかを暗号鍵により判定する。受信した音楽／映像が暗号化したノイズの混入されていない音楽／映像であると判定された場合、ステップＳ５０をスキップし、ステップＳ５１に進む。また、受信した音楽／映像が暗号化したノイズの混入された音楽／映像であると判定された場合、ステップＳ５０に進む。
【０４１２】
ステップＳ４９において、受信した音楽／映像が暗号化したノイズの混入された音楽／映像であると判定された場合、ステップＳ５０に進み、ノイズ除去部４０３が暗号鍵により、暗号化したノイズの混入された音楽／映像から、暗号化したノイズを除去し、そのノイズの除去された音楽／映像を自動蓄積部４１２へ供給するようになされる。
【０４１３】
ステップＳ５０において、ノイズ除去部４０３が、暗号化したノイズの混入された音楽／映像から暗号化したノイズを除去し、そのノイズの除去された音楽／映像を自動蓄積部４１２へ供給するようになされた場合、ステップＳ５１に進み、自動蓄積部４１２が、ノイズ除去部４０３から、音楽／映像を読み出し、その読み出した音楽／映像を、前述したように、表裏に記憶できる記憶媒体に自動的に継続して順次記憶し、ステップＳ４８へ戻る。
【０４１４】
一方、ステップＳ４９において、受信した音楽／映像が暗号化したノイズの混入されていない音楽／映像であると判定された場合、ステップＳ５１に進み、自動蓄積部４１２が、ノイズ除去部４０３から、音楽／映像を読み出し、その読み出した音楽／映像を、表裏に記憶できる記憶媒体に自動的に継続して順次記憶し、ステップＳ４８へ戻る。
【０４１５】
次に、図２３を参照し、視聴装置４００が行う音楽／映像の取得処理について説明する。
【０４１６】
放送装置１００は、視聴装置４００からの購入要求データを受信した場合、購入要求を受けた音楽／映像の販売を許諾するため、図１４に示すような販売許諾データを、通信網３００を介し、視聴装置４００へ送信するようになされ、ステップＳ５２において、その販売許諾データが通信部４０２で受信したかどうかを判定する。販売許諾データを受信していないと判定した場合、ステップＳ５２に戻る。また、販売許諾データを受信したと判定した場合、その販売許諾データを、販売許諾データ認識部４１３に供給し、ステップＳ５３に進む。
【０４１７】
ステップＳ５３において、販売許諾データ認識部４１３は、通信部４０２が受信した販売許諾データを読み出し、その販売許諾データを、例えば読み出し部４０４へ供給し、出力部４０５のディスプレイに表示させるようになされ、ステップＳ５４に進む。
【０４１８】
ステップＳ５４において、販売許諾データ認識部４１３は、販売許諾データに記述されている音楽／映像の識別情報を認識し、その識別情報と同一の識別情報が付加されている音楽／映像を、自動蓄積部４１２から選択し、ステップＳ５５に進む。
【０４１９】
ステップＳ５５において、販売許諾データ認識部４１３が、販売許諾データ認識部４１３が有する供給許可データの暗号鍵により、放送装置１００が音楽／映像の供給許可を認証するために送信した暗号データである供給許可データを照合（復号化）し、ステップＳ５４で選択された自動蓄積部４１２に記憶されている音楽／映像を蓄積部４０９へ供給し、ステップＳ５６に進む。
【０４２０】
ステップＳ５６において、蓄積部４０９は、自動蓄積部４１２から供給された音楽／映像を読み出し、その音楽／映像を蓄積部４０９に記憶し、音楽／映像の取得処理を終了する。
【０４２１】
なお、実施の形態（Ａ）、および実施の形態（Ｂ）では、放送装置１００において、販売することができる音楽／映像を、まず、蓄積部１０５に記憶し、その後、放送部１０１から放送したが、販売することができる音楽／映像を、放送部１０１で放送し、放送をしながら、または放送した後、蓄積部１０５に記憶することも可能である。
【図面の簡単な説明】
【０４２２】
【図１】本発明による販売システムの一実施の形態（Ａ）の構成例を示すブロック図である。
【図２】図１に示す実施の形態（Ａ）の説明に供する識別情報のフォーマットを示す図である。
【図３】図１に示す実施の形態（Ａ）の説明に供する識別分類データのフォーマットを示す図である。
【図４】図１に示す実施の形態（Ａ）の放送装置が行う蓄積処理を説明するためのフローチャートである。
【図５】図１に示す実施の形態（Ａ）の放送装置が行う音楽／映像の放送処理を説明するためのフローチャートである。
【図６】図１に示す実施の形態（Ａ）の放送装置が行う音楽／映像の配信販売処理を説明するためのフローチャートである。
【図７】図１に示す実施の形態（Ａ）の説明に供する購入要求データのフォーマットを示す図である。
【図８】図１に示す実施の形態（Ａ）の説明に供する購入選定データのフォーマットを示す図である。
【図９】図１に示す実施の形態（Ａ）の視聴装置が行う放送再生処理を説明するためのフローチャートである。
【図１０】図１に示す実施の形態（Ａ）の視聴装置が行う購入要求処理を説明するためのフローチャートである。
【図１１】図１に示す実施の形態（Ａ）の視聴装置が行う音楽／映像の取得処理を説明するためのフローチャートである。
【図１２】本発明による販売システムの一実施の形態（Ｂ）の構成例を示すブロック図である。
【図１３】図１２に示す実施の形態（Ｂ）の説明に供する識別情報のフォーマットを示す図である。
【図１４】図１２に示す実施の形態（Ｂ）の説明に供する販売許諾データのフォーマットを示す図である。
【図１５】図１２に示す実施の形態（Ｂ）の放送装置が行う蓄積処理を説明するためのフローチャートである。
【図１６】図１２に示す実施の形態（Ｂ）の放送装置が行う、音楽／映像の放送処理を説明するためのフローチャートである。
【図１７】図１２に示す実施の形態（Ｂ）の放送装置が行う販売許諾処理を説明するためのフローチャートである。
【図１８】図１２に示す実施の形態（Ｂ）の購入選定データのフォーマットを示す図である。
【図１９】図１２に示す実施の形態（Ｂ）の購入要求データのフォーマットを示す図である。
【図２０】図１２に示す実施の形態（Ｂ）の視聴装置が行う放送再生処理を説明するためのフローチャートである。
【図２１】図１２に示す実施の形態（Ｂ）の視聴装置が行う購入要求処理を説明するためのフローチャートである。
【図２２】図１２に示す実施の形態（Ｂ）の視聴装置が行う自動蓄積処理を説明するためのフローチャートである。
【図２３】図１２に示す実施の形態（Ｂ）の視聴装置が行う音楽／映像の取得処理を説明するためのフローチャートである。
【符号の説明】
【０４２３】
１００放送装置
１０１放送部
１０２通信部
１０３識別分類データ構成部
１０４ノイズ生成部
１０５蓄積部
１０６制御部
１０７購入要求データ認識部
１０８販売許諾データ構成部
１０９供給許可データ生成部
２００放送網
３００通信網
４００視聴装置
４０１放送受信部
４０２通信部
４０３ノイズ除去部
４０４読み出し部
４０５出力部
４０６購入選定データ構成部
４０７購入要求データ構成部
４０８無断複製防止部
４０９蓄積部
４１０制御部
４１１操作部
４１２自動蓄積部
４１３販売許諾データ認識部
【図１】
0004620698.tif 000002
【図２】
0004620698.tif 000003
【図３】
0004620698.tif 000004
【図４】
0004620698.tif 000005
【図５】
0004620698.tif 000006
【図６】
0004620698.tif 000007
【図７】
0004620698.tif 000008
【図８】
0004620698.tif 000009
【図９】
0004620698.tif 000010
【図１０】
0004620698.tif 000011
【図１１】
0004620698.tif 000012
【図１２】
0004620698.tif 000013
【図１３】
0004620698.tif 000014
【図１４】
0004620698.tif 000015
【図１５】
0004620698.tif 000016
【図１６】
0004620698.tif 000017
【図１７】
0004620698.tif 000018
【図１８】
0004620698.tif 000019
【図１９】
0004620698.tif 000020
【図２０】
0004620698.tif 000021
【図２１】
0004620698.tif 000022
【図２２】
0004620698.tif 000023
【図２３】
0004620698.tif 000024